(57)【要約】（ａ）少なくとも１つの洗濯ケア成分と、（ｂ）少なくとも１つのロイコ化合物を含むロイコ組成物と、を含む洗濯ケア組成物。ロイコ化合物は、ロイコ部分と、ロイコ部分に共有結合したポリアルキレンオキシ部分とを含む。ポリアルキレンオキシ部分は、少なくとも１つのエチレンオキシド基及び少なくとも１つのプロピレンオキシド基を含む。織物を処理する方法は、（ａ）かかる洗濯ケア組成物を提供する工程と、（ｂ）洗濯ケア組成物を液体媒体に添加する工程と、（ｃ）織物物品を液体媒体中に配置する工程と、（ｄ）任意に、織物をすすぐ工程と、（ｅ）織物物品を乾燥させる工程と、を含む。【特許請求の範囲】
【請求項１】
（ａ）少なくとも１つの洗濯ケア成分と、（ｂ）少なくとも１つのロイコ化合物を含むロイコ組成物を含む、洗濯ケア組成物であって、前記ロイコ化合物は、ロイコ部分と、前記ロイコ部分に共有結合したアルキレンオキシ部分とを含み、前記アルキレンオキシ部分が、少なくとも１つのエチレンオキシド基及び少なくとも１つのプロピレンオキシド基を含む、洗濯ケア組成物。
【請求項２】
前記ロイコ部分が、ジアリールメタンロイコ部分、トリアリールメタンロイコ部分、オキサジン部分、チアジン部分、ヒドロキノン部分、及びアリールアミノフェノール部分からなる群から選択される、請求項１に記載の洗濯ケア組成物。
【請求項３】
前記ロイコ部分がトリアリールメタンロイコ部分である、請求項１又は２に記載の洗濯ケア組成物。
【請求項４】
前記アルキレンオキシ部分が、１〜約２０個のエチレンオキシド基、及び１〜約２０個のプロピレンオキシド基を含む、請求項１〜３のいずれか一項に記載の洗濯ケア組成物。
【請求項５】
前記アルキレンオキシ部分が、窒素原子を介して前記ロイコ部分に共有結合し、前記窒素原子及び前記アルキレンオキシ部分が一緒になって、構造−ＮＲ１（Ｃ２Ｈ４Ｏ）ｎ（Ｃ３Ｈ６Ｏ）ｑＨ（式中、ｎ及びｑは、独立して、１〜５の整数から選択され、Ｒ１は、水素、アルキル、置換アルキル、アリール、置換アリール、アルカリール、置換アルカリール、及びアルキレンオキシ部分からなる群から選択される）を有する、請求項１〜４のいずれか一項に記載の洗濯ケア組成物。
【請求項６】
前記ロイコ化合物が２つのアルキレンオキシ部分を含み、各アルキレンオキシ部分は、窒素原子を介して前記ロイコ部分に共有結合しており、前記窒素原子と前記アルキレンオキシ部分とが一緒になって次の構造：
【化１】
2020535276.tif 000035
（式中、ｎ、ｑ、ｒ、及びｓは、独立して、０〜５の整数から選択され、ｎ及びｒの合計は２〜１０であり、ｑ及びｓの合計は２〜１０である）を有する、請求項１〜５のいずれか一項に記載の洗濯ケア組成物。
【請求項７】
ｎ及びｒの合計が２〜５であり、ｑ及びｓの合計が２〜５である、請求項１〜６のいずれか一項に記載の洗濯ケア組成物。
【請求項８】
前記ロイコ化合物が、式（ＣＩ）の構造を有し：
【化２】
2020535276.tif 000036
（ＣＩ）とその酸化形態との比は、少なくとも１：３であり、環Ａ、Ｂ、及びＣのそれぞれにおける各個々のＲｏ、Ｒｍ及びＲｐ基が、独立して、水素、重水素、及びＲ５からなる群から選択され、各Ｒ５が、独立して、ハロゲン、ニトロ、アルキル、置換アルキル、アリール、置換アリール、アルカリール、置換アルカリール、−（ＣＨ２）ｎ−Ｏ−Ｒ１、−（ＣＨ２）ｎ−ＮＲ１Ｒ２、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−Ｐ（Ｏ）２Ｒ１、−Ｐ（Ｏ）（ＯＲ１）２、−Ｐ（Ｏ）（ＯＲ１）Ｏ−、及び−Ｐ（Ｏ）（Ｏ−）２（式中、前記添え字ｎは０〜４、好ましくは０〜１、最も好ましくは０の整数である）からなる群から選択され、
Ｇが、独立して、水素、重水素、Ｃ１〜Ｃ１６アルコキシド、フェノキシド、ビスフェノキシド、ナイトライト、ニトリル、アルキルアミン、イミダゾール、アリールアミン、ポリアルキレンオキシド、ハライド、アルキルスルフィド、アリールスルフィド、及びホスフィンオキシドからなる群から選択され、
Ｒ１、Ｒ２及びＲ３が、独立して、水素、アルキル、置換アルキル、アリール、置換アリール、アルカリール、置換アルカリール、及びＲ４からなる群から選択され、Ｒ４は前記アルキレンオキシ部分であり、
前記化合物のいずれかに存在する任意の電荷が、好適な独立して選択される内部又は外部対イオンで平衡化される、請求項１〜７のいずれか一項に記載の洗濯ケア組成物。
【請求項９】
Ｇが水素である、請求項８に記載の洗濯ケア組成物。
【請求項１０】
前記ロイコ組成物が、水、エチレングリコール、プロピレングリコール、グリセリン、ポリ（エチレングリコール）、ポリ（プロピレングリコール）、エチレンオキシドとプロピレンオキシドとのコポリマー、及びこれらの混合物からなる群から選択される溶媒を更に含む、請求項１〜９のいずれか一項に記載の洗濯ケア組成物。
【請求項１１】
前記ロイコ化合物が、約１０重量％以上の量で前記組成物中に存在する、請求項１〜１０のいずれか一項に記載の洗濯ケア組成物。
【請求項１２】
前記ロイコ組成物が、抗酸化化合物を更に含む、請求項１〜１１のいずれか一項に記載の洗濯ケア組成物。
【請求項１３】
前記抗酸化化合物が、ヒンダードフェノール、ジアリールアミン、ベンゾフラノン、及びこれらの混合物からなる群から選択される、請求項１〜１２のいずれか一項に記載の洗濯ケア組成物。
【請求項１４】
前記洗濯ケア成分が、界面活性剤、ビルダー、キレート剤、移染防止剤、分散剤、酵素、酵素安定剤、触媒物質、漂白活性剤、ポリマー分散剤、泥汚れ除去剤、再付着防止剤、増白剤、抑泡剤、染料、香料、香料送達系、構造化剤、布地柔軟剤、キャリア、ヒドロトロープ、加工助剤、顔料、抗酸化剤、及びこれらの混合物からなる群から選択される、請求項１〜１３のいずれか一項に記載の洗濯ケア組成物。
【請求項１５】
織物を処理する方法であって、（ａ）請求項１〜１４のいずれか一項に記載の洗濯ケア組成物を提供する工程と、（ｂ）前記洗濯ケア組成物を液体媒体に添加する工程と、（ｃ）織物物品を前記液体媒体中に配置する工程と、（ｄ）任意に、前記織物をすすぐ工程と、（ｅ）前記織物物品を乾燥させる工程と、を含む、方法。
【発明の詳細な説明】
【技術分野】
【０００１】
本出願は、ロイコ着色剤を含有する洗濯ケア組成物、及び織物物品の洗濯におけるかかる組成物の使用について記載する。これらの種類の組成物は、安定した実質的に無色の状態で提供され、次いで、例えば、酸素への曝露、イオン添加、光への曝露などの特定の物理的又は化学的な変化に曝露されると、濃い有色状態に変換され得る。ロイコ化合物を含有する洗濯ケア組成物は、洗濯ケア組成物で洗浄された、又は別の方法で処理された織物物品の見かけの（apparent）若しくは視覚的に知覚される白色度を強化するように、又は当該織物物品に所望の色相を付与するように設計される。
【背景技術】
【０００２】
布地基材は、着古すと、光、空気、汚れへの暴露、及び基材に含まれる繊維の自然分解により、退色又は黄変する傾向がある。したがって、これら織物基材を視覚的に改良し、退色及び黄変を相殺するために、消費者製品を着色するためのポリマー着色剤の使用が従来技術において周知となっている。例えば、織物用途においては、光学増白剤又は青味剤のいずれかの白化剤を使用することが周知である。しかしながら、従来の白化剤は、他の配合成分（例えば、香料など）との有害な相互作用に起因して、貯蔵時に有効性を失う傾向がある。更に、このような白化剤は、織物基材上への付着が不十分になり得る。したがって、配合者は、貯蔵時に失われたあらゆる有効性を中和するために使用される白化剤の濃度を増加させる、及び／又は織物基材上に付着するのに利用可能な白化剤の量を増加させる傾向がある。
【０００３】
また、ロイコ染料は、特定の化学的又は物理的なトリガに曝露された際に、無色又はわずかに有色の状態から有色の状態への変化を呈することも従来技術において既知である。生じる呈色の変化は、典型的には、人間の目で視覚的に知覚可能である。これら化合物の多くは、可視光領域（４００〜７５０ｎｍ）においていくらかの吸光度を有するので、多かれ少なかれいくらかの色を有する。本発明では、染料は、その適用濃度及び条件ではそれほど発色しなかったが、トリガされた形態では著しく発色する場合、「ロイコ染料」であると見なされる。トリガされた際の色変化は、４００〜７５０ｎｍの範囲、好ましくは５００〜６５０ｎｍの範囲、最も好ましくは５３０〜６２０ｎｍの範囲におけるロイコ染料分子のモル減衰係数（一部の文献ではモル吸光係数、モル吸収係数、及び／又はモル吸光率としても知られている）の変化に起因する。トリガ前後のロイコ染料のモル減衰係数の増加は、５０％超、より好ましくは２００％超、最も好ましくは５００％超であるべきである。
【０００４】
ロイコ化合物は、洗濯ケア組成物（例えば、洗濯洗剤）中の白化剤として使用することができる。このような用途では、無着色又は軽度に着色された状態であるロイコ化合物の添加は、洗濯ケア組成物の審美性に大きな影響を及ぼさない。次に、ロイコ化合物は、所望の白化効果を織物基材に付与する有色状態に変換されることができる。
【発明の概要】
【発明が解決しようとする課題】
【０００５】
色調技術を使用して白色度効果をもたらす上での課題の１つは、消費者が多くの場合、パステルイエローなどの薄く着色されていることが意図された衣類を所有しており、色調剤、シェーディング剤、又は青味剤を適用することで、そのような衣類の意図された色を損なう可能性があり、それが消費者の不満につながることである。着古した消費者の綿衣類（色補正が必要な黄変が経時的に生じている可能性が高いもの）上に選択的に付着し、色補正を必要としない新しく清浄な綿衣類上にあまり付着しない、色調付与のためのアプローチを開発することが引き続き必要とされている。
【０００６】
多くのロイコ着色剤が、新しい清浄な綿上よりも、消費者起源の着古した綿衣類上に付着するというバイアスを示すが、本発明者らは、ＴＡＭ染料の特定のエトキシル化誘導体をプロポキシレート基で置換することにより、バイアスの改善がもたらされることを見出した。ＥＯ及びＰＯオキシアルキレン基の両方を有するロイコ着色剤は、ＥＯオキシアルキレン単位のみを有するロイコ着色剤よりも大きなバイアスを示す。したがって、本発明のロイコ着色剤は、必要とされる場所に白化効果をより良好にもたらすことができ、そのような色調付与が望ましくないと考え得る、新しく清浄な綿衣類に色調を付与することを、より良好に回避することができる。
【課題を解決するための手段】
【０００７】
第１の実施形態では、本発明は、（ａ）少なくとも１つの洗濯ケア成分と、（ｂ）少なくとも１つのロイコ化合物を含むロイコ組成物を含む、洗濯ケア組成物であって、当該ロイコ化合物は、ロイコ部分と、当該ロイコ部分に共有結合したアルキレンオキシ部分とを含み、アルキレンオキシ部分が、少なくとも１つのエチレンオキシド基及び少なくとも１つのプロピレンオキシド基を含む、洗濯ケア組成物を提供する。
【０００８】
第２の実施形態では、本発明は、織物を処理する方法であって、（ａ）本明細書に記載の洗濯ケア組成物を提供する工程と、（ｂ）洗濯ケア組成物を液体媒体に添加する工程と、（ｃ）織物物品を液体媒体中に配置する工程と、（ｄ）任意に、織物をすすぐ工程と、（ｅ）織物物品を乾燥させる工程と、を含む、方法を提供する。
【０００９】
第３の実施形態では、本発明は、本明細書に記載の洗濯ケア成分及びロイコ組成物を含む、洗濯ケア組成物を提供する。一態様では、本発明は、（ｉ）２〜７０重量％の界面活性剤と、（ｉｉ）０．０００１〜２０．０重量％の本明細書に記載のロイコ組成物を含む、洗濯ケア組成物を提供する。
【００１０】
第４の実施形態では、本発明は、織物を処理する方法であって、（ａ）本明細書に記載のロイコ組成物を含む洗濯ケア組成物を提供する工程と、（ｂ）洗濯ケア組成物を液体媒体に添加する工程と、（ｃ）織物物品を液体媒体中に配置する工程と、（ｄ）任意に、織物をすすぐ工程と、（ｅ）織物を乾燥させる工程と、を含む、方法を提供する。
【発明を実施するための形態】
【００１１】
定義
本明細書で使用するとき、用語「アルコキシ」は、Ｃ１〜Ｃ８アルコキシ、及びブチレンオキシド、グリシドールオキシド、エチレンオキシド、又はプロピレンオキシドなどの繰り返し単位を有するポリオールのアルコキシ誘導体を含むことを意図する。
【００１２】
本明細書で使用するとき、互換可能な用語「アルキレンオキシ」及び「オキシアルキレン」、並びに互換可能な用語「ポリアルキレンオキシ」及び「ポリオキシアルキレン」は、一般に、以下の繰り返し単位：−Ｃ２Ｈ４Ｏ−、−Ｃ３Ｈ６Ｏ−、−Ｃ４Ｈ８Ｏ−、及びこれらの任意の組み合わせの１つ又は２つ以上をそれぞれ含有する分子構造を指す。これら基に対応する非限定的な構造としては、例えば、−ＣＨ２ＣＨ２Ｏ−、−ＣＨ２ＣＨ２ＣＨ２Ｏ−、−ＣＨ２ＣＨ２ＣＨ２ＣＨ２Ｏ−、−ＣＨ２ＣＨ（ＣＨ３）Ｏ−、及び−ＣＨ２ＣＨ（ＣＨ２ＣＨ３）Ｏ−が挙げられる。更に、ポリオキシアルキレン構成要素は、Ｃ２〜２０アルキレンオキシ基、グリシジル基、又はこれらの混合物から選択される１つ以上のモノマーからなる群から選択されてもよい。
【００１３】
本明細書において、用語「エチレンオキシド」、「プロピレンオキシド」及び「ブチレンオキシド」は、それぞれ、これらの典型的な表記である「ＥＯ」、「ＰＯ」及び「ＢＯ」で示される場合がある。
【００１４】
本明細書で使用するとき、用語「アルキル」及び「アルキル保護された」は、置換又は無置換の炭化水素から水素原子を除去することによって形成される任意の一価基を意味することを意図する。非限定的な例としては、Ｃ１〜Ｃ１８アルキル基、一態様では、Ｃ１〜Ｃ６アルキル基を含む分岐状又は非分岐状、置換又は無置換のヒドロカルビル部分が挙げられる。
【００１５】
本明細書で使用するとき、特に明記しない限り、用語「アリール」は、Ｃ３〜Ｃ１２アリール基を含むことを意図する。用語「アリール」は、炭素環式及び複素環式のアリール基の両方を指す。
【００１６】
本明細書で使用するとき、用語「アルカリール」は、任意のアルキル置換アリール置換基及びアリール置換アルキル置換基を指す。より具体的には、この用語は、追加の置換基を含んでいても含んでいなくてもよいＣ７〜１６アルキル置換アリール置換基及びＣ７〜１６アリール置換アルキル置換基を指すことを意図する。
【００１７】
本明細書で使用するとき、用語「洗剤組成物」は、洗濯ケア組成物の一部であり、布地を洗濯するための製品が挙げられるがこれに限定されない洗浄組成物を含む。このような組成物は、洗浄工程の前に用いるための前処理組成物であっても、すすぎ時添加用組成物、並びに、漂白添加剤及び「シミ取りスティック」又は前処理タイプのような洗浄助剤であってもよい。
【００１８】
本明細書で使用するとき、用語「洗濯ケア組成物」は、特に指定しない限り、顆粒状、粉末状、液状、ゲル状、ペースト状、単位用量型、棒状、及び／又はフレーク状の洗浄剤及び／又は布地処理組成物を含み、例えば、布地を洗濯するための製品、布地柔軟化組成物、布地強化組成物、布地フレッシュニング組成物、並びに布地をケア及びメンテナンスするためのその他の製品、並びにこれらの組み合わせが挙げられるが、これらに限定されない。このような組成物は、洗浄工程の前に用いるための前処理組成物であっても、すすぎ添加用組成物、並びに漂白添加剤及び／又は「シミ取りスティック」、又は前処理組成物、又は乾燥機添加用シートなどの基材を有する製品などの洗浄助剤であってもよい。
【００１９】
本明細書で使用するとき、用語「ロイコ」（例えば、化合物、部分、基、染料、モノマー、断片、又はポリマーに関して使用するとき）は、特定の化学的又は物理的なトリガに曝露された際、１つ以上の化学的及び／又は物理的な変化を受け、その結果、第１の色状態（例えば、無着色又は実質的に無色）から第２のより高度に有色の状態へとシフトする実体（例えば、有機化合物又はその一部）を指す。好適な化学的又は物理的なトリガとしては、酸化、ｐＨ変化、温度変化、及び電磁放射線（例えば、光）曝露における変化が挙げられるが、これらに限定されない。ロイコ実体において生じる好適な化学的又は物理的な変化としては、分子内環化などの酸化及び非酸化的変化が挙げられるが、これらに限定されない。したがって、一態様では、好適なロイコ実体は、発色団の可逆的に還元された形態であり得る。一態様では、ロイコ部分は、好ましくは、上記の化学的及び／又は物理的なトリガの１つ以上に曝露された際、第１及び第２のπ系を組み込んだ第３の複合共役π系に変換され得る、少なくとも第１及び第２のπ系を含む。
【００２０】
本明細書で使用するとき、用語「ロイコ組成物」又は「ロイコ着色剤組成物」は、本明細書で更に詳細に記載されるように、独立して選択される構造を有する少なくとも２種のロイコ化合物を含む組成物を指す。
【００２１】
本明細書で使用するとき、ロイコ着色剤の「平均分子量」は、その分子量分布によって決定したときの重量平均分子量として報告され、その製造プロセスの結果として、本明細書に開示されるロイコ着色剤は、そのポリマー部分に繰り返し単位の分布を含み得る。
【００２２】
本明細書で使用するとき、用語「極大吸光係数」及び「極大モル吸光係数」は、４００ナノメートル〜７５０ナノメートルの範囲における極大吸光度の波長（本明細書では極大波長とも称する）におけるモル吸光係数を表すことを意図する。
【００２３】
本明細書で使用するとき、用語「第１の色」は、トリガ前の洗濯ケア組成物の色を指すために使用され、無色及び実質的に無色を含む任意の色を含むことを意図する。
【００２４】
本明細書で使用するとき、用語「第２の色」は、トリガ後の洗濯ケア組成物の色を指すために使用され、目視検査又は分光測光分析などの分析技術の使用のいずれかを通じて洗濯ケア組成物の第１の色と区別可能な任意の色を含むことを意図する。
【００２５】
本明細書で使用するとき、用語「変換剤」は、その既知の形態（一重項及び三重項の状態）のいずれかにおける分子酸素以外の、当該技術分野において既知の任意の酸化剤を指す。
【００２６】
本明細書で使用するとき、用語「トリガ剤」は、ロイコ組成物を無色又は実質的に無色の状態から有色の状態に変換するのに好適な反応物質を指す。
【００２７】
本明細書で使用するとき、用語「白化剤」は、白色の綿布における場合、２１０〜３４５の相対色相角、又は更には２４０〜３２０の相対色相角、又は更には２５０〜３００（例えば、２５０〜２９０）の相対色相角を有する色相を当該布に提供する、トリガされたら染料を形成することができる染料又はロイコ着色剤を指す。
【００２８】
本明細書で使用するとき、「セルロース基材」は、重量基準でセルロースの少なくとも大部分を占めるあらゆる基材を含むことが意図される。セルロースは、木材、綿、亜麻布、黄麻及び麻布に見出すことができる。セルロース基材は、粉末、繊維、パルプの形態、並びに粉末、繊維及びパルプから形成される物品の形態であってよい。セルロース繊維としては、綿、レーヨン（再生セルロース）、アセテート（酢酸セルロース）、トリアセテート（三酢酸セルロース）及びこれらの混合物が挙げられるが、これらに限定されない。セルロース繊維から形成される物品としては、布地などの織物製品が挙げられる。パルプから形成される物品としては、紙が挙げられる。
【００２９】
本明細書で使用するとき、特許請求の範囲において使用される「ａ」及び「ａｎ」などの冠詞は、特許請求又は記述されるものが１つ以上であることを意味すると理解される。
【００３０】
本明細書で使用するとき、用語「含む（「include/s」及び「including」）」は非限定的であることを意味する。
【００３１】
本明細書において使用するとき、用語「固体」は、顆粒、粉末、バー及び錠剤の製品形態を含む。
【００３２】
本発明で使用する場合、用語「流体」は、液体、ゲル、ペースト及び気体の製品形態を含む。
【００３３】
本出願人らの発明のパラメータのそれぞれの値を求めるには、本出願の試験方法の項で開示される試験方法を用いるべきである。
【００３４】
別途記載のない限り、全ての成分又は組成物の濃度は、当該成分又は組成物の活性部分に関するものであり、かかる成分又は組成物の市販の供給源に存在し得る不純物、例えば残留溶媒又は副生成物は除外される。
【００３５】
全ての百分率及び比率は、別途記載のない限り、重量基準で計算される。全ての百分率及び比率は、別途記載のない限り、全組成に基づいて計算される。
【００３６】
一態様では、２００〜１，０００ｎｍ（より好ましくは４００〜７５０ｎｍ）の範囲の波長における極大吸光度における当該第２の有色状態のモル吸光係数は、第２の有色状態の極大吸光度の波長における当該第１の色状態のモル吸光係数の好ましくは少なくとも５倍、より好ましくは１０倍、更により好ましくは２５倍、最も好ましくは少なくとも５０倍である。好ましくは、２００〜１，０００ｎｍ（より好ましくは４００〜７５０ｎｍ）の範囲の波長における極大吸光度における当該第２の有色状態のモル吸光係数は、対応する波長範囲における当該第１の色状態の極大モル吸光係数の少なくとも５倍、好ましくは１０倍、更により好ましくは２５倍、最も好ましくは少なくとも５０倍である。当業者であれば、これら比がはるかに高くなり得ることを理解するであろう。例えば、第１の色状態は、４００〜７５０ｎｍの波長範囲においてわずか１０Ｍ−１ｃｍ−１の極大モル吸光係数を有していてよく、第２の有色状態は、４００〜７５０ｎｍの波長範囲において８０，０００Ｍ−１ｃｍ−１以上もの極大モル吸光係数を有していてよく、この場合、吸光係数の比は８，０００：１以上になる。
【００３７】
一態様では、４００〜７５０ｎｍの範囲の波長における当該第１の色状態の極大モル吸光係数は１０００Ｍ−１ｃｍ−１未満であり、４００〜７５０ｎｍの範囲の波長における当該第２の有色状態の極大モル吸光係数は、５，０００Ｍ−１ｃｍ−１よりも大きく、好ましくは１０，０００、２５，０００、５０，０００又は更には１００，０００Ｍ−１ｃｍ−１よりも大きい。当業者であれば、１つを超えるロイコ部分を含むポリマーが、第１の色状態において有意に高い極大モル吸光係数を有し得る（例えば、多数のロイコ部分の相加効果又は第２の有色状態に変換された１つ以上のロイコ部分の存在に起因する）ことを認識し、理解するであろう。
【００３８】
本発明は、青色の色相を提供して織物基材を白化するために、液体洗濯洗剤などの洗濯ケア組成物で使用するのに有用であり得るロイコ着色剤の一種に関する。ロイコ着色剤は、本質的に無色であるか、又はほんのわずかに有色であるが、活性化時に濃く発色することができる化合物である。洗濯ケア組成物においてロイコ化合物を使用する１つの利点は、このような化合物は活性化されるまで無色であるので、洗濯ケア組成物がそれ自体の色を呈することができる点である。ロイコ着色剤は、一般に、洗濯ケア組成物の原色を変化させない。したがって、このような組成物の製造業者は、青味剤などの添加成分が組成物の最終色値に影響を及ぼすことに関して懸念することなく、消費者にとって最も魅力的な色を配合することができる。
【００３９】
消費者の家庭でみられる織物物品は非常に広範囲にわたり、多くの場合、多種多様な天然繊維及び合成繊維の両方、並びに同じ洗濯負荷又は更には同じ衣類中におけるこれらのいずれかの混合物から構成された衣類を含む。当該物品は、様々な方法で構築することができ、製造業者によって適用され得る膨大な仕上げのいずれを含んでいてもよい。消費者の織物物品上に残存している任意のこのような仕上げの量は多様な要因に依存し、その中でも、消費者によって使用される特定の洗浄条件下における仕上げの耐久性、消費者が使用した可能性のある具体的な洗剤及び添加剤、並びに物品が洗浄されたサイクルの数に依存する。各物品の履歴に応じて、仕上げは、様々な程度に存在していてもよく又は本質的に存在していなくてもよいが、洗浄又はすすぎサイクルに存在する他の材料、及び着用中に遭遇する汚染物質が、当該物品上に蓄積し始める場合がある。
【００４０】
当業者は、消費者によって使用される任意の洗剤配合物が、ありとあらゆる織物物品に使用される可能性のあることを強く認識し、他とは対照的に、一部の織物物品において配合物が機能する方法とは著しく異なる可能性があるだけではなく、実際にそうなると予測する。これらの違いは、日常的な実験によって見出すことができる。例えば、本発明のロイコ着色剤は、これらが連続的な洗浄によって仕上げ剤が除去された新しい衣類の白色度を増加させるよりも更に、消費者の着古した衣類、及びまた布地強化剤が適用された衣類の白色度を増加させることが見出されている。このようなロイコ着色剤を含む配合物は、より新しい衣類が、典型的には、黄変の問題を有することが少ない一方で、より古い消費者が着古した衣類が、黄変による問題を有する傾向があるために、従来の配合物よりも、更には従来の色調剤を含有する配合物よりも好ましい場合がある。本発明のロイコ着色剤は、多くの従来の色調剤によって示されるバイアスよりも大きい、清浄な新しい衣類を超えて着古された衣類の白色度を増加させるためのバイアスを有する。
【００４１】
上述したように、第１の実施形態では、本発明は、少なくとも１つのロイコ化合物を含むロイコ組成物であって、当該ロイコ化合物は、ロイコ部分と、当該ロイコ部分に共有結合したアルキレンオキシ部分とを含み、当該アルキレンオキシ部分が、少なくとも１つのエチレンオキシド基及び少なくとも１つのプロピレンオキシド基を含む、ロイコ組成物を提供する。
【００４２】
ロイコ化合物は、上記で定義した任意の好適なロイコ部分を含み得る。一態様では、ロイコ部分は、ジアリールメタンロイコ部分、トリアリールメタンロイコ部分、オキサジン部分、チアジン部分、ヒドロキノン部分、及びアリールアミノフェノール部分からなる群から選択されるのが好ましい。
【００４３】
本明細書で使用するのに好適なジアリールメタンロイコ部分としては、本明細書に記載される第２の着色状態を形成することができる一価又は多価ジアリールメチレン部分が挙げられるが、これらに限定されない。好適な例としては、ミヒラーのメタン（Michler's methane）から誘導される部分、−ＯＨ基で置換されたジアリールメチレン（例えば、ミヒラーのハイドロール）、並びにこれらのエーテル及びエステル、ＣＮ基（ビス（パラ−Ｎ，Ｎ−ジメチル）フェニル）アセトニトリル）などの光開裂性基で置換されたジアリールメチレン、並びに同様のこうした部分が挙げられるが、これらに限定されない。
【００４４】
より具体的な好ましい態様では、ロイコ部分は、下記の式（Ｉ）、（ＩＩ）、（ＩＩＩ）、（ＩＶ）、又は（Ｖ）の構造から１個以上の水素原子を除去することにより誘導される一価又は多価の部分であり、
【００４５】
【化１】
2020535276.tif 000002
式Ｉ〜Ｖとその酸化形態との比は、少なくとも１：１９、１：９、又は１：３、好ましくは少なくとも１：１、より好ましくは少なくとも３：１、最も好ましくは少なくとも９：１、又は更には１９：１である。
【００４６】
式（Ｉ）の構造中、環Ａ、Ｂ及びＣのそれぞれにおける各個々のＲｏ、Ｒｍ及びＲｐ基は、独立して、水素、重水素及びＲ５からなる群から選択され、各Ｒ５は、独立して、ハロゲン、ニトロ、アルキル、置換アルキル、アリール、置換アリール、アルカリール、置換アルカリール、−（ＣＨ２）ｎ−Ｏ−Ｒ１、−（ＣＨ２）ｎ−ＮＲ１Ｒ２、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−Ｐ（Ｏ）２Ｒ１、−Ｐ（Ｏ）（ＯＲ１）２、−Ｐ（Ｏ）（ＯＲ１）Ｏ−、及び−Ｐ（Ｏ）（Ｏ−）２からなる群から選択され、添え字ｎは、０〜４、好ましくは０〜１、最も好ましくは０の整数であり、異なるＡ、Ｂ及びＣ環における２つのＲｏ基が結合して、５員以上の縮合環を形成してもよく、縮合環が６員以上であるとき、異なるＡ、Ｂ及びＣ環における２つのＲｏ基が結合して、任意に１つ以上のヘテロ原子を含有する有機リンカーを形成してもよく、一実施形態では、異なるＡ、Ｂ及びＣ環における２つのＲｏ基が結合して、−Ｏ−及び−Ｓ−から選択されるヘテロ原子架橋を形成して、６員縮合環を作り、同じ環におけるＲｏ及びＲｍ又は同じ環におけるＲｍ及びＲｐが結合して、縮合脂肪族環又は縮合芳香族環を形成してもよく、これら環のいずれもヘテロ原子を含有してもよく、３つの環Ａ、Ｂ又はＣの少なくとも１つにおいて、Ｒｏ及びＲｍ基の好ましくは少なくとも２つ、より好ましくは少なくとも３つ、最も好ましくは４つ全てが水素であり、好ましくは、環Ａ、Ｂ及びＣの少なくとも２つにおけるＲｏ及びＲｍ基の４つ全てが水素であり、いくつかの実施形態では、環Ａ、Ｂ及びＣにおける全てのＲｏ及びＲｍ基が水素であり、好ましくは、各Ｒｐは、独立して、水素、−ＯＲ１及び−ＮＲ１Ｒ２から選択され、Ｒｐの２つ以下、好ましくは１つ以下が水素であり、好ましくは水素は存在せず、より好ましくは、少なくとも１つ、好ましくは２つ、最も好ましくは３つ全てのＲｐが−ＮＲ１Ｒ２であり、いくつかの実施形態では、環Ａ、Ｂ及びＣの１つ又は更には２つは、任意に１つ以上の独立して選択されるＲ５基で置換されている、独立してＯ、Ｓ及びＮから選択される１又は２つのヘテロ原子を含む、独立して選択されるＣ３〜Ｃ９ヘテロアリール環で置換されてもよく、Ｇは、独立して、水素、重水素、Ｃ１〜Ｃ１６アルコキシド、フェノキシド、ビスフェノキシド、ナイトライト、ニトリル、アルキルアミン、イミダゾール、アリールアミン、ポリアルキレンオキシド、ハライド、アルキルスルフィド、アリールスルフィド、又はホスフィンオキシドからなる群から選択され、一態様では、Ｇの［（重水素）／（重水素＋水素）］の比率は、少なくとも０．２０、好ましくは少なくとも０．４０、更により好ましくは少なくとも０．５０、最も好ましくは少なくとも０．６０又は更には少なくとも０．８０であり、同じヘテロ原子に結合しているＲ１、Ｒ２及びＲ３のいずれか２つが結合して、任意に−Ｏ−、−ＮＲ１５−、及び−Ｓ−からなる群から選択される１つ以上の追加のヘテロ原子を含む５員以上の環を形成してもよい。
【００４７】
式（ＩＩ）〜（ＩＩＩ）の構造中、ｅ及びｆは、独立して、０〜４の整数であり、各Ｒ２０及びＲ２１は、独立して、ハロゲン、ニトロ基、アルキル基、置換アルキル基、−ＮＣ（Ｏ）ＯＲ１、−ＮＣ（Ｏ）ＳＲ１、−ＯＲ１、及び−ＮＲ１Ｒ２からなる群から選択され、各Ｒ２５は、独立して、単糖部分、二糖部分、オリゴ糖部分、及び多糖部分、−Ｃ（Ｏ）Ｒ１、−Ｃ（Ｏ）ＯＲ１、−Ｃ（Ｏ）ＮＲ１Ｒ２からなる群から選択され、各Ｒ２２及びＲ２３は、独立して、水素、アルキル基、及び置換アルキル基からなる群から選択される。
【００４８】
式（ＩＶ）の構造中、Ｒ３０は、架橋アミン部分に対してオルト又はパラに位置し、−ＯＲ３８及び−ＮＲ３６Ｒ３７からなる群から選択され、各Ｒ３６及びＲ３７は、独立して、水素、アルキル基、置換アルキル基、アリール基、置換アリール基、アシル基、Ｒ４、−Ｃ（Ｏ）ＯＲ１、−Ｃ（Ｏ）Ｒ１、及び−Ｃ（Ｏ）ＮＲ１Ｒ２からなる群から選択され、Ｒ３８は、水素、アシル基、−Ｃ（Ｏ）ＯＲ１、−Ｃ（Ｏ）Ｒ１、及び−Ｃ（Ｏ）ＮＲ１Ｒ２からなる群から選択され、ｇ及びｈは、独立して、０〜４の整数であり、各Ｒ３１及びＲ３２は、独立して、アルキル基、置換アルキル基、アリール基、置換アリール基、アルカリール、置換アルカリール、−（ＣＨ２）ｎ−Ｏ−Ｒ１、−（ＣＨ２）ｎ−ＮＲ１Ｒ２、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）２、−ＮＲ１Ｃ（Ｏ）ＳＲ２、−ＮＲ１Ｃ（Ｏ）ＮＲ２Ｒ３、−Ｐ（Ｏ）２Ｒ１、−Ｐ（Ｏ）（ＯＲ１）２、−Ｐ（Ｏ）（ＯＲ１）Ｏ−、及び−Ｐ（Ｏ）（Ｏ−）２からなる群から選択され、添え字ｎは、０〜４、好ましくは０〜１、最も好ましくは０の整数であり、−ＮＲ３４Ｒ３５は、架橋アミン部分に対してオルト又はパラに位置し、Ｒ３４及びＲ３５は、独立して、水素、アルキル、置換アルキル、アリール、置換アリール、アルカリール、置換アルカリール、及びＲ４からなる群から選択され、Ｒ３３は、独立して、水素、−Ｓ（Ｏ）２Ｒ１、−Ｃ（Ｏ）Ｎ（Ｈ）Ｒ１、−Ｃ（Ｏ）ＯＲ１、及び−Ｃ（Ｏ）Ｒ１からなる群から選択され、ｇが２〜４である場合、任意の２つの隣接するＲ３１基が結合して、５員以上の縮合環を形成してもよく、縮合環中の原子の２つ以下が窒素原子であってもよい。
【００４９】
式（Ｖ）の構造中、Ｘ４０は、酸素原子、硫黄原子、及びＮＲ４５からなる群から選択され、Ｒ４５は、独立して、水素、重水素、アルキル、置換アルキル、アリール、置換アリール、アルカリール、置換アルカリール、−Ｓ（Ｏ）２ＯＨ、−Ｓ（Ｏ）２Ｏ−、−Ｃ（Ｏ）ＯＲ１、−Ｃ（Ｏ）Ｒ１、及び−Ｃ（Ｏ）ＮＲ１Ｒ２からなる群から選択され、Ｒ４０及びＲ４１は、独立して、−（ＣＨ２）ｎ−Ｏ−Ｒ１、−（ＣＨ２）ｎ−ＮＲ１Ｒ２（式中、添え字ｎは０〜４、好ましくは０〜１、最も好ましくは０の整数である）からなる群から選択され、ｊ及びｋは、独立して、０〜３の整数であり、Ｒ４２及びＲ４３は、独立して、アルキル、置換アルキル、アリール、置換アリール、アルカリール、置換アルカリール、−Ｓ（Ｏ）２Ｒ１、−Ｃ（Ｏ）ＮＲ１Ｒ２、−ＮＣ（Ｏ）ＯＲ１、−ＮＣ（Ｏ）ＳＲ１、−Ｃ（Ｏ）ＯＲ１、−Ｃ（Ｏ）Ｒ１、−（ＣＨ２）ｎ−Ｏ−Ｒ１、−（ＣＨ２）ｎ−ＮＲ１Ｒ２（式中、添え字ｎは、０〜４、好ましくは０〜１、最も好ましくは０の整数である）からなる群から選択され、Ｒ４４は、−Ｃ（Ｏ）Ｒ１、−Ｃ（Ｏ）ＮＲ１Ｒ２、及び−Ｃ（Ｏ）ＯＲ１である。
【００５０】
式（Ｉ）〜（Ｖ）の構造中、前述の基のいずれかに存在する任意の電荷は、好適な独立して選択される内部又は外部対イオンで平衡化される。好適な独立して選択される外部対イオンは、カチオン性又はアニオン性であってよい。好適なカチオンの例としては、好ましくは第Ｉ族及び第ＩＩ族から選択される１種以上の金属が挙げられるが、これらに限定されず、これらのうち最も好ましいものは、Ｎａ、Ｋ、Ｍｇ、及びＣａ、又はイミニウム、アンモニウム、及びホスホニウムなどの有機カチオンである。好適なアニオンの例としては、フルオリド、クロリド、ブロミド、ヨーダイド、パークロレート、ハイドロゲンサルフェート、サルフェート、アミノサルフェート、ニトレート、ジヒドロゲンホスフェート、ハイドロゲンホスフェート、ホスフェート、ビカルボネート、カルボネート、メトサルフェート、エトサルフェート、シアネート、チオシアネート、テトラクロロジンケート、ボレート、テトラフルオロボレート、アセテート、クロロアセテート、シアノアセテート、ヒドロキシアセテート、アミノアセテート、メチルアミノアセテート、ジ−及びトリ−クロロアセテート、２−クロロ−プロピオネート、２−ヒドロキシプロピオネート、グリコレート、チオグリコレート、チオアセテート、フェノキシアセテート、トリメチルアセテート、バレート、パルミテート、アクリレート、オキサレート、マロネート、クロネート、スクシネート、シトレート、メチレンビス−チオグリコレート、エチレン−ビス−イミノアセテート、ニトリロトリアセテート、フマレート、マレエート、ベンゾエート、メチルベンゾエート、クロロベンゾエート、ジクロロベンゾエート、ヒドロキシベンゾエート、アミノベンゾエート、フタレート、テレフタレート、インドリルアセテート、クロロベンゼンスルホネート、ベンゼンスルネート、トルエンスルホネート、ビフェニルスルホネート、及びクロロトルエンスルホネートが挙げられるが、これらに限定されない。当業者は、上に列挙したものの代わりに使用することができる異なる対イオンを十分に認識している。
【００５１】
上記のように、ロイコ化合物は、ロイコ部分に加えてアルキレンオキシ部分を含む。一態様では、アルキレンオキシ部分は、少なくとも１つのエチレンオキシド基及び少なくとも１つのプロピレンオキシド基を含む。別の態様では、アルキレンオキシ部分は、１〜約２０個のエチレンオキシド基、及び１〜約２０個のプロピレンオキシド基を含む。このようなアルキレンオキシ部分において、異なるアルキレンオキシ基は、ブロック構成又はランダム構成で配置され得る。一態様では、アルキレンオキシ部分のアルキレンオキシ基は、ブロック構成で配置される。
【００５２】
アルキレンオキシ部分は、任意の好適な連結基を介してロイコ部分に共有結合させることができる。一態様では、アルキレンオキシ部分は、酸素原子及び窒素原子からなる群から選択される連結基を介してロイコ部分に共有結合する。連結基が酸素原子である場合、酸素原子の１つの原子価はアルキレンオキシ部分によって占められ、酸素原子の第２の原子価は、ロイコ部分の残部によって占められる。連結基が窒素原子である場合、窒素原子の１つの原子価はロイコ部分の残部によって占められ、窒素原子の１つの原子価はアルキレンオキシ部分によって占められる。窒素原子の残存原子価は、第２のアルキレンオキシ部分などの任意の好適な基によって占められ得る。一態様では、アルキレンオキシ部分は、好ましくは、窒素原子を介してロイコ部分に共有結合する。このような実施形態では、窒素原子及びアルキレンオキシ部分は一緒になって、構造−ＮＲ１（Ｃ２Ｈ４Ｏ）ｎ（Ｃ３Ｈ６Ｏ）ｑＨ（式中、ｎ及びｑは、独立して、１〜５の整数から選択され、Ｒ１は、水素、アルキル、置換アルキル、アリール、置換アリール、アルカリール、置換アルカリール、及びアルキレンオキシ部分からなる群から選択される）を有する。別の態様では、ロイコ化合物は、２つのアルキレンオキシ部分を含み、各アルキレンオキシ部分は、窒素原子を介してロイコ部分に共有結合しており、窒素原子及びアルキレンオキシ部分は一緒になって次の構造を有する：
【００５３】
【化２】
2020535276.tif 000003
（式中、ｎ、ｑ、ｒ、及びｓは、独立して、０〜５の整数から選択され、ｎ及びｒの合計は２〜１０であり、ｑ及びｓの合計は２〜１０である）。より具体的な態様では、ｎ及びｒの合計は２〜５であり、ｑ及びｓの合計は２〜５である。
【００５４】
組成物に含有されるロイコ化合物は、上記の特性を有する任意の好適な構造を有することができる。一態様では、ロイコ化合物は、下記の式（ＣＩ）、（ＣＩＩ）、（ＣＩＩＩ）、（ＣＩＶ）、又は（ＣＶ）の構造に一致し、
【００５５】
【化３】
2020535276.tif 000004
式ＣＩ〜ＣＶとその酸化形態との比は、少なくとも１：１９、１：９、又は１：３、好ましくは少なくとも１：１、より好ましくは少なくとも３：１、最も好ましくは少なくとも９：１、又は更には１９：１である。
【００５６】
式（ＣＩ）の構造中、環Ａ、Ｂ、及びＣのそれぞれにおける各個々のＲｏ、Ｒｍ及びＲｐ基は、独立して、水素、重水素、及びＲ５からなる群から選択され、各Ｒ５は、独立して、ハロゲン、ニトロ、アルキル、置換アルキル、アリール、置換アリール、アルカリール、置換アルカリール、−（ＣＨ２）ｎ−Ｏ−Ｒ１、−（ＣＨ２）ｎ−ＮＲ１Ｒ２、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、１Ｃ（Ｏ）ＯＲ２、−ＮＲ１Ｃ（Ｏ）ＳＲ２、−ＮＲ１Ｃ（Ｏ）ＮＲ２Ｒ３、−Ｐ（Ｏ）２Ｒ１、−Ｐ（Ｏ）（ＯＲ１）２、−Ｐ（Ｏ）（ＯＲ１）Ｏ−、及び−Ｐ（Ｏ）（Ｏ−）２からなる群から選択され、添え字ｎは、０〜４、好ましくは０〜１、最も好ましくは０の整数であり、異なるＡ、Ｂ及びＣ環における２つのＲｏ基が結合して、５員以上の縮合環を形成してもよく、縮合環が６員以上であるとき、異なるＡ、Ｂ及びＣ環における２つのＲｏ基が結合して、任意に１つ以上のヘテロ原子を含有する有機リンカーを形成してもよく、一実施形態では、異なるＡ、Ｂ及びＣ環における２つのＲｏ基が結合して、−Ｏ−及び−Ｓ−から選択されるヘテロ原子架橋を形成して、６員縮合環を作り、同じ環におけるＲｏ及びＲｍ又は同じ環におけるＲｍ及びＲｐが結合して、縮合脂肪族環又は縮合芳香族環を形成してもよく、これら環のいずれもヘテロ原子を含有してもよく、３つの環Ａ、Ｂ又はＣの少なくとも１つにおいて、Ｒｏ及びＲｍ基の好ましくは少なくとも２つ、より好ましくは少なくとも３つ、最も好ましくは４つ全てが水素であり、好ましくは、環Ａ、Ｂ及びＣの少なくとも２つにおけるＲｏ及びＲｍ基の４つ全てが水素であり、いくつかの実施形態では、環Ａ、Ｂ及びＣにおける全てのＲｏ及びＲｍ基が水素であり、好ましくは、各Ｒｐは、独立して、水素、−ＯＲ１及び−ＮＲ１Ｒ２から選択され、Ｒｐの２つ以下、好ましくは１つ以下が水素であり、好ましくは水素は存在せず、より好ましくは、少なくとも１つ、好ましくは２つ、最も好ましくは３つ全てのＲｐが−ＮＲ１Ｒ２であり、いくつかの実施形態では、環Ａ、Ｂ及びＣの１つ又は更には２つは、任意に１つ以上の独立して選択されるＲ５基で置換されている、独立してＯ、Ｓ及びＮから選択される１又は２つのヘテロ原子を含む、独立して選択されるＣ３〜Ｃ９ヘテロアリール環で置換されてもよく、Ｇは、独立して、水素、重水素、Ｃ１〜Ｃ１６アルコキシド、フェノキシド、ビスフェノキシド、ナイトライト、ニトリル、アルキルアミン、イミダゾール、アリールアミン、ポリアルキレンオキシド、ハライド、アルキルスルフィド、アリールスルフィド、又はホスフィンオキシドからなる群から選択され、一態様では、Ｇの［（重水素）／（重水素＋水素）］の比率は、少なくとも０．２０、好ましくは少なくとも０．４０、更により好ましくは少なくとも０．５０、最も好ましくは少なくとも０．６０又は更には少なくとも０．８０であり、同じヘテロ原子に結合しているＲ１、Ｒ２及びＲ３のいずれか２つが結合して、任意に−Ｏ−、−ＮＲ１５−、及び−Ｓ−からなる群から選択される１つ以上の追加のヘテロ原子を含む５員以上の環を形成してもよい。
【００５７】
（ＣＩＩ）及び（ＣＩＩＩ）の構造中、変数ｅ及びｆは、独立して、０〜４の整数であり、各Ｒ２０及びＲ２１は、独立して、ハロゲン、ニトロ基、アルキル基、置換アルキル基、−ＮＣ（Ｏ）ＯＲ１、−ＮＣ（Ｏ）ＳＲ１、−ＯＲ１、及び−ＮＲ１Ｒ２からなる群から選択され、各Ｒ２５は、独立して単糖部分、二糖部分、オリゴ糖部分、及び多糖部分、−Ｃ（Ｏ）Ｒ１、−Ｃ（Ｏ）ＯＲ１、−Ｃ（Ｏ）ＮＲ１Ｒ２からなる群から選択され、各Ｒ２２及びＲ２３は、独立して水素、アルキル基、及び置換アルキル基からなる群から選択される。
【００５８】
式（ＣＩＶ）の構造中、Ｒ３０は、架橋アミン部分に対してオルト又はパラに位置し、−ＯＲ３８及び−ＮＲ３６Ｒ３７からなる群から選択され、各Ｒ３６及びＲ３７は、独立して、水素、アルキル基、置換アルキル基、アリール基、置換アリール基、アシル基、Ｒ４、−Ｃ（Ｏ）ＯＲ１、−Ｃ（Ｏ）Ｒ１、及び−Ｃ（Ｏ）ＮＲ１Ｒ２からなる群から選択され、Ｒ３８は、水素、アシル基、−Ｃ（Ｏ）ＯＲ１、−Ｃ（Ｏ）Ｒ１、及び−Ｃ（Ｏ）ＮＲ１Ｒ２からなる群から選択され、ｇ及びｈは、独立して、０〜４の整数であり、各Ｒ３１及びＲ３２は、独立して、アルキル基、置換アルキル基、アリール基、置換アリール基、アルカリール、置換アルカリール、−（ＣＨ２）ｎ−Ｏ−Ｒ１、−（ＣＨ２）ｎ−ＮＲ１Ｒ２、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）２、−ＮＲ１Ｃ（Ｏ）ＳＲ２、−ＮＲ１Ｃ（Ｏ）ＮＲ２Ｒ３、−Ｐ（Ｏ）２Ｒ１、−Ｐ（Ｏ）（ＯＲ１）２、−Ｐ（Ｏ）（ＯＲ１）Ｏ−、及び−Ｐ（Ｏ）（Ｏ−）２からなる群から選択され、添え字ｎは、０〜４、好ましくは０〜１、最も好ましくは０の整数であり、−ＮＲ３４Ｒ３５は、架橋アミン部分に対してオルト又はパラに位置し、Ｒ３４及びＲ３５は、独立して、水素、アルキル、置換アルキル、アリール、置換アリール、アルカリール、置換アルカリール、及びＲ４からなる群から選択され、Ｒ３３は、独立して、水素、−Ｓ（Ｏ）２Ｒ１、−Ｃ（Ｏ）Ｎ（Ｈ）Ｒ１、−Ｃ（Ｏ）ＯＲ１、及び−Ｃ（Ｏ）Ｒ１からなる群から選択され、ｇが２〜４である場合、任意の２つの隣接するＲ３１基が結合して、５員以上の縮合環を形成してもよく、縮合環中の原子の２つ以下が窒素原子であってもよい。
【００５９】
式（ＣＶ）の構造中、Ｘ４０は、酸素原子、硫黄原子、及びＮＲ４５からなる群から選択され、Ｒ４５は、独立して、水素、重水素、アルキル、置換アルキル、アリール、置換アリール、アルカリール、置換アルカリール、−Ｓ（Ｏ）２ＯＨ、−Ｓ（Ｏ）２Ｏ−、−Ｃ（Ｏ）ＯＲ１、−Ｃ（Ｏ）Ｒ１、及び−Ｃ（Ｏ）ＮＲ１Ｒ２からなる群から選択され、Ｒ４０及びＲ４１は、独立して、−（ＣＨ２）ｎ−Ｏ−Ｒ１、−（ＣＨ２）ｎ−ＮＲ１Ｒ２（式中、添え字ｎは０〜４、好ましくは０〜１、最も好ましくは０の整数である）からなる群から選択され、ｊ及びｋは、独立して、０〜３の整数であり、Ｒ４２及びＲ４３は、独立して、アルキル、置換アルキル、アリール、置換アリール、アルカリール、置換アルカリール、−Ｓ（Ｏ）２Ｒ１、−Ｃ（Ｏ）ＮＲ１Ｒ２、−ＮＣ（Ｏ）ＯＲ１、−ＮＣ（Ｏ）ＳＲ１、−Ｃ（Ｏ）ＯＲ１、−Ｃ（Ｏ）Ｒ１、−（ＣＨ２）ｎ−Ｏ−Ｒ１、−（ＣＨ２）ｎ−ＮＲ１Ｒ２（式中、添え字ｎは、０〜４、好ましくは０〜１、最も好ましくは０の整数である）からなる群から選択され、Ｒ４４は、−Ｃ（Ｏ）Ｒ１、−Ｃ（Ｏ）ＮＲ１Ｒ２、及び−Ｃ（Ｏ）ＯＲ１である。
【００６０】
式（Ｉ）〜（Ｖ）及び（ＣＩ）〜（ＣＶ）の構造中、Ｒ１、Ｒ２、Ｒ３、及びＲ１５は、独立して、水素、アルキル、置換アルキル、アリール、置換アリール、アルカリール、置換アルカリール、及びＲ４からなる群から選択され、Ｒ４は、２８〜５００、好ましくは４３〜３５０、更により好ましくは４３〜２５０の範囲のモノマー分子量を有する１つ以上の有機当該モノマーから構成される有機基であり、この有機基は、式Ｉ〜Ｖの構造に一致する１つ以上の追加のロイコ着色剤部分で置換され得る。一態様では、Ｒ４は、アルキレンオキシ（ポリエーテル）、オキソアルキレンオキシ（ポリエステル）、オキソアルキレンアミン（ポリアミド）、エピクロロヒドリン、四級化エピクロロヒドリン、アルキレンアミン、ヒドロキシアルキレン、アシルオキシアルキレン、カルボキシアルキレン、カルボアルコキシアルキレン、及び糖からなる群から選択される。任意のロイコ着色剤が３つ以上の連続するモノマーを有するＲ４基を含む場合、そのロイコ着色剤は、本明細書において「ポリマーロイコ着色剤」として定義される。当業者は、溶解度、分配、付着、除去、染色などの多くの特性属性のいずれかに関する化合物の特性が、その中に組み込まれるこのような連続するモノマーの配置、同一性、及び数に関連することを承知している。したがって、当業者は、このような連続するモノマーの配置、同一性、及び数を調整して、程度の差はあれ予測可能な様式で任意の特定の属性を変化させることができる。
【００６１】
式（ＣＩ）〜（ＣＶ）の構造中、Ｒ１、Ｒ２及びＲ３は、独立して、水素、アルキル、置換アルキル、アリール、置換アリール、アルカリール、置換アルカリール、及びＲ４からなる群から選択される。Ｒ４は、上記のアルキレンオキシ部分である。
【００６２】
更に、式（ＣＩ）〜（ＣＶ）の構造中、前述の基のいずれかに存在する任意の電荷は、好適な独立して選択される内部又は外部対イオンで平衡化される。好適な独立して選択される外部対イオンは、カチオン性又はアニオン性であってよい。好適なカチオンの例としては、好ましくは第Ｉ族及び第ＩＩ族から選択される１種以上の金属が挙げられるが、これらに限定されず、これらのうち最も好ましいものは、Ｎａ、Ｋ、Ｍｇ、及びＣａ、又はイミニウム、アンモニウム、及びホスホニウムなどの有機カチオンである。好適なアニオンの例としては、フルオリド、クロリド、ブロミド、ヨーダイド、パークロレート、ハイドロゲンサルフェート、サルフェート、アミノサルフェート、ニトレート、ジヒドロゲンホスフェート、ハイドロゲンホスフェート、ホスフェート、ビカルボネート、カルボネート、メトサルフェート、エトサルフェート、シアネート、チオシアネート、テトラクロロジンケート、ボレート、テトラフルオロボレート、アセテート、クロロアセテート、シアノアセテート、ヒドロキシアセテート、アミノアセテート、メチルアミノアセテート、ジ−及びトリ−クロロアセテート、２−クロロ−プロピオネート、２−ヒドロキシプロピオネート、グリコレート、チオグリコレート、チオアセテート、フェノキシアセテート、トリメチルアセテート、バレート、パルミテート、アクリレート、オキサレート、マロネート、クロネート、スクシネート、シトレート、メチレンビス−チオグリコレート、エチレン−ビス−イミノアセテート、ニトリロトリアセテート、フマレート、マレエート、ベンゾエート、メチルベンゾエート、クロロベンゾエート、ジクロロベンゾエート、ヒドロキシベンゾエート、アミノベンゾエート、フタレート、テレフタレート、インドリルアセテート、クロロベンゼンスルホネート、ベンゼンスルホネート、トルエンスルホネート、ビフェニルスルホネート、並びにクロロトルエンスルホネートが挙げられるが、これらに限定されない。当業者は、上に列挙したものの代わりに使用することができる異なる対イオンを十分に認識している。
【００６３】
したがって、一態様では、ロイコ化合物は、式（ＣＩ）のトリアリールメタンロイコ化合物であり、
【００６４】
【化４】
2020535276.tif 000005
（ＣＩ）とその酸化形態との比は、少なくとも１：３であり、式中、環Ａ、Ｂ、及びＣのそれぞれにおける各個々のＲｏ、Ｒｍ及びＲｐ基は、独立して、水素、重水素、及びＲ５からなる群から選択され、各Ｒ５は、独立して、ハロゲン、ニトロ、アルキル、置換アルキル、アリール、置換アリール、アルカリール、置換アルカリール、−（ＣＨ２）ｎ−Ｏ−Ｒ１、−（ＣＨ２）ｎ−ＮＲ１Ｒ２、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−Ｐ（Ｏ）２Ｒ１、−Ｐ（Ｏ）（ＯＲ１）２、−Ｐ（Ｏ）（ＯＲ１）Ｏ−、及び−Ｐ（Ｏ）（Ｏ−）２からなる群から選択され、添え字ｎは、０〜４、好ましくは０〜１、最も好ましくは０の整数であり、３つの環Ａ、Ｂ又はＣの少なくとも１つにおけるＲｏ及びＲｍ基の少なくとも１つは、水素であり、各Ｒｐは、独立して、水素、−ＯＲ１及び−ＮＲ１Ｒ２から選択され、Ｇは、独立して、水素、重水素、Ｃ１〜Ｃ１６アルコキシド、フェノキシド、ビスフェノキシド、ナイトライト、ニトリル、アルキルアミン、イミダゾール、アリールアミン、ポリアルキレンオキシド、ハライド、アルキルスルフィド、アリールスルフィド、及びホスフィンオキシドからなる群から選択され、Ｒ１、Ｒ２及びＲ３は、独立して、水素、アルキル、置換アルキル、アリール、置換アリール、アルカリール、置換アルカリール、及びＲ４からなる群から選択され、Ｒ４はアルキレンオキシ部分であり、化合物中に存在する任意の電荷は、好適な独立して選択される内部又は外部対イオンで平衡化される。
【００６５】
一態様では、好ましいロイコ化合物としては、式（ＣＶＩ）の構造に一致するものが挙げられる：
【００６６】
【化５】
2020535276.tif 000006
（式中、各Ｒ４は、独立して、Ｈ、メチル、エチル、（（ＣＨ２ＣＨ２Ｏ）ａ（Ｃ３Ｈ６Ｏ）ｂ）Ｈ、及びこれらの混合物からなる群から独立して選択され、好ましくは、少なくとも１つのＲ４基は（（ＣＨ２ＣＨ２Ｏ）ａ（Ｃ３Ｈ６Ｏ）ｂ）Ｈであり、各添え字ａは、独立して、１〜１００の整数であり、各添え字ｂは、独立して、０〜５０の整数であり、全てのＲ４基中の全ての独立して選択される整数ａの合計は１００以下であり、全てのＲ４基中の全ての独立して選択される整数ｂの合計は５０以下である）。好ましくは、少なくとも２つのＲ４基は、メチル及びエチルから選択され、最も好ましくは構造（ＣＶＩ）中の少なくとも１つのＮは、メチル及びエチル、好ましくはメチルから選択される２つのＲ４基で置換される。
【００６７】
別の態様では、非常に好ましいロイコ化合物としては、式（ＣＶＩＩ）の構造に一致するものが挙げられる：
【００６８】
【化６】
2020535276.tif 000007
（式中、各添え字ｃは、独立して、０、１又は２であり、好ましくは各ｃは０又は１であり、より好ましくは、ｃについての２つの独立して選択される値は同一であり、各Ｒ４は、独立して、Ｈ、Ｍｅ、Ｅｔ、（（ＣＨ２ＣＨ２Ｏ）ａ（Ｃ３Ｈ６Ｏ）ｂ）Ｈ、及びこれらの混合物からなる群から選択され、好ましくは、各Ｒ４は（（ＣＨ２ＣＨ２Ｏ）ａ（Ｃ３Ｈ６Ｏ）ｂ）Ｈ（式中、各添え字ａは、独立して、１〜５０、より好ましくは１〜２５、更により好ましくは１〜２０、１〜１５、１〜１０、１〜５又は更には１〜２であり、各添え字ｂは、独立して、０〜２５、より好ましくは０〜１５、更により好ましくは１〜５又は更には１〜３の整数である）であり、ロイコ着色剤中の全ての独立して選択される整数ａの合計は、１００以下、より好ましくは８０以下、最も好ましくは６０、４０、２０、１０以下又は更には５以下であり、ロイコ着色剤中の全ての独立して選択される整数ｂの合計は、５０以下、より好ましくは４０以下、最も好ましくは３０、２０以下、又は更には１０である）。特に好ましい態様では、各添え字ｃは１であり、各Ｒ４は（（ＣＨ２ＣＨ２Ｏ）ａ（Ｃ３Ｈ６Ｏ）ｂ）Ｈであり、各添え字ａは１〜５の整数であり、各添え字ｂは、１〜５の整数であり、ロイコ化合物中の全ての独立して選択される整数ａの合計は４〜１０であり、ロイコ着色剤中の全ての独立して選択される整数ｂの合計は５〜１５である。
【００６９】
別の態様では、非常に好ましいロイコ化合物としては、式（ＣＶＩＩＩ）の構造に一致するものが挙げられる：
【００７０】
【化７】
2020535276.tif 000008
（式中、Ｒ８はＨ又はＣＨ３であり、各添え字ｂは、独立して、平均して約１〜２である）。
【００７１】
一態様では、本発明のロイコ着色剤は、４５ｍＮ／ｍ超、より好ましくは４７．５ｍＮ／ｍ超、最も好ましくは５０ｍＮ／ｍ超の表面張力値を有する。別の態様では、ロイコ着色剤の第２の着色状態は、４５ｍＮ／ｍ超、より好ましくは４７．５ｍＮ／ｍ超、最も好ましくは５０ｍＮ／ｍ超の表面張力値を有する。本発明の更に別の態様では、ロイコ着色剤及びその対応する第２の着色状態の両方は、４５ｍＮ／ｍ超、より好ましくは４７．５ｍＮ／ｍ超、最も好ましくは５０ｍＮ／ｍ超の表面張力値を有する。
【００７２】
本明細書に記載のロイコトリアリールメタン化合物は、任意の好適な合成方法によって生成することができる。例えば、このような化合物は、芳香族アルデヒドと電子豊富なアリールカップラー（例えば、１モル当量の芳香族アルデヒドに対して約２モル当量のアリールカップラーの量）との間の酸触媒縮合反応を介して生成することができる。芳香族アルデヒドは、それに共有結合したアルデヒド基を有する芳香族部分（例えば、アリール部分、置換アリール部分、複素芳香族部分、又は置換複素芳香族部分）を含む任意の好適な化合物であり得る。一態様では、芳香族アルデヒドは、好ましくはアルデヒド基に対してパラ位に構造−ＯＲ１又は−ＮＲ１Ｒ２を有する基を含む置換ベンズアルデヒドであることが好ましい。別の態様では、芳香族アルデヒドは、好ましくは、アルデヒド基に対してパラ位にある基−ＮＲ１Ｒ２（式中、Ｒ１及びＲ２は、水素、メチル、又はエチル（より好ましくはメチル）からなる群から選択される）を含む置換ベンズアルデヒドである。
【００７３】
上記のように、縮合反応は、芳香族アルデヒドに加えて、アリールカップラーを利用する。ロイコトリアリールメタン化合物を生成するために、縮合反応は、概して、芳香族アルデヒドのモル当量ごとに少なくとも２モル当量のアリールカップラーを利用する。一態様では、反応に利用される２モル当量のアリールカップラーは、単一のアリールカップラー化合物を使用して提供することができる。別の態様では、反応は、２つ以上の別個のアリールカップラーの混合物の２モル当量を使用して実施することができる。このような実施形態では、２つ以上の別個のアリールカップラーを、任意の組み合わせ又は相対比で使用することができ、但し、混合物の合計は、芳香族アルデヒドのモル当量ごとに少なくとも約２モル当量のアリールカップラーとすべきである。このような実施形態では、２つ以上の別個のアリールカップラーは、例えば、アリール部分に結合した置換基の数及び／又は性質に関して異なり得る。一態様では、反応は、オキシアルキレン基の第１の分布を有する第１のオキシアルキレン又はポリオキシアルキレン部分を含む第１のアリールカップラー、及び、第１の分布とは異なるオキシアルキレン基の第２の分布を有する第２のオキシアルキレン又はポリオキシアルキレン部分を含む第２のアリールカップラーを利用することができる。例えば、一態様では、第１のアリールカップラーは、以下のＡＣ−Ｉなどのエチレンオキシド基からなるオキシアルキレン部分を含むことができ、第２のアリールカップラーは、以下のＡＣ−ＩＩなどのエチレンオキシド基及びプロピレンオキシド基からなるポリオキシアルキレン部分を含むことができる。
【００７４】
【化８】
2020535276.tif 000009
式中、添え字ａ、ｂ、ｃ及びｄは、独立して、０〜５の整数から選択され、ＡＣ−Ｉ及びＡＣ−ＩＩから選択されるカップラーのａ及びｂの合計は２〜１０であり、ＡＣ−ＩＩ中のｃ及びｄの合計は２〜１０である。より具体的な態様では、ＡＣ−Ｉ及びＡＣ−ＩＩから選択されるカップラーのａ及びｂの合計は２〜５であり、ＡＣ−ＩＩ中のｃ及びｄの合計は２〜５である。一実施形態では、ＡＣ−Ｉにおける添え字ａ及びｂの合計は２又は３であり、ＡＣ−ＩＩにおける添え字ａ及びｂの合計は２又は３であり、ＡＣ−ＩＩにおける添え字ｃ及びｄの合計は、１〜５、好ましくは２〜４、又は更には２〜３である。カップラーＡＣ−Ｉ及びＡＣ＿ＩＩは、任意の割合で組み合わせることができるが、但し、使用されるカップラーの量は、ロイコ化合物を生じさせる酸触媒縮合反応に使用される芳香族アルデヒドの当量に対して少なくとも２モル当量を提供するのに十分であるべきである。
【００７５】
一態様では、例えば、１当量のパラ−Ｎ，Ｎ−ジメチルベンズアルデヒドは、少なくとも２モル当量の上記のアリールカップラーＡＣ−Ｉ及びＡＣ−ＩＩの混合物で縮合され、アリールカップラーＡＣ−Ｉについては、添え字ａ及びｂの合計は２又は３、好ましくは２であり、好ましくは、ａ及びｂは各々１であり、アリールカップラーＡＣ−ＩＩについては、添え字ａ及びｂの合計は２又は３、好ましくは２であり、好ましくはａ及びｂはそれぞれ１であり、添え字ｃ及びｄの合計は、平均して約２．５〜３．０であり、ｃ又はｄのうちの少なくとも１つは１である。
【００７６】
当業者であれば、本明細書のロイコ化合物の調製に２つ以上の別個のアリールカップラーが用いられる場合、このような反応から予想される生成物には、非別個のカップラー（使用した別個のカップラーの数だけ）から構成されるロイコ化合物、並びに使用したアリールカップラーの混合物を含むクロスカップリングロイコ化合物が含まれることを理解するであろう。例えば、おおよそ等モル量で使用される２つの別個のアリールカップラーＡ及びＢを用いる調製において、反応性の差によって引き起こされる任意の摂動を除く生成物分布は、２つのＡカップラーを含有するロイコ化合物約２５％、２つのＢカップラーを含有するロイコ化合物２５％、並びに１つのＡカップラー及び１つのＢカップラーを含有するロイコ化合物５０％を含む。
【００７７】
例示的なロイコ組成物は、以下の全般的プロセスに従って調製され得る。当該プロセスは、アリールアルデヒドがＡｒ−Ｃ（Ｏ）Ｈに一致する組成物について記載しているが、容易に適応可能である。
【００７８】
４つ口フラスコは、オーバーヘッド撹拌機、凝縮器、温度制御装置、加熱マントル、及び窒素入口を備えている。次に、約２モルのアリールカップラー又はアリールカップラーの混合物をフラスコに添加し、約６５〜７１℃まで加熱する。加熱中、少量の水に予め溶解させた約１モルのＡｒ−Ｃ（Ｏ）Ｈ及び触媒量（約０．４モル）の尿素を添加する。上記の化学物質を混合した後、約１．２モルの塩化水素酸（塩酸（Muriatic acid）の形態）を滴下して、温度を９０〜１００℃未満に制御する。塩酸の添加後、反応物を９５〜１００℃で約７時間撹拌する。
【００７９】
上記のプロセスによって合成されたロイコ着色剤を回収するために、複数の方法を使用することができる。１つの方法は、反応生成物をｐＨ約９に中和し、減圧下で回転蒸発によって水を除去することである。得られた粘性物質をイソプロパノールなどの有機溶媒で希釈し、濾過して無機塩を除去する。有機溶媒を蒸発させ、最終生成物を得る。
【００８０】
別の実施形態では、本発明は、洗濯ケア組成物であって、（ａ）少なくとも１つの洗濯ケア成分と、（ｂ）以下の工程：（ｉ）１モル当量の芳香族アルデヒドを提供する工程と、（ｉｉ）約２モル当量のアリールカップラー又はアリールカップラーの混合物を提供する工程であって、少なくとも１つのアリールカップラーは、共有結合したオキシアルキレン又はポリオキシアルキレン部分を含み、オキシアルキレン又はポリオキシアルキレン部分が、少なくとも１つのエチレンオキシド基及び少なくとも１つのプロピレンオキシド基を含む、混合物を提供する工程と、（ｉｉｉ）当該芳香族アルデヒド及びアリールカップラー（複数可）を好適な反応容器内で組み合わせる工程と、（ｉｖ）０．０１〜０．５当量の尿素を添加する工程と、（ｖ）塩酸を添加して約０〜３のｐＨを達成する工程と、（ｖｉ）混合物を６０〜１２０℃で２〜１２時間加熱する工程と、（ｖｉｉ）ｐＨを少なくとも約７に調整する工程と、（ｖｉｉｉ）液体生成物から中和する際に形成される塩の少なくとも一部分を分離する工程と、から得られるロイコ組成物であって、当該ロイコ組成物が、少なくとも１つのロイコ化合物を含み、ロイコ化合物はロイコ部分と、ロイコ部分に共有結合したアルキレンオキシ部分とを含み、当該アルキレンオキシ部分が、少なくとも１つのエチレンオキシド基及び少なくとも１つのプロピレンオキシド基を含む、ロイコ組成物と、を含む、洗濯ケア組成物を提供する。１つのこのような実施形態では、ロイコ化合物は、上記式（ＣＶＩＩ）（式中、少なくとも１つの独立して選択される添え字ｂは少なくとも１の値を有する）の構造を有する。
【００８１】
本発明の洗濯ケア組成物に使用されるロイコ着色剤の量は、白い布地又は織物物品の白色度指数（ＷＩ  ＣＩＥ）の増加を達成するのに好適な任意の濃度であってよい。一態様では、洗濯ケア組成物は、約０．０００１重量％〜約１．０重量％、好ましくは０．０００５重量％〜約０．５重量％、更により好ましくは約０．０００８重量％〜約０．２重量％、最も好ましくは０．００４重量％〜約０．１重量％の量のロイコ着色剤を含む。
【００８２】
別の態様では、洗濯ケア組成物は、０．００２５〜５．０ミリ当量／ｋｇ、好ましくは０．００５〜２．５ミリ当量／ｋｇ、更により好ましくは０．０１〜１．０ミリ当量／ｋｇ、最も好ましくは０．０５〜０．５０ミリ当量／ｋｇの量のロイコ着色剤を含み、ミリ当量／ｋｇの単位は、洗濯組成物１ｋｇ当たりのロイコ部分のミリ当量を指す。１つを超えるロイコ部分を含むロイコ着色剤では、ミリ当量数は、以下の等式によるロイコ着色剤のミリモル数に関連する：（ロイコ着色剤のミリモル）×（ロイコ部分のミリ当量数／ロイコ着色剤のミリモル）＝ロイコ部分のミリ当量。ロイコ着色剤当たり単一のロイコ部分しか存在しない場合、ミリ当量／ｋｇの数は、ロイコ着色剤のミリモル数／洗濯ケア組成物のｋｇ数に等しくなる。
【００８３】
本発明のロイコ組成物は、前出のロイコ化合物（複数可）、抗酸化化合物（複数可）、及び溶媒（複数可）に加えて、他の化合物を含み得る。例えば、ロイコ組成物は、最大約２重量％の塩、例えば、塩化ナトリウム又は硫酸ナトリウム、ロイコ化合物の製造に使用される未反応出発物質、これらの出発物質の副反応から生じる不純物、及びロイコ化合物又はそのような不純物の分解生成物を含有し得る。このような物質の具体的な非限定的な例としては、式（ＤＩ）〜（ＤＶ）の化合物が挙げられる。
【００８４】
【化９】
2020535276.tif 000010
【００８５】
式（ＤＩ）〜（ＤＶ）の構造中、Ｒ１０１及びＲ１０２は、独立して、水素、アルキル（例えば、メチル）、及びオキシアルキレン基からなる群から選択される。オキシアルキレン基は、ロイコ組成物中に存在するロイコ化合物について上述した範囲など、任意の好適な数のオキシアルキレン繰り返し単位（例えば、エチレンオキシド及び／又はプロピレンオキシド）を含有し得る。Ｒ１０１及びＲ１０２のそのようなオキシアルキレン基は、水素、ＣＨ＝ＣＨ２、−ＣＨ２−ＣＨ＝ＣＨ２、−ＣＨ＝ＣＨ−ＣＨ３、−ＣＨ２−ＣＨＯ、−ＣＨ（ＣＨ３）−ＣＨＯ，−ＣＨ２−ＣＯ−ＣＨ３、−ＣＨ２−ＣＯＯＨ、−ＣＨ（ＣＨ３）−ＣＯＯＨ、−ＣＨ２−ＣＨ２Ｃｌ、−ＣＨＣｌ−ＣＨ３、−ＣＨ２−ＣＨ２−ＣＨ２Ｃｌ、−ＣＨ２−ＣＨＣｌ−ＣＨ３、及び−ＣＨＣｌ−ＣＨ２−ＣＨ３からなる群から選択されるメンバーで独立して終端され得る。更に、基Ｒ１０１及びＲ１０２を組み合わせて、構造−ＣＨ２ＣＨ２−Ｏ−ＣＨ２ＣＨ２−を有する基を形成することができ、この基は、窒素原子と共にモルホリン環を形成する。ロイコ組成物中に存在し得る他の化合物としては、式（ＤＶＩ）〜（ＤＩＸ）の化合物が挙げられる。
【００８６】
【化１０】
2020535276.tif 000011
【００８７】
式（ＤＶＩ）〜（ＤＩＸ）の化合物の各アリール部分は、独立して非置換であってもよく、又は置換されていてもよく（典型的にはパラ位において、ニトロ基又は構造−ＮＲ１０１Ｒ１０２を有する基で置換されていてもよく）、Ｒ１０１及びＲ１０２は、上記の基から独立して選択される。ロイコ組成物中に存在することができる追加の化合物としては、フェノール及びアミノフェノールが挙げられ、フェノール及びアミノフェノールは、典型的には、ヒドロキシ基に対してパラ位に構造−ＮＲ１０１Ｒ１０２を有する基を含有し、Ｒ１０１及びＲ１０２は、上記の群から独立して選択される。ロイコ組成物はまた、式（ＤＸ）及び（ＤＸＩ）の化合物を含有し得る。
【００８８】
【化１１】
2020535276.tif 000012
【００８９】
（ＤＸ）及び（ＤＸＩ）の構造中、アリール部分及びシクロヘキサジエニル部分は、非置換であってもよく、又は典型的にはパラ位において、ニトロ基又は構造−ＮＲ１０１Ｒ１０２を有する基で置換されていてもよく、Ｒ１０１及びＲ１０２は、上記の基から独立して選択される。ロイコ組成物はまた、式（ＤＸＩＩ）の化合物など、上記化合物の一部の縮合生成物を含有することができる。
【００９０】
【化１２】
2020535276.tif 000013
【００９１】
上述のように、ロイコ組成物はまた、組成物中に存在するロイコ化合物（複数可）の着色（例えば、酸化）形態を含有することができる。トリアリールメタンロイコ着色剤の場合、トリアリールメタンロイコ着色剤の酸化形態（中心カルボカチオンを含有する）は、ロイコ化合物の好適な電荷平衡化対イオンとして上述したアニオンなどの、ロイコ組成物中に存在するアニオンとの付加物を形成することができる。
【００９２】
上記の未反応出発物質及び不純物は、任意の好適な量でロイコ組成物中に存在し得る。好ましくは、これらの物質及び不純物は、ロイコ着色剤（複数可）の性能に重大な程度まで悪影響を及ぼさない比較的少量で、ロイコ組成物中に存在する。無機塩、未反応出発物質及び水を除いて、好ましい実施形態では、このような不純物は、活性ロイコ化合物に対して１０重量％未満、好ましくは５重量％未満、より好ましくは２重量％未満で存在する。
【００９３】
洗濯ケア組成物に使用されるロイコ組成物は、上記のような任意の好適な数のロイコ化合物を含むことができる。更に、洗濯ケア配合物に組み込む前に、ロイコ組成物は、ロイコ化合物（複数可）に加えて任意の好適な溶媒を含み得る。一態様では、ロイコ組成物は、水、エチレングリコール、プロピレングリコール、グリセリン、ポリ（エチレングリコール）、ポリ（プロピレングリコール）、エチレンオキシドとプロピレンオキシドとのコポリマー、及びこれらの混合物からなる群から選択される溶媒を含む。別の態様では、ロイコ組成物は、ポリ（エチレングリコール）、ポリ（プロピレングリコール）、エチレンオキシドとプロピレンオキシドとのコポリマー、以下に開示する非イオン性界面活性剤、及びこれらの混合物からなる群から選択される溶媒を含む。好ましい一実施形態では、ロイコ組成物は、洗濯ケア組成物に組み込む前に、ＰＥＧ２００などのポリ（エチレングリコール）に溶解される。
【００９４】
一態様では、ロイコ組成物は、ロイコ化合物（複数可）及び存在し得る任意の好適な溶媒に加えて、抗酸化化合物を更に含む。抗酸化化合物の存在は、組成物を安定化させ、第２の色状態に尚早に変換されるロイコ化合物の量を低減する役割を果たす。このような組成物では、任意の好適な抗酸化化合物を使用することができる。一態様では、抗酸化化合物は、ヒンダードフェノール（例えば、ＢＨＴ、ｉｒｇａｎｏｘ  １１３５、ｉｒｇａｎｏｘ  １０７６、ｉｒｇａｎｏｘ  １０１０、ｉｒｇａｎｏｘ  １３３０、及びｉｒｇａｎｏｘ  １０３５）、芳香族アミン及びその誘導体（ｉｒｇａｎｏｘ  ５０５７など）、α−、β−、γ−、δ−トコフェロール、エトキシキン、２，２，４−トリメチル−１，２−ジヒドロキノリン、２，６−ジ−ｔｅｒｔ−ブチルヒドロキノン、ｔｅｒｔ−ブチル−ヒドロキシアニソール、リグノスルホン酸及びその塩、６−ヒドロキシ−２，５，７，８−テトラ−メチルクロマン−２−カルボン酸（Ｔｒｏｌｏｘ（商標））、１，２−ベンズイソチアゾリン−３−オン（Ｐｒｏｘｅｌ  ＧＸＬ（商標））、ベンゾフラン又はベンゾピラン誘導体（Ｍｉｌｌｉｋｅｎ  ａｎｄ  Ｃｏｍｐａｎｙ（Ｓｐａｒｔａｎｂｕｒｇ，ＵＳＡ）により商品化されているＩｒｇａｎｏｘ（登録商標）ＨＰ１３６及びＡＯＸ−１など）、トコフェロールソルベート、ブチル化ヒドロキシ安息香酸及びその塩、没食子酸及びそのアルキルエステル、尿酸並びにその塩及びアルキルエステル、ソルビン酸及びその塩、ジヒドロキシフマル酸及びその塩、芳香族アミン（ＩＲＧＡＮＯＸ（登録商標）５０５７など）、並びにこれらの混合物からなる群から選択される。抗酸化剤がロイコ組成物と混和性の液体である場合、抗酸化剤は溶媒又は共溶媒として作用し得る。
【００９５】
本発明のロイコ組成物は、粉塵、水分、又は他の異物からの汚染を防止するために、密閉容器内に貯蔵され、輸送されるべきである。好ましくは、ロイコ組成物は、気密容器内に貯蔵され、輸送される。出荷容器は、酸素透過係数Ｐの低い材料から構成されてよく、その場合、Ｐ＝（透過の量）（膜厚）／（表面積）（時間）（フィルムにわたる圧力低下）であり、単位は［ｃｍ３．ｃｍ］／［ｃｍ２．ｓ．（ｃｍＨｇ）］である。好適な容器は、Ｐ×１０１０が、３０℃で１０未満、より好ましくは５未満、最も好ましくは２未満である材料から構成されてもよい。これにより、物質の酸素への曝露が制限され、貯蔵及び出荷中にロイコ化合物が第２の着色状態に変換されることを、制限する。
【００９６】
容器は、任意の適切なサイズのタンクトラック、トート、ドラム、カルボイ、又はシリンダ内のバルク負荷からなってもよい。最も好ましい容器は、ステンレス鋼又はＨＤＰＥから作製される。容器は、開放ヘッド容器又は密封ヘッド容器であってもよい。ステンレス鋼容器は、裏打ちされていなくてもよく、又は任意に、エポキシ若しくはエポキシフェノールコーティングなどの任意の好適なコーティングで裏打ちされていてもよい。いくつかの容器は、少なくとも１つのドレインバルブを収容することができ、容器は、好ましくは、強化可能であり、積重ね可能であり、ＤＯＴ（米国運輸省）／ＵＮ（国連）の承認を受けている。好適なパッケージングは、Ｇｅｎｅｒａｌ  Ｓｔｅｅｌ、Ｍａｕｓｅｒ、Ｓｃｈｕｅｔｚ、Ｃａｒｄｉｎａｌ  Ｐａｃｋａｇｉｎｇ又は他のベンダーなどの様々な供給元から入手可能である。非限定的な例では、好適な容器は、Ｓｃｈｕｅｔｚによって提供されるＥｃｏｂｕｌｋ  ＭＸ、Ｅｃｏｂｕｌｋ  ＭＸ−ＥＸ、Ｅｃｏｂｕｌｋ  ＭＸ−ＥＶ、Ｅｃｏｂｕｌｋ  ＭＸ、Ｃｌｅａｎｃｅｒｔ、Ｅｃｏｂｕｌｋ  ＭＸ−ＥＸ−ＥＶ  Ｃｌｅａｎｃｅｒｔ、Ｅｃｏｂｕｌｋ  ＳＸ−ＥＸ、及びＥｃｏｂｕｌｋ  ＭＸ  ｉｍｐｅｌｌｅｒ、Ｍａｕｓｅｒによって提供されるＭａｕｓｅｒ（登録商標）ＳＭ  ６、Ｍａｕｓｅｒ（登録商標）ＳＭ  １３、Ｍａｕｓｅｒ（登録商標）ＳＭ  １５、Ｍａｕｓｅｒ（登録商標）ＳＭ  ＥＸ、Ｍａｕｓｅｒ（登録商標）ＳＭ  ＬＰであり得る。任意に、ＨＤＰＥ容器は、ＭＡＵＳＥＲ（登録商標）ＳＭ  ＬＰ＊トートなど、ＵＶ及び可視光から内容物を保護するための添加剤を含有していてもよい。加えて、ＨＤＰＥ容器は、Ｓｃｈｕｔｚ  ｐａｃｋａｇｉｎｇ  ｓｙｓｔｅｍｓから入手可能なＥＶＯＨ透過バリア又はＤｕａｌｐｒｏｔｅｃｔシステムによって提供される更なる保護を含んでいてもよい。
【００９７】
本発明のロイコ組成物は、上で説明したように、比較的安定であり、特定の出荷又はパッキング要件は必要がない。例えば、物質は、不活性雰囲気下でパッキングされる必要はなく、又は安定した状態を保つために気候制御下で出荷される必要はない。しかしながら、ロイコ組成物の貯蔵安定性は、特定の手段を実施することによって改善され得る。例えば、酸素不足雰囲気下、低温温度、又はその両方の下で、この物質又は他の安定していない物質を出荷及び貯蔵することが好ましい場合がある。酸素欠乏雰囲気を生成する１つの方法は、窒素、アルゴン、又は二酸化炭素などの不活性ガスを使用することである。容器は、一定時間にわたって不活性ガスでパージされてもよく、又は容器内を排気し、不活性ガスで再充填することによってパージされてもよい。パージする場合、パージ時間は、容器のヘッドスペースを充填するために必要な時間よりも少なくとも３倍長く、より好ましくは５倍長くすべきである。内部圧力は、大気圧に近いか、又はパージ若しくは再充填中の大気圧よりもわずかに高くすべきである。好ましい内部圧力は、０．５〜２ａｔｍ、より好ましくは０．８〜１．５ａｔｍ、最も好ましくは０．９５〜１．２ａｔｍである。当業者であれば、理想的な圧力は、パージ又は再充填中に遭遇する条件下の値であり、ガスの圧力は、温度が理想気体の法則に近似的に従って変化するときに変化することを理解するであろう。加えて、物質自体は、包装前又は包装後の期間にわたって不活性ガスを製品に吹き込むことによって、不活性ガスでパージされてもよい。
【００９８】
本発明のロイコ組成物、又は更には安定していない物質が内在する任意の容器では、物質によって占められる容器容積の割合は、少なくとも５０％、より好ましくは８０％、更により好ましくは９０％又は更には９５％であるべきであり、これは次に、周囲空気、不活性ガス、又はこれらの混合物のいずれかによって占有されるヘッドスペースを構成する容積を制限する。容器内の全てのヘッドスペースを実質的に排除する出荷容器を使用することができる。これらは、ほとんどの場合、約１トン以上の大量出荷に使用される。貯蔵容器が剛性の外側構造内に収容されたポリマーブラダーであるＦｌｅｘｉｔａｎｋ（例えば、Ｓｉａ；ｓｉａｆｌｅｘｉｔａｎｋｓ．ｃｏｍを参照）を使用することができる。ブラダーは、ロードアウトプロセスを開始して効果的に排気され、ブラダーの低点で弁を介して物質が導入される。ブラダーが充填されると、それは外向きに膨張し、ヘッドスペースをほとんど残さない。ピストントラック（例えば、Ｐｉｓｔｏｎ  Ｔａｎｋ  Ｃｏｒｐｏｒａｔｉｏｎ；ｐｉｓｔｏｎｔａｎｋ．ｃｏｍを参照）もまた好適であり得る。これらのトラックは、ピストンポンプのように設計されている。ロードアウトプロセスが開始されると、トラックの後部の弁を介して物質が充填され、物質はピストンを前部に押して、この場合も同様にヘッドスペースが事実上ない状態になる。アンロード中、ピストンがトラックの後部に押し戻されて物質を完全にアンロードする。酸素に敏感な物質の場合、容器中に存在する酸素の量を制限することにより、ロイコ化合物の第２の着色状態への変換が遅くなる。更に、物質とヘッドスペースとの間の境界面の表面積を最小限に抑える容器設計が概して好ましい。このことにより、容器内の物質の移動を制限する手段によって物質を出荷することは、時間平均表面積を減少させ、物質、特に安定性に幾分欠けるロイコ化合物を含む物質の安定性の増大に寄与し得る。
【００９９】
上記のように、本発明の物質は、気候制御なしに貯蔵及び輸送するのに十分に安定であり、ここで、温度は、気候及び場所に応じて−４０℃〜６０℃の範囲となり得る。しかしながら、より低い温度が好ましい。化学物質の貯蔵及び輸送に好適な温度範囲は、−３０℃〜６０℃、より好ましくは−１０℃〜５０℃、最も好ましくは０℃〜３５℃である。
【０１００】
容器内の酸素欠乏雰囲気を維持するために、フィルム、サッシェ内の酸素捕捉剤などの製品の更なる保護、又はパッケージング材料に直接組み込むことによる製品の更なる保護を使用してもよい。
【０１０１】
ロイコ組成物が、本明細書に上記されるように洗濯ケア組成物に組み込まれる前に変換されるのを最小限に抑えるために使用される予防剤のいずれかは、ロイコ組成物を含む洗濯ケア組成物の貯蔵及び出荷に同様に適用され得る。
【０１０２】
上記のロイコ化合物及びロイコ組成物は、例えば家庭用洗濯プロセスにおける織物材料の処理に使用するのに好適であると考えられる。具体的には、ロイコ化合物は、ロイコ化合物の性質に起因して、織物材料の繊維上に付着すると考えられる。更に、織物材料上に付着したら、ロイコ化合物をその有色形態に変換する適切な化学的又は物理的なトリガを適用することによって、ロイコ化合物を有色化合物に変換することができる。例えば、ロイコ化合物が酸化化合物に酸化された際、ロイコ化合物はその有色形態に変換され得る。適切なロイコ部分を選択することによって、ロイコ化合物がその有色形態に変換されたときに所望の色相を織物材料に付与するようにロイコ化合物を設計することができる。例えば、その有色形態に変換された際に青色の色相を呈するロイコ化合物を使用して、時間の経過及び／又は洗濯の繰り返しによって通常生じる織物材料の黄変を相殺することができる。したがって、他の実施形態では、本発明は、上記のロイコ化合物を含む洗濯ケア組成物及び家庭で織物材料を処理する方法（例えば、洗濯又は衣類の物品を洗浄する方法）を提供する。
【０１０３】
好ましくは、ロイコ化合物は、その第２の色状態に変換されたとき、２１０〜３４５の相対色相角、又は更には２４０〜３２０の相対色相角、又は更には２５０〜３００（例えば、２５０〜２９０）の相対色相角を有する色相を布地に与える。相対色相角は、当該技術分野において既知の任意の好適な方法によって求めることができる。しかしながら、好ましくは、相対色相角は、ロイコ実体が全く存在しない綿布と比べて、ロイコ実体の綿布への付着に関して本明細書で更に詳細に記載されるように決定することができる。
【０１０４】
上記のように、第２の実施形態では、本発明は、本明細書に記載の洗濯ケア成分及びロイコ組成物を含む洗濯ケア組成物を提供する。洗濯ケア組成物は、本明細書に記載される任意の好適なロイコ組成物又はロイコ組成物の組み合わせを含み得る。洗濯ケア組成物は、任意の好適な洗濯ケア成分を含み得る。本発明で使用するのに好適な洗濯ケア成分は、以下に詳細に記載される。
【０１０５】
洗濯ケア成分
洗濯ケア組成物は、いくつかの態様では、全体的に又は部分的に組み込まれ得る他の好適な補助剤を含んでもよい。補助剤は、選択ケア組成物の意図する機能に従って選択され得る。第１の組成物は添加剤を含み得る。いくつかの態様では、複数区画の単位用量物品の場合、添加剤は、第１の組成物とは別の区画に封入される、非第１（例えば第２、第３、第４等）の組成物の一部であってよい。非第１の組成物は、任意の好適な組成物であってよい。非第１の組成物は、固体、液体、分散体、ゲル、ペースト又はこれらの混合物の形態であってよい。単位用量が複数の区画を含む場合、ロイコ着色剤は、１つ、２つ、又は更には全ての区画に添加されてもよく、又は存在してもよい。一実施形態では、ロイコ着色剤をより大きな区画に添加して、より低濃度にし、それによって、潜在的な接触染色に関与するあらゆる問題を最小限に抑えることができる。他方、より小さな体積の区画内において抗酸化剤をロイコ着色剤で濃縮することにより、抗酸化剤の局所濃度を高くすることができ、それによって強化された安定性を提供することができる。したがって、当業者には理解されるように、配合者は、単位用量の所望の特性に従ってロイコ着色剤の位置及び量を選択することができる。
【０１０６】
補助剤
洗濯ケア組成物は、界面活性剤系を含み得る。洗濯ケア組成物は、洗濯ケア組成物の約１重量％〜約８０重量％、又は１重量％〜約６０重量％、好ましくは約５重量％〜約５０重量％、より好ましくは約８重量％〜約４０重量％の界面活性剤系を含み得る。
【０１０７】
界面活性剤：好適な界面活性剤としては、アニオン性界面活性剤、非イオン性界面活性剤、カチオン性界面活性剤、双性界面活性剤及び両性界面活性剤、並びにこれらの混合物が挙げられる。好適な界面活性剤は、直鎖であっても分岐鎖であってもよく、置換されていても置換されていなくてもよく、石油化学物質由来であっても生体物質由来であってもよい。好ましい界面活性剤系は、アニオン性界面活性剤及び非イオン性界面活性剤の両方を、好ましくは９０：１〜１：９０の重量比で含む。場合によっては、アニオン性界面活性剤と非イオン性界面活性剤との重量比は少なくとも１：１であるのが好ましい。しかしながら、この比は１０：１未満であるのが好ましい場合がある。存在する場合、全界面活性剤濃度は好ましくは、本発明の組成物の０．１重量％〜６０重量％、１重量％〜５０重量％又は更には５重量％〜４０重量％である。
【０１０８】
アニオン性界面活性剤：アニオン性界面活性剤としては、その分子構造中に一般に８〜２２個の炭素原子又は一般に８〜１８個の炭素原子を含有する有機疎水性基と、水溶性化合物を形成するために、好ましくはスルホネート、サルフェート、及びカルボキシレートから選択される少なくとも１つの水可溶化基とを含有する表面活性化合物が挙げられるが、これらに限定されない。通常、疎水性基は、Ｃ８〜Ｃ２２アルキル、又はアシル基を含むこととなる。このような界面活性剤は、水溶性塩の形態で用いられ、塩形成カチオンは、通常、ナトリウム、カリウム、アンモニウム、マグネシウム及びモノ−から選択され、ナトリウムカチオンが通常選択されるものである。
【０１０９】
本発明のアニオン性界面活性剤及び補助アニオン性補助界面活性剤は酸形態で存在してもよく、当該酸形態を中和して、本洗剤組成物で使用するのに望ましい界面活性剤塩を形成することができる。典型的な中和剤としては、水酸化物、例えば、ＮａＯＨ又はＫＯＨなどの金属対イオン塩基が挙げられる。酸形態の本発明のアニオン性界面活性剤及び補助アニオン性界面活性剤又は補助界面活性剤を中和するための更に好ましい中和剤としては、アンモニア、アミン、オリゴアミン、又はアルカノールアミンが挙げられる。アルカノールアミンが好ましい。好適な非限定的な例としては、モノエタノールアミン、ジエタノールアミン、トリエタノールアミン、及び当該技術分野で既知の他の直鎖状若しくは分岐鎖状アルカノールアミンが挙げられ、例えば、かなり好ましいアルカノールアミンとしては、２−アミノ−１−プロパノール、１−アミノプロパノール、モノイソプロパノールアミン、又は１−アミノ−３−プロパノールが挙げられる。アミン中和は完全又は部分的に行われてもよく、例えばアニオン性界面活性剤の一部はナトリウム又はカリウムにより中和されてもよく、及びアニオン性界面活性剤の一部はアミン又はアルカノールアミンにより中和されてもよい。
【０１１０】
好適なスルホネート界面活性剤としては、メチルエステルスルホネート、αオレフィンスルホネート、アルキルベンゼンスルホネート、特にアルキルベンゼンスルホネート、好ましくはＣ１０〜１３アルキルベンゼンスルホネートが挙げられる。好適なアルキルベンゼンスルホネート（ＬＡＳ）は、市販の直鎖アルキルベンゼン（ＬＡＢ）をスルホン化することによって得ることができる、好ましくは得られる。好適なＬＡＢとしては、Ｓａｓｏｌによって商標名Ｉｓｏｃｈｅｍ（登録商標）として供給されているもの又はＰｅｔｒｅｓａによって商標名Ｐｅｔｒｅｌａｂ（登録商標）として供給されているものなどの低２−フェニルＬＡＢが挙げられ、他の好適なＬＡＢとしては、Ｓａｓｏｌによって商標名Ｈｙｂｌｅｎｅ（登録商標）として供給されているものなどの高２−フェニルＬＡＢが挙げられる。好適なアニオン性界面活性剤は、ＤＥＴＡＬ触媒方法によって得られるアルキルベンゼンスルホネートであるが、ＨＦなどの他の合成経路が好適な場合もある。一態様では、ＬＡＳのマグネシウム塩を用いる。
【０１１１】
好適なサルフェート界面活性剤としては、アルキルサルフェート、好ましくはＣ８〜１８アルキルサルフェート、又は主にＣ１２アルキルサルフェートが挙げられる。
【０１１２】
好ましいサルフェート界面活性剤は、アルキルアルコキシル化サルフェート、好ましくはアルキルエトキシル化サルフェート、好ましくはＣ８〜１８アルキルアルコキシル化サルフェート、好ましくはＣ８〜１８アルキルエトキシル化サルフェートであり、好ましくは、アルキルアルコキシル化サルフェートは、０．５〜２０、好ましくは０．５〜１０の平均アルコキシル化度を有し、好ましくは、アルキルアルコキシル化サルフェートは、０．５〜１０、好ましくは０．５〜５、より好ましくは０．５〜３の平均エトキシル化度を有するＣ８〜１８アルキルエトキシル化サルフェートである。アルキルアルコキシル化サルフェートは、ブロードなアルコキシ分布又はピークのあるアルコキシ分布を有し得る。
【０１１３】
アルキルサルフェート、アルキルアルコキシル化サルフェート及びアルキルベンゼンスルホネートは、直鎖であっても分岐鎖であってよく（２アルキル置換又は中鎖分岐型を含む）、置換されていても置換されていなくてもよく、石油化学物質由来であっても生体物質由来であってもよい。好ましくは、分枝基はアルキルである。典型的には、アルキルは、メチル、エチル、プロピル、ブチル、ペンチル、環状アルキル基及びこれらの混合物から選択される。単一又は複数のアルキル分枝が、本発明の洗剤で使用されるサルフェート化アニオン性界面活性剤を作製するために使用される出発アルコールのヒドロカルビル主鎖に存在することができる。最も好ましくは、分枝状サルフェート化アニオン性界面活性剤は、アルキルサルフェート、アルキルエトキシサルフェート、及びこれらの混合物から選択される。
【０１１４】
アルキルサルフェート及びアルキルアルコキシサルフェートは、様々な鎖長、エトキシル化度及び分枝化度で市販されている。市販されているサルフェートとしては、Ｓｈｅｌｌ社製のＮｅｏｄｏｌアルコール、Ｓａｓｏｌ社製のＬｉａｌ−Ｉｓａｌｃｈｅｍｌ及びＳａｆｏｌ、Ｐｒｏｃｔｅｒ  ＆  Ｇａｍｂｌｅ  Ｃｈｅｍｉｃａｌｓ社製の天然アルコールをベースにしたものが挙げられる。
【０１１５】
他の好適なアニオン性界面活性剤としては、Ｃ１０〜Ｃ２６直鎖又は分岐鎖、好ましくはＣ１０〜Ｃ２０直鎖、最も好ましくはＣ１６〜Ｃ１８直鎖アルキルアルコール、及び２〜２０、好ましくは７〜１３、より好ましくは８〜１２、最も好ましくは９．５〜１０．５エトキシレートを含む、アルキルエーテルカルボキシレートが挙げられる。酸形態又はナトリウム若しくはアンモニウムの塩などの塩形態を使用してよく、アルキル鎖は、１つのシス又はトランス二重結合を含有していてもよい。アルキルエーテルカルボン酸は、花王（Ａｋｙｐｏ（登録商標））、Ｈｕｎｔｓｍａｎ（Ｅｍｐｉｃｏｌ（登録商標））及びＣｌａｒｉａｎｔ（Ｅｍｕｌｓｏｇｅｎ（登録商標））から入手可能である。
【０１１６】
非イオン性界面活性剤：好適な非イオン性界面活性剤は、Ｃ８〜Ｃ１８アルキルエトキシレート、例えば、Ｓｈｅｌｌ製のＮＥＯＤＯＬ（登録商標）非イオン界面活性剤；Ｃ６〜Ｃ１２アルキルフェノールアルコキシレート（好ましくは、このアルコキシレート単位は、エチレンオキシ単位、プロピレンオキシ単位又はこれらの混合物である）；エチレンオキシド／プロピレンオキシドブロックポリマーとの、Ｃ１２〜Ｃ１８アルコール及びＣ６〜Ｃ１２アルキルフェノール縮合物（例えば、ＢＡＳＦ製のＰｌｕｒｏｎｉｃ（登録商標）；アルキル多糖類、好ましくはアルキルポリグリコシド；メチルエステルエトキシレート；ポリヒドロキシ脂肪酸アミド；エーテル保護ポリ（オキシアルキル化）アルコール界面活性剤及びこれらの混合物からなる群から選択される。
【０１１７】
好適な非イオン性界面活性剤は、アルキルポリグルコシド及び／又はアルキルアルコキシル化アルコールである。
【０１１８】
好適な非イオン性界面活性剤としては、アルキルアルコキシル化アルコール、好ましくはＣ８〜１８アルキルアルコキシル化アルコール、好ましくはＣ８〜１８アルキルエトキシル化アルコールが挙げられ、好ましくはアルキルアルコキシル化アルコールは、１〜５０、好ましくは１〜３０、又は１〜２０、又は１〜１０の平均アルコキシル化度を有し、好ましくは、アルキルアルコキシル化アルコールは、１〜１０、好ましくは１〜７、より好ましくは１〜５、最も好ましくは３〜７の平均エトキシル化度を有するＣ８〜１８アルキルエトキシル化アルコールである。一態様では、アルキルアルコキシル化アルコールは、７〜１０の平均エトキシル化度を有するＣ１２〜１５アルキルエトキシル化アルコールである。アルキルアルコキシル化アルコールは、直鎖であっても分岐鎖であってもよく、置換されていても非置換であってもよい。好適な非イオン性界面活性剤としては、ＢＡＳＦ製の商標名Ｌｕｔｅｎｓｏｌ（登録商標）を有するものが挙げられる。
【０１１９】
カチオン性界面活性剤：好適なカチオン性界面活性剤としては、アルキルピリジニウム化合物、アルキル四級アンモニウム化合物、アルキル四級ホスホニウム化合物、アルキル三級スルホニウム化合物、及びこれらの混合物が挙げられる。
【０１２０】
好適なカチオン性界面活性剤は、以下の一般式を有する四級アンモニウム化合物である：
（Ｒ）（Ｒ１）（Ｒ２）（Ｒ３）Ｎ＋Ｘ−
（式中、Ｒは直鎖又は分岐鎖、置換又は非置換Ｃ６〜１８アルキル又はアルケニル部分であり、Ｒ１及びＲ２は、独立して、メチル又はエチル部分から選択され、Ｒ３はヒドロキシ、ヒドロキシメチル、又はヒドロキシエチル部分であり、Ｘは電荷の中性を提供するアニオンであり、好ましいアニオンとしては、ハライド、好ましくはクロリド、サルフェート、及びスルホネートが挙げられる）。
【０１２１】
本発明の布地ケア組成物は、組成物の最大約３０重量％、あるいは約０．０１重量％〜約２０重量％、あるいは約０．１重量％〜約２０重量％のカチオン性界面活性剤を含有することができる。本発明の目的に対して、カチオン性界面活性剤には、布地ケア効果をもたらすことができるものが挙げられる。有用なカチオン性界面活性剤の非限定的な例としては、脂肪族アミン、イミダゾリン四級物質及び四級アンモニウム界面活性剤が挙げられ、好ましくは、Ｎ，Ｎ−ビス（ステアロイル−オキシ−エチル）Ｎ，Ｎ−ジメチルアンモニウムクロリド、Ｎ，Ｎ−ビス（タロイル−オキシ−エチル）Ｎ，Ｎ−ジメチルアンモニウムクロリド、Ｎ，Ｎ−ビス（ステアロイル−オキシ−エチル）Ｎ−（２ヒドロキシエチル）Ｎ−メチルアンモニウムメチルサルフェート；１，２ジ（ステアロイル−オキシ）３トリメチルアンモニウムプロパンクロリド；ジカノーラジメチルアンモニウムクロリド、ジ（ハード）タロージメチルアンモニウムクロリド、ジカノーラジメチルアンモニウムメチルサルフェートなどのジアルキレンジメチルアンモニウム塩；１−メチル−１−ステアロイルアミドエチル−２−ステアロイルイミダゾリニウムメチルサルフェート；１−タロイルアミドエチル−２−タロイルイミダゾリン；Ｎ，Ｎ”−ジアルキルジエチレントリアミン；脂肪酸が、（水素添加）タロー脂肪酸、パーム脂肪酸、水素添加パーム脂肪酸、オレイン酸、菜種脂肪酸、水素添菜種脂肪酸である脂肪酸でエステル化されたＮ−（２−ヒドロキシエチル）−１，２−エチレンジアミン又はＮ−（２−ヒドロキシイソプロピル）−１，２−エチレンジアミンとグリコール酸との反応生成物；ポリグリセロールエステル（ＰＧＥ）、油状糖誘導体及びワックスエマルジョン並びに上記の混合物である。
【０１２２】
上記に開示されている柔軟剤活性物質の組み合わせが、本明細書で使用するのに好適であることが理解されよう。
【０１２３】
両性及び双性界面活性剤：好適な両性又は双性界面活性剤としては、アミンオキシド及び／又はベタインが挙げられる。好ましいアミンオキシドは、アルキルジメチルアミンオキシド又はアルキルアミドプロピルジメチルアミンオキシド、より好ましくはアルキルジメチルアミンオキシド、特にココジメチルアミンオキシドである。アミンオキシドは、直鎖又は中鎖分枝状アルキル部分を有し得る。典型的な直鎖アミンオキシドとしては、１つのＲ１  Ｃ８〜１８アルキル部分と、Ｃ１〜３アルキル基及びＣ１〜３ヒドロキシアルキル基からなる群から選択される２つのＲ２及びＲ３部分とを含有する水溶性アミンオキシドが挙げられる。好ましくは、アミンオキシドは、式Ｒ１−Ｎ（Ｒ２）（Ｒ３）Ｏ（式中、Ｒ１はＣ８〜１８アルキルであり、Ｒ２及びＲ３は、メチル、エチル、プロピル、イソプロピル、２−ヒドロキシエチル、２−ヒドロキシプロピル及び３−ヒドロキシプロピルからなる群から選択される）により特徴付けられる。直鎖アミンオキシド界面活性剤としては、特に、直鎖Ｃ１０〜Ｃ１８アルキルジメチルアミンオキシド及び直鎖Ｃ８〜Ｃ１２アルコキシエチルジヒドロキシエチルアミンオキシドを挙げることができる。
【０１２４】
他の好適な界面活性剤としては、アルキルベタイン、アルキルアミドベタイン、アミドアゾリニウムベタイン、スルホベタイン（ＩＮＣＩスルタイン）、及びホスホベタインなどのベタインが挙げられる。
【０１２５】
ロイコ着色剤希釈剤
ロイコ着色剤組成物中の成分の別の分類は、希釈剤及び／又は溶媒であり得る。希釈剤及び／又は溶媒の目的は、多くの場合、流動性を改善する、及び／又はロイコ着色剤の粘度を低下させることであるが、これらに限定されない。多くの場合、その低コスト及び非毒性を考慮して、水が好ましい希釈剤及び／又は溶媒であるが、他の溶媒も同様に使用され得る。好ましい溶媒は、コストが低くかつ危険性が低いものである。好適な溶媒の例としては、エチレングリコール、プロピレングリコール、グリセリン、ポリエチレングリコール、ポリプロピレングリコールなどのアルコキシル化ポリマー、エチレンオキシドとプロピレンオキシドとのコポリマー、Ｔｗｅｅｎ２０（登録商標）、Ｔｗｅｅｎ４０（登録商標）、Ｔｗｅｅｎ８０（登録商標）など、及びこれらの組み合わせが挙げられるが、これらに限定されない。ポリマーの中でも、エチレンオキシドとプロピレンオキシドとのコポリマーが好ましい場合がある。これらポリマーは、多くの場合、水による曇点を特徴とし、これは、生成物を水から分離して、望ましくない水溶性不純物を除去するのに役立ち得る。エチレンオキシドとプロピレンオキシドとのコポリマーの例としては、ＢＡＳＦによるＰＬＵＲＯＮＩＣシリーズのポリマー及びＤｏｗによるＴＥＲＧＩＴＯＬ（商標）シリーズのポリマーが挙げられるが、これらに限定されない。ロイコ着色剤組成物が洗濯ケア組成物に組み込まれたとき、これらポリマーは、非イオン性界面活性剤としても作用し得る。
【０１２６】
本明細書に記載される洗濯ケア組成物は、以下の成分の非限定的なリストのうちの１つ以上を含んでいてもよい：布地ケア有益剤；洗浄性酵素；沈着助剤；レオロジー変性剤；ビルダー；キレート剤；ブリーチ；漂白剤（bleaching agent）；漂白剤前駆体；漂白促進剤；漂白触媒；香料及び／又は香料マイクロカプセル；香料充填ゼオライト；デンプン封入アコード；ポリグリセロールエステル；白化剤；真珠光沢剤；酵素安定化系；アニオン性染料の定着剤を含む除去薬、アニオン性界面活性剤の錯化剤、及びこれらの混合物；光学増白剤又は蛍光剤；汚れ遊離ポリマー及び／又は汚れ懸濁ポリマーを含むがこれらに限定されないポリマー；分散剤；消泡剤；非水性溶媒；脂肪酸；泡抑制剤、例えばシリコーン泡抑制剤；カチオン性デンプン；スカム分散剤；直接染料；着色剤；乳白剤；抗酸化剤；トルエンスルホネート、クメンスルホネート及びナフタレンスルホネートなどのヒドロトロープ；色斑；着色ビーズ、球体、又は押出物；泥柔軟化剤；抗菌剤。追加的又は代替的に、組成物は、界面活性剤、四級アンモニウム化合物、及び／又は溶剤系を含んでもよい。四級アンモニウム化合物は、布地柔軟剤などの布地強化剤組成物中に存在してもよく、構造ＮＲ４＋の正に荷電された多原子イオンである四級アンモニウムカチオンを含み、Ｒは、アルキル基又はアリール基である。
【０１２７】
色調染料
当該組成物は、追加の布地シェーディング剤を含み得る。好適な布地シェーディング剤としては、染料、染料−粘土複合体、及び顔料が挙げられる。好適な染料としては、小分子染料及びポリマー染料が挙げられる。好適な小分子染料としては、ダイレクトブルー、ダイレクトレッド、ダイレクトバイオレット、アシッドブルー、アッシドレッド、アッシドバイオレット、ベーシックブルー、ベーシックバイオレット及びベーシックレッド、又はこれらの混合物のカラーインデックス（Colour Index、Ｃ．Ｉ．）分類に区分される染料からなる群から選択される小分子染料が挙げられる。好ましい染料としては、アルコキシル化アゾチオフェン、ソルベントバイオレット１３、アシッドバイオレット５０及びダイレクトバイオレット９が挙げられる。
【０１２８】
審美着色剤。当該組成物は、１つ以上の審美着色剤を含み得る。好適な審美着色剤としては、染料、染料−粘土複合体、顔料、及びＬｉｑｕｉｔｉｎｔ（登録商標）ポリマー着色剤（Ｍｉｌｌｉｋｅｎ＆Ｃｏｍｐａｎｙ（Ｓｐａｒｔａｎｂｕｒｇ，Ｓｏｕｔｈ  Ｃａｒｏｌｉｎａ，ＵＳＡ））が挙げられる。一態様では、好適な染料及び顔料としては、小分子染料及びポリマー染料が挙げられる。審美着色剤は、アクリジン、アントラキノン、アジン、アゾ、ベンゾジフラン、ベンゾジフラノン、カロテノイド、クマリン、シアニン、ジアザヘミシアニン、ジフェニルメタン、ホルマザン、ヘミシアニン、インジゴイド、メタン、メチン、ナフタルイミド、ナフトキノン、ニトロ、ニトロソ、オキサジン、フェノチアジン、フタロシアニン（例えば、銅フタロシアニン）、ピラゾール、ピラゾロン、キノロン、スチルベン、スチリル、トリアリールメタン（例えば、トリフェニルメタン）、キサンテン、及びこれらの混合物からなる群から選択される少なくとも１つの発色団成分を含み得る。
【０１２９】
本発明の一態様では、審美着色剤としては、Ｌｉｑｕｉｔｉｎｔ（登録商標）ブルーＡＨ、Ｌｉｑｕｉｔｉｎｔ（登録商標）ブルーＢＢ、Ｌｉｑｕｉｔｉｎｔ（登録商標）ブルー２７５、Ｌｉｑｕｉｔｉｎｔ（登録商標）ブルー２９７、Ｌｉｑｕｉｔｉｎｔ（登録商標）ブルーＢＢ、シアン１５、Ｌｉｑｕｉｔｉｎｔ（登録商標）グリーン１０１、Ｌｉｑｕｉｔｉｎｔ（登録商標）オレンジ２７２、Ｌｉｑｕｉｔｉｎｔ（登録商標）オレンジ２５５、Ｌｉｑｕｉｔｉｎｔ（登録商標）ピンクＡＭ、Ｌｉｑｕｉｔｉｎｔ（登録商標）ピンクＡＭＣ、Ｌｉｑｕｉｔｉｎｔ（登録商標）ピンクＳＴ、Ｌｉｑｕｉｔｉｎｔ（登録商標）バイオレット１２９、Ｌｉｑｕｉｔｉｎｔ（登録商標）バイオレットＬＳ、Ｌｉｑｕｉｔｉｎｔ（登録商標）バイオレット２９１、Ｌｉｑｕｉｔｉｎｔ（登録商標）イエローＦＴ、Ｌｉｑｕｉｔｉｎｔ（登録商標）ブルーＢｕｆ、Ｌｉｑｕｉｔｉｎｔ（登録商標）ピンクＡＭ、Ｌｉｑｕｉｔｉｎｔ（登録商標）ピンクＰＶ、アシッドブルー８０、アシッドブルー１８２、アシッドレッド３３、アシッドレッド５２、アシッドバイオレット４８、アシッドバイオレット１２６、アシッドブルー９、アシッドブルー１、及びこれらの混合物が挙げられる。
【０１３０】
封入物。当該組成物は、封入された材料を含み得る。一態様では、封入物は、コアと、内面及び外面を有するシェルと、を含み、当該シェルは、当該コアを封入化する。コアは、あらゆる洗濯ケア助剤を含むことができるが、典型的には、コアは、香料；増白剤；色調染料；防虫剤；シリコーン；ワックス；着香剤；ビタミン；布地柔軟化剤；スキンケア剤、一態様では、パラフィン；酵素；抗菌剤；ブリーチ；感覚剤；及びこれらの混合物からなる群から選択される材料を含んでもよく、当該シェルは、ポリエチレン；ポリアミド、任意に他のコ−モノマーを含有するポリビニルアルコール；ポリスチレン；ポリイソプレン；ポリカルボネート；ポリエステル；ポリアクリレート；アミノプラスト（一態様では、当該アミノプラストは、ポリ尿素、ポリウレタン、及び／又はポリ尿素ウレタンを含んでもよく、一態様では、当該ポリ尿素は、ポリオキシメチレン尿素及び／又はメラミンホルムアルデヒドを含んでもよい）；ポリオレフィン；多糖類、（一態様では、当該多糖類は、アルギネート及び／又はキトサンを含んでもよい）；ゼラチン；セラック；エポキシ樹脂；ビニルポリマー；水不溶性無機材料；シリコーン；並びにこれらの混合物からなる群から選択される材料を含んでもよい。
【０１３１】
好ましい封入物は、香料を含む。好ましい封入物は、メラミンホルムアルデヒド及び／又は架橋メラミンホルムアルデヒドを含んでいてもよいシェルを含む。他の好ましいカプセルは、ポリアクリレート系シェルを含む。好ましい封入物は、コア材とシェルとを含み、当該シェルは、当該コア材を少なくとも部分的に取り囲むことが開示されている。当該封入物の少なくとも７５％、８５％、又は更には９０％は、０．２ＭＰａ〜１０ＭＰａの破壊強度、及び封入化された有益剤の初期総量に基づいて０％〜２０％、又は更には１０％若しくは５％未満の有益剤漏出率を有し得る。当該封入物の少なくとも７５％、８５％、若しくは更には９０％が、（ｉ）１マイクロメートル〜８０マイクロメートル、５マイクロメートル〜６０マイクロメートル、１０マイクロメートル〜５０マイクロメートル、若しくは更には１５マイクロメートル〜４０マイクロメートルの粒径を有し得、及び／又は（ｉｉ）当該封入物の少なくとも７５％、８５％、若しくは更には９０％が、３０ｎｍ〜２５０ｎｍ、８０ｎｍ〜１８０ｎｍ、又は更には１００ｎｍ〜１６０ｎｍの粒子壁厚を有し得るものが好ましい。ホルムアルデヒド捕捉剤は、封入物と共に、例えばカプセルスラリー中で用いてよく、及び／又は封入物を組成物に添加する前、添加している間、若しくは添加した後にこのような組成物に添加してよい。好適なカプセルは、米国特許出願公開第２００８／０３０５９８２（Ａ１）号及び／又は同第２００９／０２４７４４９（Ａ１）号の教示に従って作製することができる。あるいは、好適なカプセルは、Ａｐｐｌｅｔｏｎ  Ｐａｐｅｒｓ  Ｉｎｃ．（Ａｐｐｌｅｔｏｎ，Ｗｉｓｃｏｎｓｉｎ  ＵＳＡ）から購入することができる。
【０１３２】
好ましい態様では、組成物は、好ましくは封入物に加えて、付着助剤を含んでもよい。好ましい付着助剤は、カチオン性及び非イオン性ポリマーからなる群から選択される。好適なポリマーとしては、カチオン性デンプン、カチオン性ヒドロキシエチルセルロース、ポリビニルホルムアルデヒド、ローカストビーンガム、マンナン、キシログルカン、タマリンドガム、ポリエチレンテレフタレート、並びに任意にアクリル酸及びアクリルアミドを含む群から選択される１つ以上のモノマーと共にジメチルアミノエチルメタクリレートを含有するポリマーが挙げられる。
【０１３３】
香料。本発明の好ましい組成物は、香料を含む。典型的には、組成物は、国際公開第０８／８７４９７号に記載されているような群から選択される１つ以上の香料原材料を含む香料を含む。しかしながら、洗濯ケア組成物において有用な任意の香料を用いてよい。香料を本発明の組成物に組み込む好ましい方法は、水溶性ヒドロキシル化合物、又はメラミン−ホルムアルデヒド又は変性ポリビニルアルコールのいずれかを含む封入化香料粒子を介するものである。
【０１３４】
悪臭低減材料
本開示の洗浄組成物は、悪臭低減材料を含み得る。このような材料は、１種類以上の悪臭の知覚を減らすか、又は更には知覚しなくすることができる。これら材料は、計算された悪臭低減値（「ＭＯＲＶ」）によって特徴付けることができ、ＭＯＲＶは国際公開第２０１６／０４９３８９号に示されている試験方法に従って計算される。
【０１３５】
本明細書で使用するとき、「ＭＯＲＶ」は、目的材料について計算された悪臭低減値である。材料のＭＯＲＶは、このような材料が、１種類以上の悪臭の知覚を減らすか、又は更には知覚しなくする能力を示す。
【０１３６】
本開示の洗浄組成物は、総量が組成物の約０．０００２５重量％〜約０．５重量％、好ましくは約０．００２５重量％〜約０．１重量％、より好ましくは約０．００５重量％〜約０．０７５重量％、最も好ましくは約０．０１重量％〜約０．０５重量％の１種類以上の悪臭低減材料を含み得る。洗浄組成物は、約１〜約２０種類の悪臭低減材料、より好ましくは１〜約１５種類の悪臭低減材料、最も好ましくは１〜約１０種類の悪臭低減材料を含み得る。
【０１３７】
悪臭低減材料のうちの１種類、数種類、又は各種類は、少なくとも０．５、好ましくは０．５〜１０、より好ましくは１〜１０、最も好ましくは１〜５のＭＯＲＶを有し得る。悪臭低減材料のうちの１種類、数種類、又は各種類は、本明細書に記載するように試験した悪臭の全てのＭＯＲＶ値が＞０．５と特定される、ユニバーサルＭＯＲＶを有し得る。悪臭低減材料の総量は、３未満、より好ましくは約２．５未満、更により好ましくは約２未満、また更により好ましくは約１未満、最も好ましくは約０のブロッカー指数を有し得る。悪臭低減材料の総量は、約３〜約０．００１のブロッカー指数の平均を有し得る。
【０１３８】
本開示の洗浄組成物では、悪臭低減材料は、３未満、好ましくは２未満、より好ましくは１未満、最も好ましくは約０の芳香忠実度指数（Fragrance Fidelity Index）を有し、かつ／又は芳香忠実度指数の平均が３〜約０．００１の芳香忠実度指数であってよい。芳香忠実度指数が増加するにつれて、悪臭低減材料（単数又は複数）は、悪臭を弱め続けながら、もたらす香気効果が次第に小さくなる。
【０１３９】
本開示の洗浄組成物は、香料を含み得る。悪臭低減組成物と香料の部との重量比は、約１：２０，０００〜約３０００：１、好ましくは約１：１０，０００〜約１，０００：１、より好ましくは約５，０００：１〜約５００：１、最も好ましくは約１：１５〜約１：１．であってもよい。悪臭低減組成物と香水の部との比を狭めると、悪臭低減材料（単数又は複数）は、悪臭を弱め続けながら、もたらす香気効果が次第に小さくなる。
【０１４０】
タンニン
本開示の洗浄組成物は、タンニンを含み得る。タンニンは高等植物のポリフェノール二次代謝産物であり、タンニンはガロイル部分又はこれらの誘導体が種々のポリオール−、カテキン−及びトリテルペノイド核に結合している（ガロタンニン、エラジタンニン及び複合タンニン）ガロイルエステル並びにそれらの誘導体のいずれかであり、又はタンニンはフラバニル間結合及び置換パターン（縮合タンニン）を備え得るオリゴマーのプロアントシアニジン及びポリマーのプロアントシアニジンである。本開示の洗浄組成物は、ガロタンニン、エラジタンニン、複合タンニン、縮合タンニン、及びこれらの組み合わせからなる群から選択されるタンニンを含み得る。
【０１４１】
ポリマー。当該組成物は１つ以上のポリマーを含んでよい。例には、任意に変性されたカルボキシメチルセルロース、ポリ（ビニルピロリドン）、ポリ（エチレングリコール）、ポリ（ビニルアルコール）、ポリ（ビニルピリジン−Ｎ−オキシド）、ポリ（ビニルイミダゾール）、ポリアクリレートなどのポリカルボキシレート、マレイン酸／アクリル酸コポリマー及びラウリルメタクリレート／アクリル酸コポリマーがある。
【０１４２】
当該組成物は、１つ以上の両親媒性洗浄ポリマーを含み得る。このようなポリマーは、布地及び表面からグリース粒子を除去するように、親水性及び疎水性の特性が釣り合っている。好適な両親媒性アルコキシル化グリース洗浄ポリマーは、コア構造と、そのコア構造に結合した複数のアルコキシレート基とを含む。これらは、アルコキシル化ポリアルキレンイミン、特に、エトキシル化ポリエチレンイミン、又は内側ポリエチレンオキシドブロック及び外側ポリプロピレンオキシドブロックを有するポリエチレンイミンを含み得る。典型的には、これらは、０．００５〜１０重量％、一般的には０．５〜８重量％の量で本発明の組成物に組み込まれ得る。
【０１４３】
当該組成物は、修飾されたヘキサメチレンジアミンを含み得る。ヘキサメチレンジアミンの修飾としては、以下が挙げられる。（１）ヘキサメチレンジアミンの窒素原子１つ当たり１つ又は２つのアルコキシル化修飾。アルコキシル化修飾は、ヘキサメンチレンジアミンの窒素上の水素原子を、修飾１つ当たり平均約１〜約４０個のアルコキシ部分を有する（ポリ）アルコキシレン鎖で置換することからなり、アルコキシレン鎖の末端アルコキシ部分は、水素、Ｃ１〜Ｃ４アルキル、サルフェート、カルボネート、若しくはこれらの混合物で保護されている。（２）ヘキサメンチレンジアミンの窒素原子１つ当たり１つのＣ１〜Ｃ４アルキル部分の置換及び１つ若しくは２つのアルコキシル化修飾。アルコキシル化修飾は、水素原子を、修飾１つ当たり平均約１〜約４０個のアルコキシ部分を有する（ポリ）アルコキシレン鎖で置換することからなり、アルコキシレン鎖の末端アルコキシ部分は、水素、Ｃ１〜Ｃ４アルキル若しくはこれらの混合物で保護されている。又は、（３）これらの組み合わせ。
【０１４４】
ポリアクリレートから調製されるものなどのアルコキシル化ポリカルボキシレートは、本明細書において、追加のグリース除去性能を提供するのに有用である。そのような材料は、国際公開第９１／０８２８１号及び国際出願第ＰＣＴ９０／０１８１５号に記載されている。化学的に、これら材料は、７〜８つのアクリレート単位ごとに１つのエトキシ側鎖を有するポリアクリレートを含む。側鎖は、式−（ＣＨ２ＣＨ２Ｏ）ｍ（ＣＨ２）ｎＣＨ３［式中、ｍは、２〜３であり、ｎは、６〜１２である］のものである。側鎖は、ポリアクリレート「主鎖」にエステル結合され、「櫛形」ポリマー型構造を提供する。分子量は変動し得るが、典型的には、約２０００〜約５０，０００の範囲内である。このようなアルコキシル化ポリカルボキシレートは、本明細書における組成物の約０．０５重量％〜約１０重量％含まれ得る。
【０１４５】
別の好適なカルボキシレートポリマーは、（ｉ）カルボキシル基を含む１つ以上のモノマーから誘導される５０〜９８重量％未満の構造単位；（ｉｉ）スルホネート部分を含む１つ以上のモノマーから誘導される１重量％から４９重量％未満の構造単位；並びに（ｉｉｉ）式（Ｉ）及び（ＩＩ）によって表されるエーテル結合含有モノマーから選択される１種類以上のモノマーから誘導される１〜４９重量％の構造単位を含む、コポリマーである：
【０１４６】
【化１３】
2020535276.tif 000014
式（Ｉ）中、Ｒ０は、水素原子又はＣＨ３基を表し、Ｒは、ＣＨ２基、ＣＨ２ＣＨ２基又は単結合を表し、Ｘは、０〜５の数を表し、但し、Ｘは、Ｒが単結合である場合、１〜５の数を表し、Ｒ１は、水素原子又はＣ１〜Ｃ２０有機基であり、
【０１４７】
【化１４】
2020535276.tif 000015
式（ＩＩ）中、Ｒ０は、水素原子又はＣＨ３基を表し、Ｒは、ＣＨ２基、ＣＨ２ＣＨ２基又は単結合を表し、Ｘは、０〜５の数を表し、Ｒ１は、水素原子又はＣ１〜Ｃ２０有機基である。
【０１４８】
ポリマーは、少なくとも５０ｋＤａ、又は更には少なくとも７０ｋＤａの重量平均分子量を有することが好ましい場合がある。
【０１４９】
他の好適なポリマーとしては、両親媒性グラフトコポリマーが挙げられる。好ましい両親媒性グラフトコポリマー（単数又は複数）は、（ｉ）ポリエチレングリコール主鎖と、（ｉｉ）ポリビニルアセテート、ポリビニルアルコール及びこれらの混合物から選択される少なくとも１つのペンダント部分とを含む。好ましい両親媒性グラフトコポリマーは、ＢＡＳＦから供給されているＳｏｋａｌａｎ  ＨＰ２２である。他の好適なポリマーとしては、ランダムグラフトコポリマー、好ましくは、ポリエチレンオキシド主鎖と複数のポリビニルアセテート側鎖とを有するポリビニルアセテートグラフト化ポリエチレンオキシドコポリマーが挙げられる。当該ポリエチレンオキシド主鎖の分子量は好ましくは約６０００であり、ポリエチレンオキシドのポリビニルアセテートに対する重量比は約４０〜６０であり、グラフト点は、エチレンオキシド単位５０個当たり１個以下である。典型的には、これらは、０．００５〜１０重量％、より典型的には０．０５〜８重量％の量で本発明の組成物に組み込まれる。
【０１５０】
当該組成物は、１つ以上の汚れ遊離ポリマーを含み得る。例としては、以下の式（ＶＩ）、（ＶＩＩ）又は（ＶＩＩＩ）の１つによって特定される構造を有する汚れ遊離ポリマーが挙げられる：
（ＶＩ）      −［（ＯＣＨＲ１−ＣＨＲ２）ａ−Ｏ−ＯＣ−Ａｒ−ＣＯ−］ｄ
（ＶＩＩ）    −［（ＯＣＨＲ３−ＣＨＲ４）ｂ−Ｏ−ＯＣ−ｓＡｒ−ＣＯ−］ｅ
（ＶＩＩＩ）  −［（ＯＣＨＲ５−ＣＨＲ６）ｃ−ＯＲ７］ｆ
（式中、
ａ、ｂ及びｃは、１〜２００であり、
ｄ、ｅ及びｆは、１〜５０であり、
Ａｒは、１，４−置換フェニレンであり、
ｓＡｒは、５位がＳＯ３Ｍｅで置換されている１，３−置換フェニレンであり、
Ｍｅは、Ｌｉ、Ｋ、Ｍｇ／２、Ｃａ／２、Ａｌ／３、アンモニウム、モノ−、ジ−、トリ−、若しくはテトラ−アルキルアンモニウム（アルキル基は、Ｃ１〜Ｃ１８アルキル又はＣ２〜Ｃ１０ヒドロキシアルキルである）、又はこれらの混合物であり、
Ｒ１、Ｒ２、Ｒ３、Ｒ４、Ｒ５及びＲ６は、独立して、Ｈ、又はＣ１〜Ｃ１８ｎ−若しくはイソ−アルキルから選択され、
Ｒ７は、直鎖若しくは分枝鎖Ｃ１〜Ｃ１８アルキル、又は直鎖若しくは分枝鎖Ｃ２〜Ｃ３０アルケニル、又は５個〜９個の炭素原子を有するシクロアルキル基、又はＣ８〜Ｃ３０アリール基、又はＣ６〜Ｃ３０アリールアルキル基である）。
【０１５１】
好適な汚れ遊離ポリマーは、Ｒｈｏｄｉａによって供給されているＲｅｐｅｌ−ｏ−ｔｅｘ  ＳＦ、ＳＦ−２及びＳＲＰ６を含むＲｅｐｅｌ−ｏ−ｔｅｘポリマーなどのポリエステル汚れ遊離ポリマーである。他の好適な汚れ遊離ポリマーとしては、Ｃｌａｒｉａｎｔによって供給されているＴｅｘｃａｒｅ  ＳＲＡ１００、ＳＲＡ３００、ＳＲＮ１００、ＳＲＮ１７０、ＳＲＮ２４０、ＳＲＮ３００及びＳＲＮ３２５を含むＴｅｘｃａｒｅポリマーが挙げられる。他の好適な汚れ遊離ポリマーは、Ｓａｓｏｌにより供給されているＭａｒｌｏｑｕｅｓｔポリマー（例えば、Ｍａｒｌｏｑｕｅｓｔ  ＳＬ）である。
【０１５２】
また、当該組成物は、アルキルセルロース、アルキルアルコキシアルキルセルロース、カルボキシアルキルセルロース、アルキルカルボキシアルキルセルロースから選択されるものを含む、１つ以上のセルロースポリマーを含んでいてもよい。好ましいセルロースポリマーは、カルボキシメチルセルロース、メチルセルロース、メチルヒドロキシエチルセルロース、メチルカルボキシメチルセルロース、及びこれらの混合物を含む群から選択される。一態様では、カルボキシメチルセルロースは、０．５〜０．９のカルボキシメチル置換度及び１００，０００Ｄａ〜３００，０００Ｄａの分子量を有する。
【０１５３】
汚れ遊離ポリマー：組成物は、汚れ遊離ポリマーを含んでもよい。好適な汚れ遊離ポリマーは、以下の構造（Ｉ）、（ＩＩ）又は（ＩＩＩ）のうちの１つによって特定される構造を有する：
（Ｉ）      −［（ＯＣＨＲ１−ＣＨＲ２）ａ−Ｏ−ＯＣ−Ａｒ−ＣＯ−］ｄ
（ＩＩ）    −［（ＯＣＨＲ３−ＣＨＲ４）ｂ−Ｏ−ＯＣ−ｓＡｒ−ＣＯ−］ｅ
（ＩＩＩ）  −［（ＯＣＨＲ５−ＣＨＲ６）ｃ−ＯＲ７］ｆ
（式中、
ａ、ｂ及びｃは、１〜２００であり、
ｄ、ｅ及びｆは、１〜５０であり、
Ａｒは、１，４−置換フェニレンであり、
ｓＡｒは、５位がＳＯ３Ｍｅで置換されている１，３−置換フェニレンであり、
Ｍｅは、Ｌｉ、Ｋ、Ｍｇ／２、Ｃａ／２、Ａｌ／３、アンモニウム、モノ−、ジ−、トリ−、若しくはテトラ−アルキルアンモニウム（アルキル基は、Ｃ１〜Ｃ１８アルキル又はＣ２〜Ｃ１０ヒドロキシアルキルである）、又はこれらの混合物であり、
Ｒ１、Ｒ２、Ｒ３、Ｒ４、Ｒ５及びＲ６は、独立して、Ｈ、又はＣ１〜Ｃ１８ｎ−若しくはイソ−アルキルから選択され、
Ｒ７は、直鎖若しくは分枝鎖Ｃ１〜Ｃ１８アルキル、又は直鎖若しくは分枝鎖Ｃ２〜Ｃ３０アルケニル、又は５個〜９個の炭素原子を有するシクロアルキル基、又はＣ８〜Ｃ３０アリール基、又はＣ６〜Ｃ３０アリールアルキル基である）。
【０１５４】
好適な汚れ遊離ポリマーは、Ｃｌａｒｉａｎｔにより、ＴｅｘＣａｒｅ（登録商標）シリーズのポリマー、例えば、ＴｅｘＣａｒｅ（登録商標）ＳＲＮ２４０及びＴｅｘＣａｒｅ（登録商標）ＳＲＡ３００として販売されている。他の好適な汚れ遊離ポリマーは、Ｓｏｌｖａｙにより、Ｒｅｐｅｌ−ｏ−Ｔｅｘ（登録商標）シリーズのポリマー、例えば、Ｒｅｐｅｌ−ｏ−Ｔｅｘ（登録商標）ＳＦ２及びＲｅｐｅｌ−ｏ−Ｔｅｘ（登録商標）Ｃｒｙｓｔａｌとして販売されている。
【０１５５】
既知のポリマー汚れ遊離剤、以下「ＳＲＡ（単数又は複数）」を、任意に本洗剤組成物に使用してよい。利用する場合、ＳＲＡは、概して、組成物の０．０１重量％〜１０．０重量％、典型的には０．１重量％〜５重量％、好ましくは０．２重量％〜３．０重量％を構成する。
【０１５６】
好ましいＳＲＡは、典型的には、ポリエステル及びナイロンなどの疎水性繊維の表面を親水化するための親水性区分、並びに疎水性繊維上に堆積し、洗浄及びすすぎサイクルの完了などに到るまでそこに付着し続け、それによって親水性区分のためのアンカーとしての機能を果たす疎水性区分を有する。これにより、後の洗浄手順において、ＳＲＡによる処理後に生じるシミを、更に容易に洗浄可能にできる。
【０１５７】
ＳＲＡは、例えば種々の荷電性の、例えば、アニオン性又は更にはカチオン性（米国特許第４，９５６，４４７号を参照されたい）、並びに、非荷電性の、モノマー単位を含むことができ、構造は、直鎖、分岐鎖又は更には星状であってもよい。これらのＳＲＡは、分子量を制御したり、又は物理特性若しくは表面活性特性を変更したりするのに特に有効であるキャッピング部分を含んでよい。構造及び電荷分布は、異なる型の繊維又は生地への適用に合わせて、あるいは様々な洗剤又は洗剤添加製品用に調整することができる。好適な汚れ遊離ポリマーは、ポリエステル汚れ遊離ポリマー、例えば、Ｒｈｏｄｉａによって供給されているＲｅｐｅｌ−ｏ−ｔｅｘ、ＳＦ−２及びＳＲＰ６を含むＲｅｐｅｌ−ｏ−ｔｅｘポリマーである。他の好適な汚れ遊離ポリマーとしては、Ｃｌａｒｉａｎｔによって供給されているＴｅｘｃａｒｅ  ＳＲＡ１００、ＳＲＡ３００、ＳＲＮ１００、ＳＲＮ１７０、ＳＲＮ２４０、ＳＲＮ３００及びＳＲＮ３２５を含むＴｅｘｃａｒｅポリマーが挙げられる。他の好適な汚れ遊離ポリマーは、Ｍａｒｌｏｑｕｅｓｔポリマー、例えば、Ｓａｓｏｌによって供給されているＭａｒｌｏｑｕｅｓｔ  ＳＬである。ＳＲＡの例は、米国特許第４，９６８，４５１号、同第４，７１１，７３０号、同第４，７２１，５８０号、同第４，７０２，８５７号、同第４，８７７，８９６号、同第３，９５９，２３０号、同第３，８９３，９２９号、同第４，０００，０９３号、同第５，４１５，８０７号、同第４，２０１，８２４号、同第４，２４０，９１８号、同第４，５２５，５２４号、同第４，２０１，８２４号、同第４，５７９，６８１号、及び同第４，７８７，９８９号、欧州特許出願公開第０  ２１９  ０４８号；同第２７９，１３４（Ａ）号；同第４５７，２０５（Ａ）号、及び独国特許第２，３３５，０４４号に記載されている。
【０１５８】
カルボキシレートポリマー：当該組成物は、マレエート／アクリレートランダムコポリマー又はポリアクリレートホモポリマーなどのカルボキシレートポリマーを含んでもよい。好適なカルボキシレートポリマーとしては、４，０００Ｄａ〜９，０００Ｄａの分子量を有するポリアクリレートホモポリマー、５０，０００〜１００，０００Ｄａ、又は６０，０００Ｄａ〜８０，０００Ｄａの分子量を有するマレエート／アクリレートランダムコポリマーが挙げられる。
【０１５９】
あるいは、これら物質は、７〜８つのアクリレート単位ごとに１つのエトキシ側鎖を有するポリアクリレートを含み得る。側鎖は、式−（ＣＨ２ＣＨ２Ｏ）ｍ（ＣＨ２）ｎＣＨ３［式中、ｍは、２〜３であり、ｎは、６〜１２である］のものである。側鎖は、ポリアクリレート「主鎖」にエステル結合され、「櫛形」ポリマー型構造を提供する。分子量は変動し得るが、典型的には、約２０００〜約５０，０００の範囲内である。このようなアルコキシル化ポリカルボキシレートは、本明細書における組成物の約０．０５重量％〜約１０重量％を構成し得る。
【０１６０】
別の好適なカルボキシレートポリマーは、（ｉ）カルボキシル基を含む１つ以上のモノマーから誘導される５０〜９８重量％未満の構造単位；（ｉｉ）スルホネート部分を含む１つ以上のモノマーから誘導される１重量％から４９重量％未満の構造単位；並びに（ｉｉｉ）式（Ｉ）及び（ＩＩ）よって表されるエーテル結合含有モノマーから選択される１種類以上のモノマーから誘導される１〜４９重量％の構造単位を含む、コポリマーである：
【０１６１】
【化１５】
2020535276.tif 000016
式（Ｉ）中、Ｒ０は、水素原子又はＣＨ３基を表し、Ｒは、ＣＨ２基、ＣＨ２ＣＨ２基又は単結合を表し、Ｘは、０〜５の数を表し、但し、Ｘは、Ｒが単結合である場合、１〜５の数を表し、Ｒ１は、水素原子又はＣ１〜Ｃ２０有機基であり、
【０１６２】
【化１６】
2020535276.tif 000017
式（ＩＩ）中、Ｒ０は、水素原子又はＣＨ３基を表し、Ｒは、ＣＨ２基、ＣＨ２ＣＨ２基又は単結合を表し、Ｘは、０〜５の数を表し、Ｒ１は、水素原子又はＣ１〜Ｃ２０有機基である。
【０１６３】
ポリマーは、少なくとも５０ｋＤａ、又は更には少なくとも７０ｋＤａの重量平均分子量を有することが好ましい場合がある。
【０１６４】
このようなカルボキシレート系ポリマーは、有利には、本明細書の組成物において約０．１重量％〜約７重量％の濃度で使用できる。好適なポリマー分散剤としては、マレエート／アクリレートランダムコポリマー又はポリアクリレートホモポリマーなどのカルボキシレートポリマーが挙げられる。好ましくは、カルボキシレートポリマーは、４，０００ダルトン〜９，０００ダルトンの分子量を有するポリアクリレートホモポリマー、又は６０，０００ダルトン〜８０，０００ダルトンの分子量を有するマレエート／アクリレートコポリマーである。ポリマーポリカルボキシレート及びポリエチレングリコールを使用することもできる。ポリアルキレングリコール系グラフトポリマーは、ポリアルキレングリコール系化合物及びモノマー材料から調製されてもよく、当該モノマー材料は、カルボキシル基含有モノマー及び任意による追加モノマーを含む。カルボキシル基含有モノマーとして分類されない任意による追加モノマーとしては、スルホン酸基含有モノマー、アミノ基含有モノマー、アリルアミンモノマー、四級化アリルアミンモノマー、Ｎ−ビニルモノマー、ヒドロキシル基含有モノマー、ビニルアリールモノマー、イソブチレンモノマー、ビニルアセテートモノマー、これらのいずれかの塩、これらのいずれかの誘導体、及びこれらの混合物が挙げられる。理論に束縛されることを意図するものではないが、ポリマー分散剤は、他のビルダー（低分子量ポリカルボキシレートを含む）と組み合わせて使用したとき、結晶成長防止、微粒子状の汚れ遊離解謬、及び再付着防止によって、全体的な洗剤ビルダーの性能を向上させると考えられる。ポリマー分散剤の例は、米国特許第３，３０８，０６７号、欧州特許出願公開第６６９１５号、欧州特許第１９３，３６０号、及び同第１９３，３６０号に見出される。
【０１６５】
アルコキシル化ポリアミン系ポリマー：当該組成物は、アルコキシル化ポリアミンを含み得る。このような物質としては、エトキシル化ポリエチレンイミン、エトキシル化ヘキサメチレンジアミン、及びこれらのサルフェート化体が挙げられるが、これらに限らない。ポリプロポキシル化誘導体も挙げられる。多種多様なアミン及びポリアクリエンイミン（polyaklyeneimine）は様々な度合いまでアルコキシル化してもよく、任意に更に修飾して上記の効果をもたらすこともできる。有用な例は、ＮＨ１個当たり２０のＥＯ基までエトキシル化されている６００ｇ／モルのポリエチレンイミンコアであり、ＢＡＳＦから入手可能である。
【０１６６】
有用なアルコキシル化ポリアミン系ポリマーとしては、アルコキシル化ポリエチレンイミン型が挙げられ、当該アルコキシル化ポリアルキレンイミンは、ポリアルキレンイミンコアにおける少なくとも１つの窒素原子に結合した１つ以上の側鎖を有するポリアルキレンイミンコアを有し、当該アルコキシル化ポリアルキレンイミンは、（ＰＥＩ）ａ−（ＥＯ）ｂ−Ｒ１の実験式（Ｉ）（式中、ａは、当該アルコキシル化ポリエチレンイミンのポリアルキレンイミンコアの平均の数平均分子量（ＭＷＰＥＩ）であり、１００〜１００，０００ダルトンの範囲であり、ｂは、当該アルコキシル化ポリアルキレンイミンの当該１つ以上の側鎖における平均エトキシル化度であり、５〜４０の範囲であり、Ｒ１は、独立して、水素、Ｃ１〜Ｃ４アルキル、及びこれらの組み合わせからなる群から選択される）を有する。
【０１６７】
他の好適なアルコキシル化ポリアルキレンイミンとしては、当該アルコキシル化ポリアルキレンイミンが、ポリアルキレンイミンコアにおける少なくとも１つの窒素原子に結合した１つ以上の側鎖を有するポリアルキレンイミンコアを有し、当該アルコキシル化ポリアルキレンイミンが、（ＰＥＩ）ｏ−（ＥＯ）ｍ（ＰＯ）ｎ−Ｒ２又は（ＰＥＩ）ｏ−（ＰＯ）ｎ（ＥＯ）ｍ−Ｒ２の実験式（ＩＩ）（式中、ｏは、アルコキシル化ポリアルキレンイミンのポリアルキレンイミンコアの平均の数平均分子量（ＭＷＰＥＩ）であり、１００〜１００，０００ダルトンの範囲であり、ｍは、１０〜５０の範囲の、当該アルコキシル化ポリアルキレンイミンの当該１つ以上の側鎖における平均エトキシル化度であり、ｎは、１〜５０の範囲の、当該アルコキシル化ポリアルキレンイミンの当該１つ以上の側鎖における平均プロポキシル化度であり、Ｒ２は、独立して、水素、Ｃ１〜Ｃ４アルキル、及びこれらの組み合わせからなる群から選択される）を有するものが挙げられる。
【０１６８】
両親媒性グラフトコポリマー：両親媒性グラフトコポリマーも、本発明に従って使用することができる。特に有用なポリマーとしては、（ｉ）ポリエチレングリコール主鎖と、（ｉｉ）ポリビニルアセテート、ポリビニルアルコール及びこれらの混合物から選択される少なくとも１つのペンダント部分と、を含むものが挙げられ、本発明においても有用である。。好適なポリエチレングリコールポリマーとしては、（ｉ）ポリエチレングリコールを含む親水性主鎖、並びに（ｉｉ）Ｃ４〜Ｃ２５アルキル基、ポリプロピレン、ポリブチレン、飽和Ｃ１〜Ｃ６モノカルボン酸のビニルエステル、アクリル酸又はメタクリル酸のＣ１〜Ｃ６アルキルエステル、及びこれらの混合物からなる群から選択される疎水性側鎖（複数可）を含む、ランダムグラフトコポリマーが挙げられる。好適なポリエチレングリコールポリマーは、ランダムグラフト化ポリビニルアセテート側鎖を有するポリエチレングリコール主鎖を有する。ポリエチレングリコール主鎖の平均分子量は、２，０００Ｄａ〜２０，０００Ｄａ、又は４，０００Ｄａ〜８，０００Ｄａの範囲であり得る。ポリエチレングリコール主鎖とポリビニルアセテート側鎖との分子量比は、１：１〜１：５又は１：１．２〜１：２の範囲であり得る。エチレンオキシド単位当たりのグラフト部位の平均数は、１未満、又は０．８未満であってもよく、エチレンオキシド単位当たりのグラフト部位の平均数は、０．５〜０．９の範囲であってもよく、又はエチレンオキシド単位当たりのグラフト部位の平均数は、０．１〜０．５、又は０．２〜０．４の範囲であってもよい。好適なポリエチレングリコールポリマーは、Ｓｏｋａｌａｎ  ＨＰ２２である。好適なポリエチレングリコールポリマーについては、国際公開第０８／００７３２０号に記載されている。
【０１６９】
セルロースポリマー：セルロースポリマーは、本発明に従って使用することができる。好適なセルロースポリマーは、アルキルセルロース、アルキルアルコキシアルキルセルロース、カルボキシルアルキルセルロース、アルキルカルボキシアルキルセルロース、スルホアルキルセルロースから選択され、より好ましくは、カルボキシメチルセルロース、メチルセルロース、メチルヒドロキシエチルセルロース、メチルカルボキシメチルセルロース、及びこれらの混合物から選択される。
【０１７０】
好適なカルボキシメチルセルロースは、０．５〜０．９のカルボキシメチル置換度、及び１００，０００Ｄａ〜３００，０００Ｄａの分子量を有する。
【０１７１】
好適なカルボキシメチルセルロースは、例えば、国際公開第０９／１５４９３３号に記載されているように、０．６５超の置換度及び０．４５超のブロック性度を有する。
【０１７２】
本発明の消費者製品はまた、アルキルセルロース、アルキルアルコキシアルキルセルロース、カルボキシアルキルセルロース、アルキルカルボキシアルキルセルロースから選択されるものを含む、１つ以上のセルロースポリマーを含んでいてもよい。一態様では、セルロースポリマーは、カルボキシメチルセルロース、メチルセルロース、メチルヒドロキシエチルセルロース、メチルカルボキシメチルセルロース、及びこれらの混合物を含む群から選択される。一態様では、カルボキシメチルセルロースは、０．５〜０．９のカルボキシメチル置換度及び１００，０００Ｄａ〜３００，０００Ｄａの分子量を有する。カルボキシメチルセルロースポリマーの例は、ＣＰＫｅｌｋｏによってＦｉｎｎｆｉｘ（登録商標）ＧＤＡとして市販されているカルボキシメチルセルロース、疎水変性カルボキシメチルセルロース、例えば、ＣＰＫｅｌｃｏによってＦｉｎｎｆｉｘ（登録商標）ＳＨ１として市販されているカルボキシメチルセルロースのアルキルケテンダイマー誘導体、又はＣＰＫｅｌｃｏによってＦｉｎｎｆｉｘ（登録商標）Ｖとして市販されているブロック状カルボキシメチルセルロースである。
【０１７３】
カチオン性ポリマー：カチオン性ポリマーも、本発明に従って使用することができる。好適なカチオン性ポリマーは、組成物の意図する用途のｐＨ（概して、ｐＨ３〜ｐＨ９、一実施形態ではｐＨ４〜ｐＨ８の範囲のｐＨ）において、少なくとも０．５ｍｅｑ／ｇｍ、別の実施形態では少なくとも０．９ｍｅｑ／ｇｍ、別の実施形態では少なくとも１．２ｍｅｑ／ｇｍ、更に別の実施形態では少なくとも１．５ｍｅｑ／ｇｍのカチオン電荷密度であり、但し、一実施形態では７ｍｅｑ／ｇｍ未満、別の実施形態では５ｍｅｑ／ｇｍ未満のカチオン電荷密度を有する。本明細書において、ポリマーの「カチオン電荷密度」とは、ポリマー上の正電荷数の、ポリマーの分子量に対する比を指す。このような好適なカチオン性ポリマーの平均分子量は、概して、１０，０００〜１０，０００，０００、一実施形態では、５０，０００〜５，０００，０００、別の実施形態では１００，０００〜３，０００，０００である。
【０１７４】
本発明の組成物に用いるのに好適なカチオン性ポリマーは、四級アンモニウムなどのカチオン性窒素含有部分、又はプロトン化されたカチオン性アミノ部分を含有する。ポリマーが、水中、組成物中、若しくは組成物のコアセルベート相中で可溶性のままであり、かつ対イオンが、組成物の必須成分と物理的及び化学的に適合性があるか、又はそうでなければ、製品の性能、安定性若しくは審美性を過度に損なうことがない限り、任意のアニオン性対イオンをカチオン性ポリマーと併せて使用してもよい。このような対イオンの非限定的な例としては、ハライド（例えば、クロリド、フルオリド、ブロミド、ヨーダイド）、サルフェート及びメチルサルフェートが挙げられる。
【０１７５】
このようなポリマーの非限定的な例は、ＣＴＦＡ  Ｃｏｓｍｅｔｉｃ  Ｉｎｇｒｅｄｉｅｎｔ  Ｄｉｃｔｉｏｎａｒｙ、第３版、Ｅｓｔｒｉｎ、Ｃｒｏｓｌｅｙ及びＨａｙｎｅｓ編（Ｔｈｅ  Ｃｏｓｍｅｔｉｃ，Ｔｏｉｌｅｔｒｙ，ａｎｄ  Ｆｒａｇｒａｎｃｅ  Ａｓｓｏｃｉａｔｉｏｎ，Ｉｎｃ．（Ｗａｓｈｉｎｇｔｏｎ，Ｄ．Ｃ．）（１９８２年））に記載されている。
【０１７６】
本発明に従って使用され得る特に有用なカチオン性ポリマーとしては、カチオン性セルロース、カチオン性グアー、ポリ（アクリルアミド−コ−ジアリルジメチルアンモニウムクロリド）、ポリ（アクリルアミド−コ−ジアリルジメチルアンモニウムクロリド−コ−アクリル酸）、ポリ（アクリルアミド−コ−メタクリロアミドプロピル−ペンタメチル−１，３−プロピレン−２−オール−アンモニウムジクロリド）、ポリ（アクリルアミド−コ−Ｎ，Ｎ−ジメチルアミノエチルアクリレート）及びその四級化誘導体、ポリ（アクリルアミド−コ−Ｎ，Ｎ−ジメチルアミノエチルメタクリレート）及びその四級化誘導体、ポリ（アクリルアミド−メタクリルアミドプロピルトリメチルアンモニウムクロリド）、ポリ（アクリルアミド−メタクリルアミドプロピルトリメチルアンモニウムクロリド−コ−アクリル酸）、ポリ（ジアリルジメチルアンモニウムクロリド）、ポリ（ジアリルジメチルアンモニウムクロリド−コ−アクリル酸）、ポリ（エチルメタクリレート−コ−オレイルメタクリレート−コ−ジエチルアミノエチルメタクリレート）及びその四級化誘導体、ポリ（エチルメタクリレート−コ−ジメチルアミノエチルメタクリレート）及びその四級化誘導体、ポリ（ヒドロキシプロピルアクリレート−コ−メタクリルアミドプロピルトリメチルアンモニウムクロリド）及びその四級化誘導体、ポリ（ヒドロキシエチルアクリレート−コ−ジメチルアミノエチルメタクリレート）及びその四級化誘導体、ポリ（メチルアクリルアミド−コ−ジメチルアミノエチルアクリレート）及びその四級化誘導体、ポリ（メタクリレート−コ−メタクリルアミドプロピルトリメチルアンモニウムクロリド）、ポリ（ビニルホルムアミド−コ−アクリル酸−コ−ジアリルジメチルアンモニウムクロリド）、ポリ（ビニルホルムアミド−コ−ジアリルジメチルアンモニウムクロリド）、ポリ（ビニルピロリドン−コ−アクリルアミド−コ−ビニルイミダゾール）及びその四級化誘導体、ポリ（ビニルピロリドン−コ−ジメチルアミノエチルメタクリレート）及びその四級化誘導体、ポリ（ビニルピロリドン−コ−メタクリルアミド−コ−ビニルイミダゾール）及びその四級化誘導体、ポリ（ビニルピロリドン−コ−ビニルイミダゾール）及びその四級化誘導体、ポリエチレンイミン（及びその四級化誘導体を含む）、並びにこれらの混合物からなる群から選択されるポリマーを含むカチオン性ポリマーが挙げられる。
【０１７７】
本組成物に使用するのに好適な他のカチオン性ポリマーとしては、多糖類ポリマー、カチオン性グアーガム誘導体、四級窒素含有セルロースエーテル、合成ポリマー、エーテル化セルロース、グアー及びデンプンのコポリマーが挙げられる。使用される場合、本明細書におけるカチオン性ポリマーは、組成物に可溶性であるか、又は上述のカチオン性ポリマー、並びにアニオン性、両性及び／又は双性界面活性剤成分によって形成される組成物中の複合コアセルベート相に可溶性である。また、カチオン性ポリマーの複合コアセルベートは、組成物中の他の帯電物質と共に形成することもできる。
【０１７８】
好適なカチオン性ポリマーは、米国特許第３，９６２，４１８号、同第３，９５８，５８１号、及び米国特許出願公開第２００７／０２０７１０９（Ａ１）号に記載されている。
【０１７９】
移染阻害剤（ＤＴＩ）。当該組成物は、１つ以上の移染防止剤を含んでよい。本発明の一実施形態では、驚くべきことに、特定の染料に加えて、ポリマー移染防止剤を含む組成物は、性能が向上することを本発明者らは発見した。これは、驚くべきことに、ポリマー移染防止剤が染料の付着を防ぐためである。好適な移染防止剤としては、ポリビニルピロリドンポリマー、ポリアミンＮ−オキシドポリマー、Ｎ−ビニルピロリドンとＮ−ビニルイミダゾールとのコポリマー、ポリビニルオキサゾリドン及びポリビニルイミダゾール又はこれらの混合物が挙げられるが、これらに限らない。好適な例としては、Ａｓｈｌａｎｄ  Ａｑｕａｌｏｎ製のＰＶＰ−Ｋ１５、ＰＶＰ−Ｋ３０、ＣｈｒｏｍａＢｏｎｄ  Ｓ−４００、ＣｈｒｏｍａＢｏｎｄ  Ｓ−４０３Ｅ及びＣｈｒｏｍａｂｏｎｄ  Ｓ−１００、並びにＢＡＳＦ製のＳｏｋａｌａｎ  ＨＰ１６５、Ｓｏｋａｌａｎ  ＨＰ５０、Ｓｏｋａｌａｎ  ＨＰ５３、Ｓｏｋａｌａｎ  ＨＰ５９、Ｓｏｋａｌａｎ（登録商標）ＨＰ５６Ｋ、Ｓｏｋａｌａｎ（登録商標）ＨＰ６６が挙げられる。染料制御剤は、（ｉ）スルホン化フェノール／ホルムアルデヒドポリマー、（ｉｉ）尿素誘導体、（ｉｉｉ）染料で分子インプリントされた、エチレン性不飽和モノマーのポリマー、（ｉｖ）約２μｍ以下の平均直径を有する、非水溶性ポリアミドからなる繊維、（ｖ）ベンゾオキサジンモノマー化合物の重合から得ることができるポリマー、及び（ｖｉ）これらの組み合わせから選択され得る。他の好適なＤＴＩは、国際公開第２０１２／００４１３４号に記載されているとおりである。移染防止剤は、対象組成物中に存在する場合、組成物の約０．０００１重量％〜約１０重量％、約０．０１重量％〜約５重量％、又は更には約０．１重量％〜約３重量％の濃度で存在してよい。
【０１８０】
他の水溶性ポリマー：水溶性ポリマーの例としては、限定されるものではないが、ポリビニルアルコール（ＰＶＡ）、変性ＰＶＡ；ポリビニルピロリドン；ＰＶＡ／ポリビニルピロリドン及びＰＶＡ／ポリビニルアミンなどのＰＶＡコポリマー；部分加水分解されたポリビニルアセテート；ポリエチレンオキシドなどのポリアルキレンオキシド；ポリエチレングリコール；アクリルアミド；アクリル酸；セルロース；メチルセルロース、エチルセルロース及びプロピルセルロースなどのアルキルセルロース材料；セルロースエーテル；セルロースエステル；セルロースアミド；ポリビニルアセテート；ポリカルボン酸及び塩；ポリアミノ酸又はペプチド；ポリアミド、ポリアクリルアミド；マレイン酸／アクリル酸のコポリマー；デンプン、変性デンプンを含む多糖類；ゼラチン；アルギネート；キシログルカン；キシラン、グルクロノキシラン、アラビノキシラン、マンナン、グルコマンナン、及びガラクトグルコマンナンなどのその他のヘミセルロース多糖類；並びにペクチン、キサンタン、及びカラギーナンなどの天然ガム、ローカストビーン、アラビア、トラガカント、並びにこれらの組み合わせが挙げられる。
【０１８１】
アミンの非限定例としては、限定されるものではないが、エーテルアミン、環状アミン、ポリアミン、オリゴアミン（例えばトリアミン、ジアミン、ペンタアミン、テトラアミン）、又はこれらの組み合わせが挙げられる。本明細書に記載の組成物は、オリゴアミン、エーテルアミン、環状アミン、及びこれらの組み合わせからなる群から選択されるアミンを含んでもよい。いくつかの態様では、アミンはアルカノールアミンではない。いくつかの態様では、アミンはポリアルキレンイミンではない。
【０１８２】
好適なオリゴアミンの例としては、テトラエチレンペンタミン、トリエチレンテトラアミン、ジエチレントリアミン、及びこれらの混合物が挙げられる
【０１８３】
エーテルアミン：本明細書に記載の洗浄組成物は、エーテルアミンを含有し得る。当該洗浄組成物は、当該組成物の約０．１重量％〜１０重量％、又は約０．２重量％〜約５重量％、又は約０．５重量％〜約４重量％のエーテルアミンを含有し得る。
【０１８４】
本開示のエーテルアミンは、約グラム／モル１０００グラム／モル未満、又は約１００〜約８００グラム／モル、又は約２００〜約４５０グラム／モル、又は約２９０〜約１０００グラム／モル、又は約２９０〜約９００グラム／モル、又は約３００〜約７００グラム／モル、又は約３００〜約４５０グラム／モルの重量平均分子量を有し得る。本発明のエーテルアミンは、約１５０、又は約２００、又は約３５０、又は約５００グラム／モルから、約１０００、又は約９００、又は約８００グラム／モルまでの重量平均分子量を有し得る。
【０１８５】
アルコキシル化フェノール化合物：本開示の洗浄組成物は、アルコキシル化フェノール化合物を含み得る。アルコキシル化フェノール化合物は、アルコキシル化ポリアリールフェノール化合物、アルコキシル化ポリアルキルフェノール化合物、及びこれらの混合物からなる群から選択され得る。アルコキシル化フェノール化合物は、アルコキシル化ポリアリールフェノール化合物であってよい。アルコキシル化フェノール化合物は、アルコキシル化ポリアルキルフェノール化合物であってよい。
【０１８６】
アルコキシル化フェノール化合物は、洗浄組成物の約０．２重量％〜約１０重量％又は約０．５重量％〜約５重量％の濃度で当該洗浄組成物中に存在し得る。
【０１８７】
アルコキシル化フェノール化合物は、２８０〜２８８０の重量平均分子量を有し得る。
【０１８８】
酵素。好ましくは、当該組成物は１つ以上の酵素を含む。好ましい酵素は、洗浄性能及び／又は布地ケア効果をもたらす。好適な酵素の例としては、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、マンナナーゼ、ペクテートリアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの混合物が挙げられるが、これらに限定されない。典型的な組み合わせは、例えば、プロテアーゼ及びリパーゼをアミラーゼと共に含んでよい酵素カクテルである。当該組成物中に存在する場合、上記の追加の酵素は、当該組成物の約０．００００１重量％〜約２重量％、約０．０００１重量％〜約１重量％、又は更には約０．００１重量％〜約０．５重量％の酵素タンパク質濃度で存在してもよい。
【０１８９】
プロテアーゼ。好ましくは、当該組成物は、１つ以上のプロテアーゼを含む。好適なプロテアーゼとしては、メタロプロテアーゼ及びセリンプロテアーゼが挙げられ、それには、サブチリシン（ＥＣ  ３．４．２１．６２）などの中性又はアルカリ性微生物セリンプロテアーゼが挙げられる。好適なプロテアーゼとしては、動物、植物又は微生物起源のものが挙げられる。一態様では、このような好適なプロテアーゼは、微生物起源のものであってもよい。好適なプロテアーゼとしては、前述の好適なプロテアーゼの化学的又は遺伝的に改変された変異が挙げられる。一態様では、好適なプロテアーゼは、アルカリ性微生物プロテアーゼ又は／及びトリプシン型プロテアーゼなどのセリンプロテアーゼであってよい。好適な中性又はアルカリ性プロテアーゼの例としては、以下が挙げられる。
（ａ）米国特許第６，３１２，９３６（Ｂ１）号、同第５，６７９，６３０号、同第４，７６０，０２５号、同第７，２６２，０４２号、及び国際公開第０９／０２１８６７号に記載されている、バチルス・レンタス（Bacillus lentus）、バチルス・アルカロフィラス（B.alkalophilus）、バチルス・ズブチルス（B.subtilis）、バチルス・アミロリケファシエンス（B.amyloliquefaciens）、バチルス・プミルス（Bacillus pumilus）及びバチルス・ギブソニイ（Bacillus gibsonii）などのバチルス属由来のものを含むサブチリシン（ＥＣ  ３．４．２１．６２）。
（ｂ）国際公開第８９／０６２７０号に記載されているフサリウム属プロテアーゼ、並びに同第０５／０５２１６１号及び同第０５／０５２１４６号に記載されているセルロモナス属に由来するキモトリプシンプロテアーゼを含む、トリプシン（例えば、ブタ又はウシ起源）などのトリプシン型又はキモトリプシン型のプロテアーゼ。
（ｃ）国際公開第０７／０４４９９３（Ａ２）号に記載されているバチルス・アミロリケファシエンスに由来するものを含むメタロプロテアーゼ。
【０１９０】
好ましいプロテアーゼとしては、バチルス・ギブソニイ又はバチルス・レンタスに由来するものが挙げられる。
【０１９１】
好適な市販のプロテアーゼ酵素としては、Ｎｏｖｏｚｙｍｅｓ  Ａ／Ｓ（Ｄｅｎｍａｒｋ）によってＡｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ  Ｕｌｔｒａ（登録商標）、Ｓａｖｉｎａｓｅ  Ｕｌｔｒａ（登録商標）、Ｏｖｏｚｙｍｅ（登録商標）、Ｎｅｕｔｒａｓｅ（登録商標）、Ｅｖｅｒｌａｓｅ（登録商標）及びＥｓｐｅｒａｓｅ（登録商標）の商品名で販売されているもの、Ｇｅｎｅｎｃｏｒ  ＩｎｔｅｒｎａｔｉｏｎａｌによってＭａｘａｔａｓｅ（登録商標）、Ｍａｘａｃａｌ（登録商標）、Ｍａｘａｐｅｍ（登録商標）、Ｐｒｏｐｅｒａｓｅ（登録商標）、Ｐｕｒａｆｅｃｔ（登録商標）、Ｐｕｒａｆｅｃｔ  Ｐｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）及びＰｕｒａｆｅｃｔ  ＯＸＰ（登録商標）の商品名で販売されているもの、Ｓｏｌｖａｙ  ＥｎｚｙｍｅｓによってＯｐｔｉｃｌｅａｎ（登録商標）及びＯｐｔｉｍａｓｅ（登録商標）の商品名で販売されているもの、Ｈｅｎｋｅｌ／Ｋｅｍｉｒａから入手可能なもの、すなわちＢＬＡＰ（以下の変異：Ｓ９９Ｄ＋Ｓ１０１Ｒ＋Ｓ１０３Ａ＋Ｖ１０４Ｉ＋Ｇ１５９Ｓを有する米国特許第５，３５２，６０４号の図２９に示されている配列、以下ＢＬＡＰと称する）、ＢＬＡＰ  Ｒ（Ｓ３Ｔ＋Ｖ４Ｉ＋Ｖ１９９Ｍ＋Ｖ２０５Ｉ＋Ｌ２１７Ｄを有するＢＬＡＰ）、ＢＬＡＰ  Ｘ（Ｓ３Ｔ＋Ｖ４Ｉ＋Ｖ２０５Ｉを有するＢＬＡＰ）及びＢＬＡＰ  Ｆ４９（Ｓ３Ｔ＋Ｖ４Ｉ＋Ａ１９４Ｐ＋Ｖ１９９Ｍ＋Ｖ２０５Ｉ＋Ｌ２１７Ｄを有するＢＬＡＰ）（いずれもＨｅｎｋｅｌ／Ｋｅｍｉｒａ製）、並びに花王製のＫＡＰ（変異Ａ２３０Ｖ＋Ｓ２５６Ｇ＋Ｓ２５９Ｎを有するバチルス・アルカロフィラスのサブチリシン）が挙げられる。
【０１９２】
アミラーゼ。好ましくは、当該組成物は、アミラーゼを含んでもよい。好適なα−アミラーゼとしては、細菌又は真菌起源のものが挙げられる。化学的又は遺伝的に改変された変異（変異体）が含まれる。好ましいアルカリ性α−アミラーゼは、バチルス（Bacillus）の菌種に由来するもの、例えば、バチルス・リケニフォルミス（Bacillus licheniformis）、バチルス・アミロリケファシエンス（Bacillus amyloliquefaciens）、バチルス・ステアロサーモフィルス（Bacillus stearothermophilus）、バチルス・ズブチリス（Bacillus subtilis）、又は他のバチルス属（Bacillus sp）、例えばバチルス属（Bacillus sp）のＮＣＩＢ１２２８９、ＮＣＩＢ１２５１２、ＮＣＩＢ１２５１３、ＤＳＭ９３７５（米国特許第７，１５３，８１８号）、ＤＳＭ１２３６８、ＤＳＭＺ  ｎｏ．１２６４９、ＫＳＭ  ＡＰ１３７８（国際公開第９７／００３２４号）、ＫＳＭ  Ｋ３６又はＫＳＭ  Ｋ３８（欧州特許第１，０２２，３３４号）である。好ましいアミラーゼとしては、以下が挙げられる：
（ａ）国際公開第９４／０２５９７号、同第９４／１８３１４号、同第９６／２３８７４号及び同第９７／４３４２４号に記載されている変異体、特に国際公開第９６／２３８７４号に配列番号２として列挙されている酵素に対して、以下の位置：１５、２３、１０５、１０６、１２４、１２８、１３３、１５４、１５６、１８１、１８８、１９０、１９７、２０２、２０８、２０９、２４３、２６４、３０４、３０５、３９１、４０８及び４４４のうちの１つ以上が置換されている変異体。
（ｂ）米国特許第５，８５６，１６４号、並びに国際公開第９９／２３２１１号、同第９６／２３８７３号、同第００／６００６０号及び同第０６／００２６４３号に記載されている変異体、特に国際公開第０６／００２６４３号に配列番号１２として列挙されているＡＡ５６０酵素に対して、以下の位置：
２６、３０、３３、８２、３７、１０６、１１８、１２８、１３３、１４９、１５０、１６０、１７８、１８２、１８６、１９３、２０３、２１４、２３１、２５６、２５７、２５８、２６９、２７０、２７２、２８３、２９５、２９６、２９８、２９９、３０３、３０４、３０５、３１１、３１４、３１５、３１８、３１９、３３９、３４５、３６１、３７８、３８３、４１９、４２１、４３７、４４１、４４４、４４５、４４６、４４７、４５０、４６１、４７１、４８２、４８４のうちの１つ以上が置換されている変異体、好ましくはＤ１８３＊及びＧ１８４＊の欠失も含有する変異体。
（ｃ）国際公開第０６／００２６４３号における配列番号４、バチルス属ＳＰ７２２由来の野生型酵素と少なくとも９０％の同一性を示す変異体、特に１８３及び１８４位に欠失を有する変異体、並びに参照により本明細書に組み込まれる国際公開第００／６００６０号に記載されている変異体。
（ｄ）バチルス属７０７の野生型酵素（米国特許第６，０９３，５６２号の配列番号７）と少なくとも９５％の同一性を示す変異体、特に、以下の変異Ｍ２０２、Ｍ２０８、Ｓ２５５、Ｒ１７２、及び／又はＭ２６１のうちの１つ以上を含むもの。好ましくは、当該アミラーゼは、Ｍ２０２Ｌ、Ｍ２０２Ｖ、Ｍ２０２Ｓ、Ｍ２０２Ｔ、Ｍ２０２Ｉ、Ｍ２０２Ｑ、Ｍ２０２Ｗ、Ｓ２５５Ｎ及び／又はＲ１７２Ｑのうちの１つ以上を含む。特に好ましいのは、Ｍ２０２Ｌ又はＭ２０２Ｔ変異を含むものである。
（ｅ）国際公開第０９／１４９１３０号に記載されている変異体、好ましくは国際公開第０９／１４９１３０号において配列番号１又は配列番号２と少なくとも９０％の同一性を示すもの、ゲオバチルス・ステアロフェルモフィルス（Geobacillus Stearophermophiluss）に由来する野生型酵素又はその切断バージョン。
【０１９３】
好適な市販のアルファ−アミラーゼとしては、ＤＵＲＡＭＹＬ（登録商標）、ＬＩＱＵＥＺＹＭＥ（登録商標）、ＴＥＲＭＡＭＹＬ（登録商標）、ＴＥＲＭＡＭＹＬ  ＵＬＴＲＡ（登録商標）、ＮＡＴＡＬＡＳＥ（登録商標）、ＳＵＰＲＡＭＹＬ（登録商標）、ＳＴＡＩＮＺＹＭＥ（登録商標）、ＳＴＡＩＮＺＹＭＥ  ＰＬＵＳ（登録商標）、ＦＵＮＧＡＭＹＬ（登録商標）、及びＢＡＮ（登録商標）（Ｎｏｖｏｚｙｍｅｓ  Ａ／Ｓ（Ｂａｇｓｖａｅｒｄ，Ｄｅｎｍａｒｋ））、ＫＥＭＺＹＭ（登録商標）ＡＴ  ９０００（Ｂｉｏｚｙｍ  Ｂｉｏｔｅｃｈ  Ｔｒａｄｉｎｇ  ＧｍｂＨ（Ｗｅｈｌｉｓｔｒａｓｓｅ  ２７ｂ  Ａ−１２００  Ｗｉｅｎ  Ａｕｓｔｒｉａ）、ＲＡＰＩＤＡＳＥ（登録商標）、ＰＵＲＡＳＴＡＲ（登録商標）、ＥＮＺＹＳＩＺＥ（登録商標）、ＯＰＴＩＳＩＺＥ  ＨＴ  ＰＬＵＳ（登録商標）、ＰＯＷＥＲＡＳＥ（登録商標）、及びＰＵＲＡＳＴＡＲ  ＯＸＡＭ（登録商標）（Ｇｅｎｅｎｃｏｒ  Ｉｎｔｅｒｎａｔｉｏｎａｌ  Ｉｎｃ．，（Ｐａｌｏ  Ａｌｔｏ，Ｃａｌｉｆｏｒｎｉａ）、並びにＫＡＭ（登録商標）（花王（１０３−８２１０、東京都中央区日本橋茅場町１丁目１４−１０））が挙げられる。一態様では、好適なアミラーゼとしては、ＮＡＴＡＬＡＳＥ（登録商標）、ＳＴＡＩＮＺＹＭＥ（登録商標）、及びＳＴＡＩＮＺＹＭＥ  ＰＬＵＳ（登録商標）、並びにこれらの混合物が挙げられる。
【０１９４】
リパーゼ。好ましくは、本発明は、米国特許第６，９３９，７０２（Ｂ１）号及び米国特許出願公開第２００９／０２１７４６４号に記載されているものなどの「第１のサイクルリパーゼ」を含む、１つ以上のリパーゼを含む。好ましいリパーゼは、第１の洗浄リパーゼである。本発明の一実施形態では、当該組成物は、第１の洗浄リパーゼを含む。第１の洗浄リパーゼは、以下のアミノ酸配列を有するポリペプチドであるリパーゼを含む：（ａ）フミコーラ・ラヌギノサ（Humicola lanuginosa）株ＤＳＭ４１０９由来の野生型リパーゼと少なくとも９０％の同一性を有するもの、（ｂ）当該野生型リパーゼと比較して、Ｅ１若しくはＱ２４９の１５Ａ以内の三次元構造の表面における電気的に中性若しくは負に荷電されたアミノ酸の、正に荷電されたアミノ酸による置換を含むもの、及び（ｃ）Ｃ末端にペプチド付加を含むもの、及び／又は（ｄ）Ｎ末端にペプチド付加を含む、及び／又は（ｅ）以下の制限を満たすもの：ｉ）当該野生型リパーゼのＥ２１０位に負のアミノ酸を含むこと、（ｉｉ）当該野生型リパーゼの９０位〜１０１位に対応する領域に負に帯電したアミノ酸を含むこと、及び（ｉｉｉ）当該野生型リパーゼのＮ９４に対応する位置に中性又は陰性のアミノ酸を含むか、及び／又は当該野生型リパーゼの９０〜１０１位に対応する領域に負又は中性の正味の電荷を有すること。Ｔ２３１Ｒ及びＮ２３３Ｒの変異の１つ以上を含む、サーモマイセス・ラヌギノサス（Thermomyces lanuginosus）由来の野生型リパーゼの変異体が好ましい。野生型配列は、Ｓｗｉｓｓｐｒｏｔアクセッション番号Ｓｗｉｓｓ−Ｐｒｏｔ  Ｏ５９９５２（サーモマイセス・ラヌギノサス（Thermomyces lanuginosus）（フミコーラ・ラヌギノサ）由来）の２６９個のアミノ酸（アミノ酸２３〜２９１）である。好ましいリパーゼとしては、商品名Ｌｉｐｅｘ（登録商標）、Ｌｉｐｏｌｅｘ（登録商標）及びＬｉｐｏｃｌｅａｎ（登録商標）として販売されているものが挙げられる。
【０１９５】
エンドグルカナーゼ。他の好ましい酵素としては、エンド−β−１，４−グルカナーゼ活性を示す微生物由来のエンドグルカナーゼ（Ｅ．Ｃ．３．２．１．４）が挙げられ、米国特許第７，１４１，４０３（Ｂ２）号における配列番号２のアミノ酸配列に対して少なくとも９０％、９４％、９７％、更には９９％の同一性を有するＢａｃｉｌｌｕｓ属のメンバーに対して内因性である微生物ポリペプチド及びその混合物を含む。好適なエンドグルカナーゼは、商品名Ｃｅｌｌｕｃｌｅａｎ（登録商標）及びＷｈｉｔｅｚｙｍｅ（登録商標）（Ｎｏｖｏｚｙｍｅｓ  Ａ／Ｓ（Ｂａｇｓｖａｅｒｄ，Ｄｅｎｍａｒｋ）として販売されている。
【０１９６】
ペクチン酸リアーゼ。他の好ましい酵素としては、商品名Ｐｅｃｔａｗａｓｈ（登録商標）、Ｐｅｃｔａｗａｙ（登録商標）、Ｘｐｅｃｔ（登録商標）として販売されているペクチン酸リアーゼ、並びに商品名Ｍａｎｎａｗａｙ（登録商標）（全てＮｏｖｏｚｙｍｅｓ  Ａ／Ｓ（Ｂａｇｓｖａｅｒｄ，Ｄｅｎｍａｒｋ）製）及びＰｕｒａｂｒｉｔｅ（登録商標）（Ｇｅｎｅｎｃｏｒ  Ｉｎｔｅｒｎａｔｉｏｎａｌ  Ｉｎｃ．（Ｐａｌｏ  Ａｌｔｏ，Ｃａｌｉｆｏｒｎｉａ））として販売されているマンナナーゼが挙げられる。
【０１９７】
ヌクレアーゼ酵素。当該組成物は、ヌクレアーゼ酵素を含み得る。ヌクレアーゼ酵素は、核酸のヌクレオチドサブユニット間のホスホジエステル結合を切断することができる酵素である。本明細書におけるヌクレアーゼ酵素は、好ましくは、デオキシリボヌクレアーゼ若しくはリボヌクレアーゼ酵素又はこれらの機能的断片である。機能的断片又は部分とは、ＤＮＡ主鎖におけるホスホジエステル結合の切断を触媒するヌクレアーゼ酵素の部分を意味し、したがって、触媒活性を保持する当該ヌクレアーゼタンパク質の領域である。したがって、それは、その機能が維持されている酵素及び／又は変異体及び／又は誘導体及び／又はホモログの、切頭されているが、機能的なバージョンを含む。
【０１９８】
好ましくは、ヌクレアーゼ酵素は、好ましくは、以下の分類のいずれかから選択されるデオキシリボヌクレアーゼである：Ｅ．Ｃ．３．１．２１．ｘ（式中、ｘ＝１、２、３、４、５、６、７、８又は９である）、Ｅ．Ｃ．３．１．２２．ｙ（式中、ｙ＝１、２、４又は５である）、Ｅ．Ｃ．３．１．３０．ｚ（式中、ｚ＝１又は２である）、又はＥ．Ｃ．３．１．３１．１、及びこれらの混合物。
【０１９９】
漂白剤。当該組成物は１つ以上の漂白剤を含むことが好ましい場合がある。漂白触媒以外の好適な漂白剤としては、光漂白剤、漂白活性剤、過酸化水素、過酸化水素源、予形成過酸、及びこれらの混合物が挙げられる。概して、漂白剤を用いるとき、本発明の組成物は、対象組成物の約０．１重量％〜約５０重量％、又は更には約０．１重量％〜約２５重量％の漂白剤又は漂白剤の混合物を含んでもよい。好適な漂白剤の例としては以下が挙げられる。
（１）光漂白剤、例えば、スルホン化亜鉛フタロシアニン、スルホン化アルミニウムフタロシアニン、キサンテン染料、チオキサントン、及びこれらの混合物。
（２）予形成過酸：好適な予形成過酸としては、予形成ペルオキシ酸又はその塩、典型的には過カルボン酸及び塩、過炭酸及び塩、過イミド酸及び塩、ペルオキシ一硫酸及び塩、例えばＯｘｏｎｅ（登録商標）、並びにこれらの混合物からなる群から選択される化合物が挙げられるが、これらに限らない。
【０２００】
特に好ましいペルオキシ酸は、フタルイミド−ペルオキシ−アルカン酸、特に、ε−フタルイミドペルオキシヘキサン酸（ＰＡＰ）である。好ましくは、ペルオキシ酸又はその塩の融点は３０℃〜６０℃の範囲である。
（３）過酸化水素源、例えば、過ホウ酸塩（通常、一水和物又は四水和物）、過炭酸塩、過硫酸塩、過リン酸塩、過ケイ酸塩及びこれらの混合物のナトリウム塩などのアルカリ金属塩を含む、無機過水和物の塩。無機過水和物の塩は、使用する場合、典型的には、布地ケア及びホームケア製品全体の０．０５〜４０重量％又は１〜３０重量％の量で存在し、典型的には、コーティングされ得る結晶性固体としてこのような布地ケア及びホームケア製品に組み込まれる。好適なコーティングとしては、無機塩、例えば、アルカリ金属ケイ酸塩、炭酸塩若しくはホウ酸塩又はこれらの混合物、又は有機物質、例えば、水溶性若しくは分散性ポリマー、ワックス、油又は脂肪石鹸などが挙げられる。
（４）Ｒ−（Ｃ＝Ｏ）−Ｌ（式中、Ｒはアルキル基であり、任意に分岐しており、漂白活性剤が疎水性である場合、６個〜１４個の炭素原子、又は８個〜１２個の炭素原子を有し、漂白活性剤が親水性である場合、６つ未満の炭素原子又は更には４つ未満の炭素原子を有し、Ｌは脱離基である）を有する漂白活性剤。好適な脱離基の例は、安息香酸及びその誘導体、特にベンゼンスルホネートである。好適な漂白活性剤としては、ドデカノイルオキシベンゼンスルホネート、デカノイルオキシベンゼンスルホネート、デカノイルオキシ安息香酸又はその塩、３，５，５−トリメチルヘキサノイルオキシベンゼンスルホネート、テトラアセチルエチレンジアミン（ＴＡＥＤ）及びノナノイルオキシベンゼンスルホネート（ＮＯＢＳ）が挙げられる。
（５）漂白触媒。本発明の組成物は、ペルオキシ酸及び／又はその塩から酸素原子を受け取って、その酸素原子を酸化可能な基質に転移させることができる１つ以上の漂白触媒を含んでいてもよい。好適な漂白触媒としては、イミニウムカチオン及びポリイオン、イミニウム双性イオン、変性アミン、変性アミンオキシド、Ｎ−スルホニルイミン、Ｎ−ホスホニルイミン、Ｎ−アシルイミン、チアジアゾールジオキシド、ペルフルオロイミン、環状糖ケトン及びαアミノ−ケトン並びにこれらの混合物が挙げられるが、これらに限定されない。特に好ましい一触媒は、４−（２−（２−（（２−ヒドロキシフェニルメチル）メチレン）−ヒドラジニル）−２−オキソエチル）−４−メチルクロリドなどのアシルヒドラゾン型である。
（６）当該組成物は、好ましくは、触媒金属錯体を含み得る。金属含有漂白触媒の好ましい一種は、銅、鉄、チタン、ルテニウム、タングステン、モリブデン、又はマンガンのカチオンなどの、規定の漂白触媒活性の遷移金属カチオンを含む触媒系である。
【０２０１】
必要に応じて、本明細書における組成物は、マンガン化合物によって触媒され得る。このような化合物及び使用レベルは、当該技術分野において周知であり、例えば、米国特許第５，５７６，２８２号に開示されているマンガン系触媒が挙げられる。いくつかの実施形態では、組成物中に追加の酸化剤源は存在せず、空気由来の分子酸素が酸化源を提供する。
【０２０２】
本明細書において有用なコバルト漂白触媒は公知であり、例えば、米国特許第５，５９７，９３６号、同第５，５９５，９６７号に記載されている。
【０２０３】
存在する場合、過酸化水素／過酸及び／又は漂白活性化剤の供給源は、概して、布地ケア及びホームケア製品に基づいて約０．１〜約６０重量％、約０．５〜約４０重量％又は更には約０．６〜約１０重量％の量で組成物中に存在する。１種以上の疎水性過酸又はその前駆体は、１種以上の親水性過酸又はその前駆体と組み合わせて使用することができる。
【０２０４】
典型的には、過酸化水素源及び漂白活性化剤は、一緒に組み込まれる。有効酸素（過酸化物源由来）と過酸とのモル比が１：１〜３５：１、又は更には２：１〜１０：１になるように、過酸化水素源及び過酸又は漂白活性剤の量を選択してもよい。液体洗剤に配合される場合、過酸化物源及び活性化剤は、ボレート／ソルビトールなどのｐＨジャンプ系と共に低ｐＨ、典型的には３〜５で配合され得る。
【０２０５】
本発明の洗濯ケア組成物は、特に、典型的にほとんどの家庭用上水道にみられるような塩素化水中で使用することができる。あるいは、ロイコを含む系は、電気分解などの他の漂白源と共に使用されてもよく、自動投入システムで使用されてもよい。
【０２０６】
ビルダー。好ましくは、当該組成物は、１つ以上のビルダー又はビルダー系を含み得る。ビルダーを用いる場合、本発明の組成物は、典型的には、少なくとも１％、２％〜６０％のビルダーを含む。本組成物は、低レベル、例えば１〜１０又は５重量％のリン酸塩及び／又はゼオライトを含むことが好ましい場合がある。本組成物は、更には、強力なビルダーを実質的に含んでいなくてもよい。強力なビルダーを実質的に含まないとは、ゼオライト及び／又はリン酸塩が「意図的に添加されない」ことを意味する。典型的なゼオライトビルダーとしては、ゼオライトＡ、ゼオライトＰ及びゼオライトＭＡＰが挙げられる。典型的なリン酸塩ビルダーは、トリポリリン酸ナトリウムである。
【０２０７】
キレート剤。好ましくは、当該組成物は、キレート剤及び／又は結晶成長阻害物質を含む。好適な分子としては、銅、鉄、及び／又はマンガンキレート剤並びにこれらの混合物が挙げられる。好適な分子としては、ヒドロキサム酸、アミノカルボキシレート、アミノホスホネート、サクシネート、これらの塩、及びこれらの混合物が挙げられる。本明細書に用いるのに好適なキレート剤の非限定的な例としては、エチレンジアミンテトラアセテート、Ｎ−（ヒドロキシエチル）エチレンジアミントリアセテート、ニトリロトリアセテート、エチレンジアミンテトラプロピオネート、トリエチレンテトラアミンヘキサアセテート、ジエチレントリアミンペンタアセテート、エタノールジグリシン、エチレンジアミンテトラキス（メチレンホスホネート）、ジエチレントリアミンペンタ（メチレンホスホン酸）（ＤＴＰＭＰ）、エチレンジアミンジスクシネート（ＥＤＤＳ）、ヒドロキシエタンジメチレンホスホン酸（ＨＥＤＰ）、メチルグリシン二酢酸（ＭＧＤＡ）、ジエチレントリアミン五酢酸（ＤＴＰＡ）、これらの塩、及びこれらの混合物が挙げられる。本発明で用いるキレート剤の他の非限定的な例は、米国特許第７４４５６４４号、同第７５８５３７６号及び米国特許出願公開第２００９／０１７６６８４（Ａ１）号に見出される。本明細書で使用するのに好適な他のキレート剤は、市販のＤＥＱＵＥＳＴシリーズ、並びにＭｏｎｓａｎｔｏ製、ＤｕＰｏｎｔ製、及びＮａｌｃｏ，Ｉｎｃ．製のキレート剤である。更に他の好適なキレート剤としては、ピリジンＮ−オキシド系蛍光増白剤が挙げられる。
【０２０８】
好ましくは、当該組成物は、１つ以上の蛍光増白剤を含む。本発明において有用である場合がある市販の光学増白剤は、サブグループに分類することができ、スチルベン、ピラゾリン、クマリン、カルボン酸、メチンシアニン、ジベンゾチオフェン−５，５−ジオキシド、アゾール、５及び６員環の複素環、並びにその他の様々な物質の誘導体が挙げられるが、これらに限らない。特に好ましい増白剤は、ナトリウム２（４−スチリル−３−スルホフェニル）−２Ｈ−ナフトール（napthol）［１，２−ｄ］トリアゾール、二ナトリウム４，４’−ビス｛［（４−アニリノ−６−（Ｎメチル−Ｎ−２−ヒドロキシエチル）アミノ１，３，５−トリアジン−２−イル）］アミノ｝スチルベン−２−２−ジスルホネート、二ナトリウム４，４’−ビス｛［（４−アニリノ−６−モルホリノ−１，３，５−トリアジン−２−イル）］アミノ｝スチルベン−２−２’ジスルホネート、及び二ナトリウム４，４’−ビス（２−スルホスチリル）ビフェニルから選択される。このような増白剤の他の例は、「Ｔｈｅ  Ｐｒｏｄｕｃｔｉｏｎ  ａｎｄ  Ａｐｐｌｉｃａｔｉｏｎ  ｏｆ  Ｆｌｕｏｒｅｓｃｅｎｔ  Ｂｒｉｇｈｔｅｎｉｎｇ  Ａｇｅｎｔｓ」（Ｍ．Ｚａｈｒａｄｎｉｋ、Ｊｏｈｎ  Ｗｉｌｅｙ＆Ｓｏｎｓ刊、Ｎｅｗ  Ｙｏｒｋ（１９８２年））に開示されている。本組成物において有用である光学増白剤の具体的な非限定的な例は、米国特許第４，７９０，８５６号及び同第３，６４６，０１５号に特定されているものである。
【０２０９】
好ましい増白剤は、以下の構造を有する。
【０２１０】
【化１７】
2020535276.tif 000018
【０２１１】
好適な蛍光増白剤濃度としては、約０．０１、約０．０５、約０．１又は更には約０．２重量％の下限から０．５又は更には０．７５重量％の上限までが挙げられる。
【０２１２】
一態様では、増白剤を粘土に充填して粒子を形成してもよい。
【０２１３】
好ましい増白剤は、全て又は大部分（典型的には少なくとも５０重量％、少なくとも７５重量％、少なくとも９０重量％、少なくとも９９重量％）がα結晶構造である。非常に好ましい増白剤は、Ｃ．Ｉ．蛍光増白剤２６０、好ましくは以下の構造を有するものを含む。
【０２１４】
【化１８】
2020535276.tif 000019
【０２１５】
これは、冷水、例えば３０℃若しくは２５℃又は更には２０℃未満の水によく溶解するので、特に有用であり得る。
【０２１６】
酵素安定剤。当該組成物は、好ましくは、酵素安定剤を含み得る。例えば、カルシウム及び／又はマグネシウムイオンを酵素に供給する最終布地ケア及びホームケア製品中にカルシウム及び／又はマグネシウムイオンの水溶性供給源を存在させることによって、任意の従来の酵素安定剤を用いてよい。プロテアーゼを含む水性組成物の場合、ボレートを含むホウ素化合物、又は、好ましくは４−ホルミルフェニルボロン酸、フェニルボロン酸及びこれらの誘導体、又はギ酸カルシウム、ギ酸ナトリウム及び１，２−プロパンジオールなどの化合物といった、可逆的プロテアーゼ阻害剤を加えて、更に安定性を向上させることができる。
【０２１７】
溶媒系。本発明の組成物中の溶媒系は、水のみを含む溶媒系であることも、水を含まないか又は好ましくは水を含む有機溶媒の混合物であることもできる。
【０２１８】
有機溶媒
当該組成物は、任意に、有機溶媒を含み得る。好適な有機溶媒としては、Ｃ４〜１４エーテル及びジエーテル、グリコール、アルコキシル化グリコール、Ｃ６〜Ｃ１６グリコールエーテル、アルコキシル化芳香族アルコール、芳香族アルコール、脂肪族分岐鎖アルコール、アルコキシル化脂肪族分岐鎖アルコール、アルコキシル化直鎖Ｃ１〜Ｃ５アルコール、直鎖Ｃ１〜Ｃ５アルコール、アミン、Ｃ８〜Ｃ１４アルキル及びシクロアルキル炭化水素及びハロ炭化水素、並びにこれらの混合物が挙げられる。好適な有機溶媒としては、１，２−プロパンジオール、２，３ブタンジオール、エタノール、グリセロール、エトキシル化グリセロール、ジプロピレングリコール、メチルプロパンジオール及びこれらの混合物が挙げられる。また、他の低級アルコール、Ｃ１〜Ｃ４アルカノールアミン、例えば、モノエタノールアミン及びトリエタノールアミンなどを使用してもよい。溶媒系は、例えば本発明の無水固形物実施形態には存在しなくてもよいが、より典型的には、液体洗剤組成物の約０．１重量％〜約９８重量％の範囲、好ましくは少なくとも約１重量％〜約５０重量％、より通常は約５重量％〜約２５重量％、あるいは約１重量％〜約１０重量％の当該有機溶媒の濃度で存在する。これら有機溶媒は、水と共に使用されてもよく、又は水なしで使用されてもよい。
【０２１９】
構造化液体：本発明のいくつかの実施形態では、当該組成物は、構造化された液体の形態である。このような構造化された液体は、内部的に構造化されて、一次成分（例えば、界面活性剤物質）によって構造体を形成してもよく、及び／又は例えば、増粘剤として用いるために、二次成分（例えば、ポリマー、粘土及び／又はケイ酸塩物質）を用いて三次元マトリックス構造をもたらすことによって、外部的に構造化してもよい。当該組成物は、構造化剤を含んでいてよく、好ましくは、０．０１重量％〜５重量％、０．１重量％〜２．０重量％の構造化剤を含んでもよい。好適な構造化剤の例は、米国特許出願公開第２００６／０２０５６３１（Ａ１）号、同第２００５／０２０３２１３（Ａ１）号、米国特許第７２９４６１１号、同第６８５５６８０号に示されている。構造化剤は、典型的には、ジグリセリド及びトリグリセリド、エチレングリコールジステアレート、微結晶セルロース、セルロース系物質、マイクロファイバーセルロース、Ｐｏｌｙｇｅｌ  Ｗ３０（３ＶＳｉｇｍａ）などの疎水変性アルカリ膨潤性エマルジョン、バイオポリマー、キサンタンガム、ジェランガム、水素添加ヒマシ油、水素添加ヒマシ油の誘導体、例えば、その非エトキシル化誘導体及びこれらの混合物からなる群から選択され、特に、水素添加ヒマシ油、水素添加ヒマシ油の誘導体、マイクロファイバーセルロース、ヒドロキシ官能性結晶性物質、長鎖脂肪族アルコール、１２−ヒドロキシステアリン酸、粘土及びこれらの混合物の群から選択されるものである。好ましい一つの構造化剤は、好適なヒドロキシ官能性結晶質物質を詳細に定義している米国特許第６，８５５，６８０号に記載されている。好ましいものは、水素添加ヒマシ油である。いくつかの構造化剤は、ある範囲のアスペクト比を有する糸様構造系を有する。別の好ましい構造化剤は、セルロースに基づくものであり、バイオマス、木材パルプ、柑橘類繊維などを含む多数の供給源に由来してよい。
【０２２０】
本発明の組成物は、高融点脂肪族化合物を含んでもよい。本明細書において有用な高融点脂肪族化合物は、２５℃以上の融点を有し、脂肪族アルコール、脂肪酸、脂肪族アルコール誘導体、脂肪酸誘導体、及びこれらの混合物からなる群から選択される。低融点のそのような化合物は、この章に含まれないと意図される。高融点の化合物の非限定的な例は、Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ、第５版（１９９３年）、及びＣＴＦＡ  Ｃｏｓｍｅｔｉｃ  Ｉｎｇｒｅｄｉｅｎｔ  Ｈａｎｄｂｏｏｋ、第２版（１９９２年）に見出される。存在する場合、高融点脂肪族化合物は、濡れた毛髪に塗布している間のツルツル感、乾いた髪の柔らかさ及びしっとりした感触などのコンディショニング効果を向上させる観点から、好ましくは、組成物の０．１重量％〜４０重量％、好ましくは１重量％〜３０重量％、より好ましくは１．５重量％〜１６重量％、１．５重量％〜８重量％の濃度で組成物中に含まれる。
【０２２１】
カチオン性ポリマー。本発明の組成物は、カチオン性ポリマーを含有してもよい。本組成物におけるカチオン性ポリマーの濃度は、典型的には０．０５％〜３％、別の実施形態では０．０７５％〜２．０％、更に別の実施形態では０．１％〜１．０％の範囲である。好適なカチオン性ポリマーは、組成物の意図する用途のｐＨ（一般的に、ｐＨ３〜ｐＨ９、一実施形態ではｐＨ４〜ｐＨ８の範囲のｐＨ）において、少なくとも０．５ｍｅｑ／ｇｍ、別の実施形態では少なくとも０．９ｍｅｑ／ｇｍ、別の実施形態では少なくとも１．２ｍｅｑ／ｇｍ、更に別の実施形態では少なくとも１．５ｍｅｑ／ｇｍであるが、一実施形態では７ｍｅｑ／ｇｍ未満、別の実施形態では５ｍｅｑ／ｇｍ未満のカチオン電荷密度を有する。本明細書において、ポリマーの「カチオン電荷密度」とは、ポリマー上の正電荷数の、ポリマーの分子量に対する比を指す。このような好適なカチオン性ポリマーの平均分子量は、一般的に、１０，０００〜１０，０００，０００、一実施形態では、５０，０００〜５，０００，０００、別の実施形態では１００，０００〜３，０００，０００である。
【０２２２】
本発明の組成物に用いるのに好適なカチオン性ポリマーは、四級アンモニウムなどのカチオン性窒素含有部分、又はプロトン化されたカチオン性アミノ部分を含有する。ポリマーが、水中、組成物中、若しくは組成物のコアセルベート相中で可溶性のままであり、かつ対イオンが、組成物の必須成分と物理的及び化学的に適合性があるか、又はそうでなければ、製品の性能、安定性若しくは審美性を過度に損なうことがない限り、任意のアニオン性対イオンをカチオン性ポリマーと併せて使用してもよい。このような対イオンの非限定的な例としては、ハライド（例えば、クロリド、フルオリド、ブロミド、ヨーダイド）、サルフェート及びメチルサルフェートが挙げられる。
【０２２３】
このようなポリマーの非限定的な例は、ＣＴＦＡ  Ｃｏｓｍｅｔｉｃ  Ｉｎｇｒｅｄｉｅｎｔ  Ｄｉｃｔｉｏｎａｒｙ、第３版、Ｅｓｔｒｉｎ、Ｃｒｏｓｌｅｙ及びＨａｙｎｅｓ編（Ｔｈｅ  Ｃｏｓｍｅｔｉｃ，Ｔｏｉｌｅｔｒｙ，ａｎｄ  Ｆｒａｇｒａｎｃｅ  Ａｓｓｏｃｉａｔｉｏｎ，Ｉｎｃ．（Ｗａｓｈｉｎｇｔｏｎ，Ｄ．Ｃ．）（１９８２年））に記載されている。
【０２２４】
本組成物に使用するのに好適な他のカチオン性ポリマーとしては、多糖類ポリマー、カチオン性グアーガム誘導体、四級窒素含有セルロースエーテル、合成ポリマー、エーテル化セルロース、グアー及びデンプンのコポリマーが挙げられる。使用される場合、本明細書におけるカチオン性ポリマーは、組成物に可溶性であるか、又は上述のカチオン性ポリマー、並びにアニオン性、両性及び／又は双性界面活性剤成分によって形成される組成物中の複合コアセルベート相に可溶性である。また、カチオン性ポリマーの複合コアセルベートは、組成物中の他の帯電物質と共に形成することもできる。
【０２２５】
好適なカチオン性ポリマーは、米国特許第３，９６２，４１８号、同第３，９５８，５８１号、及び米国特許出願公開第２００７／０２０７１０９（Ａ１）号に記載されている。
【０２２６】
非イオン性ポリマー。本発明の組成物は、非イオン性ポリマーをコンディショニング剤として含んでもよい。１０００を超える分子量を有するポリアルキレングリコールが本明細書で有用である。以下の一般式を有するものが有用である：
【０２２７】
【化１９】
2020535276.tif 000020
（式中、Ｒ９５は、Ｈ、メチル、及びこれらの混合物からなる群から選択される。）
【０２２８】
コンディショニング剤、特にシリコーンが、組成物中に含まれ得る。本発明の組成物に有用なコンディショニング剤は、典型的には、乳化液体粒子を形成する非水溶性で水分散性の不揮発性液体を含む。本組成物に使用するのに好適なコンディショニング剤は、一般的にシリコーン（例えば、シリコーンオイル、カチオン性シリコーン、シリコーンガム、屈折率の高いシリコーン、及びシリコーン樹脂）、有機コンディショニング油（例えば、炭化水素油、ポリオレフィン、及び脂肪酸エステル）、若しくはこれらの組み合わせとして特徴付けられるコンディショニング剤、又は別の方法で本明細書の水性界面活性剤マトリックス中に液体の分散粒子を形成するコンディショニング剤である。このようなコンディショニング剤は、組成物の必須成分と物理的及び化学的に適合性があるべきであり、そうでなければ製品の安定性、審美性又は性能を過度に損なわないようにすべきである。
【０２２９】
本組成物中のコンディショニング剤の濃度は、所望のコンディショニング効果をもたらすのに十分であるべきである。このような濃度は、コンディショニング剤、所望のコンディショニング性能、コンディショニング剤粒子の平均サイズ、他の成分の種類及び濃度、並びに他の同様の要因によって変動し得る。
【０２３０】
シリコーンコンディショニング剤の濃度は、典型的には、約０．０１〜約１０％の範囲に及ぶ。好適なシリコーンコンディショニング剤の非限定的な例、及びシリコーンのための任意による懸濁剤は、米国再発行特許第３４，５８４号、米国特許第５，１０４，６４６号、同第５，１０６，６０９号、同第４，１５２，４１６号、同第２，８２６，５５１号、同第３，９６４，５００号、同第４，３６４，８３７号、同第６，６０７，７１７号、同第６，４８２，９６９号、同第５，８０７，９５６号、同第５，９８１，６８１号、同第６，２０７，７８２号、同第７，４６５，４３９号、同第７，０４１，７６７号、同第７，２１７，７７７号、米国特許出願公開第２００７／０２８６８３７（Ａ１）号、同第２００５／００４８５４９（Ａ１）号、同第２００７／００４１９２９（Ａ１）号、英国特許第８４９，４３３号、独国特許第１００３６５３３号、（これらは全て参照により本明細書に組み込まれる）、「Ｃｈｅｍｉｓｔｒｙ  ａｎｄ  Ｔｅｃｈｎｏｌｏｇｙ  ｏｆ  Ｓｉｌｉｃｏｎｅｓ」（Ｎｅｗ  Ｙｏｒｋ：Ａｃａｄｅｍｉｃ  Ｐｒｅｓｓ（１９６８））、ゼネラルエレクトリックシリコーンゴム製品データシートＳＥ３０、ＳＥ３３、ＳＥ５４、及びＳＥ７６、「Ｓｉｌｉｃｏｎ  Ｃｏｍｐｏｕｎｄｓ」（Ｐｅｔｒａｒｃｈ  Ｓｙｓｔｅｍｓ，Ｉｎｃ．（１９８４））、並びにＥｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ、第１５巻、第２版、ｐｐ２０４−３０８，Ｊｏｈｎ  Ｗｉｌｅｙ＆Ｓｏｎｓ，Ｉｎｃ．（１９８９年）に記載されている。
【０２３１】
有機コンディショニング油。本発明の組成物はまた、単独のコンディショニング剤として、又はシリコーン（本明細書に記述される）などの他のコンディショニング剤と組み合わせたコンディショニング剤としてのいずれかで、約０．０５〜約３％の少なくとも１つの有機コンディショニング油を含んでもよい。好適なコンディショニング油としては、炭化水素油、ポリオレフィン、及び脂肪酸エステルが挙げられる。衛生剤。本発明の組成物はまた、リシノール酸亜鉛、チモール、Ｂａｒｄａｃ（登録商標）などの四級アンモニウム塩、ポリエチレンイミン（ＢＡＳＦ製のＬｕｐａｓｏｌ（登録商標）など）及びこれらの亜鉛錯体、銀及び銀化合物、特に、Ａｇ＋又はナノ銀分散体を除放するように設計されているもののうちの１つ以上などの、衛生及び／又は悪臭効果をもたらすための成分を含んでもよい。
【０２３２】
プロバイオティクス。当該組成物は、国際公開第２００９／０４３７０９号に記載されているものなどのプロバイオティクスを含んでもよい。
【０２３３】
起泡促進剤。高い起泡性が望まれる場合、当該組成物は、好ましくは、泡起泡促進剤を含んでもよい。好適な例は、好ましくは１％〜１０％の濃度で組み込まれるＣ１０〜Ｃ１６アルカノールアミン又はＣ１０〜Ｃ１４アルキルサルフェートである。Ｃ１０〜Ｃ１４モノエタノール及びジエタノールアミドは、このような起泡促進剤の典型的な種類の例である。このような起泡促進剤を上述のアミンオキシド、ベタイン及びスルタインなどの高起泡性補助界面活性剤と共に使用することも有益である。必要に応じて、ＭｇＣｌ２、ＭｇＳＯ４、ＣａＣｌ２、ＣａＳＯ４などの水溶性マグネシウム及び／又はカルシウム塩を、典型的には、０．１％〜２％の濃度で添加して、追加の泡をもたらし、グリース除去能を強化させてもよい。
【０２３４】
抑泡剤。泡の形成を低減又は抑制する化合物を本発明の組成物に組み込んでもよい。泡の抑制は、米国特許第４，４８９，４５５号及び同第４，４８９，５７４号に記載されている、いわゆる「高濃度洗浄プロセス」、並びにフロントローディング方式の洗濯機において特に重要であり得る。広範な材料を抑泡剤として使用してよく、抑泡剤は当業者に周知である。例えば、Ｋｉｒｋ  Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ、第３版、第７巻、４３０〜４４７頁（Ｊｏｈｎ  Ｗｉｌｅｙ  ＆  Ｓｏｎｓ，Ｉｎｃ．、１９７９年）を参照されたい。抑泡剤の例としては、モノカルボン脂肪酸及びその可溶性塩、高分子量炭化水素、例えばパラフィン、脂肪酸エステル（例えば、脂肪酸トリグリセリド）、一価アルコールの脂肪酸エステル、脂肪族Ｃ１８〜Ｃ４０ケトン（例えば、ステアロン（stearone））、Ｎ−アルキル化アミノトリアジン、好ましくは約１００℃未満の融点を有するろう質炭化水素、シリコーン抑泡剤、及び二級アルコールが挙げられる。特に有用なシリコーン抑泡剤は、ジフェニル含有シリコーンに基づく。
【０２３５】
シリコーン抑泡剤は、典型的には、洗剤組成物の２．０重量％以下の量で用いられるが、更に多い量を用いてもよい。
【０２３６】
真珠光沢剤。国際公開第２０１１／１６３４５７号に記載の真珠光沢剤を本発明の組成物に組み込んでもよい。
【０２３７】
真珠光沢剤は、真珠光沢効果を生じさせるために光を反射及び屈折することが可能である結晶性又はガラス状固体の、透明又は半透明の化合物であってよい。典型的には、真珠光沢剤は、それが組み込まれる組成物に不溶性の結晶性粒子である。好ましくは、真珠光沢剤は、薄板又は球体の形状を有する。真珠光沢剤の粒径は、典型的には２００マイクロメートル未満、好ましくは１００マイクロメートル未満、より好ましくは５０マイクロメートル未満である。無機真珠光沢剤としては、アルミノケイ酸塩及び／又はホウケイ酸塩が挙げられる。好ましいものは、非常に高い屈折率を有するよう処理されたアルミノケイ酸塩及び／又はホウケイ酸塩であり、好ましくはシリカ、金属酸化物、オキシ塩化物コーティングしたアルミノケイ酸塩及び／又はホウケイ酸塩である。より好ましい無機真珠光沢剤は雲母であり、更により好ましくは、ＢＡＳＦ  Ｍｅａｒｌｉｎ  Ｓｕｐｅｒｆｉｎｅなどの、二酸化チタン処理雲母である。
【０２３８】
当該組成物は、当該組成物の０．００５重量％〜３．０重量％、好ましくは０．０１重量％〜１重量％の１００％活性真珠光沢剤を含み得る。真珠光沢剤は、有機又は無機であってよい。当該組成物は、有機及び／又は無機真珠光沢剤を含み得る。
【０２３９】
有機真珠光沢剤：
当該組成物が有機真珠光沢剤を含むとき、当該組成物の０．０５重量％〜２．０重量％、好ましくは０．１重量％〜１．０重量％活性濃度で、１００％活性有機真珠光沢剤が含まれる。好適な有機真珠光沢剤としては、エチレングリコールジステアレートなどのアルキレングリコールのモノエステル及び／又はジエステルが挙げられる。
【０２４０】
無機真珠光沢剤：
別の実施形態では、当該組成物は無機真珠光沢剤を含んでもよい。当該組成物が無機真珠光沢剤を含むとき、当該組成物の０．００５重量％〜１．０重量％、好ましくは０．０１重量％〜０．２重量％活性濃度で、１００％活性無機真珠光沢剤が含まれる。
【０２４１】
懸濁粒子
一実施形態では、当該組成物は、約０．０１重量％〜約５重量％、あるいは約０．０５重量％〜約４重量％、あるいは約０．１重量％〜約３重量％の濃度で複数の懸濁粒子を更に含む。好適な懸濁粒子の例は、米国特許第７，１６９，７４１号及び米国特許公開第２００５／０２０３２１３号に記載されており、それらの開示は参照により本明細書に組み込まれる。これら懸濁粒子は、液体コア又は固体コアを含み得る。これら液体コア粒子及び固体コア粒子の詳細な説明、並びに好ましい粒径、粒子形状、粒子密度、及び粒子破裂強度の説明は、米国特許出願第１２／３７０，７１４号に記載されており、その開示は参照により本明細書に組み込まれる。
【０２４２】
好ましい一実施形態では、粒子は、例えば、（変形可能な）ビーズ、封入物、ポリマー粒子様プラスチック、金属（例えば、箔材料、フレーク、グリッター）、（干渉）顔料、鉱物（塩、岩、小石、溶岩、ガラス／シリカ粒子、タルク）、植物性材料（例えば、核又は種、植物繊維、柄、茎、葉又は根）、固体結晶及び液晶などが挙げられるがこれらに限定されない、任意の別個の視覚的に区別可能な物質形態であってよい。球状から板状までの範囲で、様々な粒子形状が可能である。
【０２４３】
一実施形態では、懸濁粒子は、気体又は気泡であってよい。この実施形態では、各気泡の直径は、約５０〜約２０００マイクロメートルであってよく、当該組成物の約０．０１体積％〜約５体積％の濃度、あるいは当該組成物の約０．０５体積％〜約４体積％の濃度、あるいは当該組成物の約０．１体積％〜約３体積％の濃度で存在してよい。
【０２４４】
乳白剤
一実施形態では、当該組成物は、乳白剤を含んでもよい。
【０２４５】
この用語を本明細書で使用するとき、「乳白剤」は、次の系を不透明にするために材料に添加される物質である。好ましい一実施形態では、乳白剤は、Ｄｏｗ  Ｃｈｅｍｉｃａｌｓから入手可能なＡｃｕｓｏｌである。Ａｃｕｓｏｌ乳白剤は、特定の固形分濃度％の液体形態で提供される。供給されたままのＡｃｕｓｏｌ乳白剤のｐＨは２．０〜５．０の範囲であり、粒径は０．１７〜０．４５ｕｍの範囲である。好ましい一実施形態では、Ａｃｕｓｏｌ  ＯＰ３０３Ｂ及び３０１を使用することができる。
【０２４６】
更に別の実施形態では、乳白剤は無機乳白剤であってもよい。好ましくは、無機乳白剤は、ＴｉＯ２、ＺｎＯ、タルク、ＣａＣｏ３、及びこれらの組み合わせであってもよい。乳白剤−ミクロスフェア複合材料は、事前に選択した比重で容易に形成され、したがって材料が分離する傾向はほとんどない。
【０２４７】
ヒドロトロープ：当該組成物は、任意に、組成物が水と相溶性になるように、有効量、すなわち、約０％〜１５％、又は約１％〜１０％、又は約３％〜約６％のヒドロトロープを含み得る。本明細書に用いるのに好適なヒドロトロープとしては、米国特許第３，９１５，９０３号に開示されているような、アニオン型のヒドロトロープ、特にキシレンスルホン酸ナトリウム、キシレンスルホン酸カリウム、及びキシレンスルホン酸アンモニウム、トルエンスルホン酸ナトリウム、トルエンスルホン酸カリウム及びトルエンスルホン酸アンモニウム、クメンスルホン酸ナトリウム、クメンスルホン酸カリウム及びクメンスルホン酸アンモニウム、並びにこれらの混合物が挙げられる。
【０２４８】
抗酸化剤：当該組成物は、任意に、当該組成物中に存在する抗酸化剤を約０．００１〜約２重量％含有していてよい。好ましくは、抗酸化剤は、０．０１〜０．０８重量％の範囲の濃度で存在する。抗酸化剤の混合物を使用してもよい。
【０２４９】
抗酸化剤は、Ｋｉｒｋ−Ｏｔｈｍｅｒ（第３巻、４２４ページ）及びＵｌｌｍａｎｎのＥｎｃｙｃｌｏｐｅｄｉａ（第３巻、９１ページ）に記載されているような物質である。
【０２５０】
本発明で使用される抗酸化剤の一分類は、以下の一般式を有するアルキル化フェノールである：
【０２５１】
【化２０】
2020535276.tif 000021
（式中、Ｒは、Ｃ１〜Ｃ２２直鎖又は分岐鎖アルキル、好ましくはメチル又は分岐鎖Ｃ３〜Ｃ６アルキル、Ｃ１〜Ｃ６アルコキシ、好ましくはメトキシであり、Ｒ１は、Ｃ３〜Ｃ６分枝鎖アルキル、好ましくはｔｅｒｔ−ブチルであり、ｘは、１又は２である）。ヒンダードフェノール化合物は、この式を有するアルキル化フェノールの好ましい種類である。この種の好ましいヒンダードフェノール化合物は、３，５−ジ−ｔｅｒｔ−ブチル−４−ヒドロキシトルエン（ＢＨＴ）である。
【０２５２】
更に、当該組成物で使用される抗酸化剤は、α−、β−、γ−、δ−−トコフェロール、エトキシキン、２，２，４−トリメチル−１，２−ジヒドロキノリン、２，６−ジ−ｔｅｒｔ−ブチルヒドロキノン、ｔｅｒｔ−ブチルヒドロキシアニソール、リグノスルホン酸及びその塩、並びにこれらの混合物からなる群から選択され得る。エトキシキン（１，２−ジヒドロ−６−エトキシ−２，２，４−トリメチルキノリン）は、Ｒａｓｃｈｉｇ（商標）によりＲａｌｕｑｕｉｎ（商標）という名称で販売されていることに留意されたい。
【０２５３】
当該組成物に使用され得る他の種類の抗酸化剤は、６−ヒドロキシ−２，５，７，８−テトラメチルクロマン−２−カルボン酸（Ｔｒｏｌｏｘ（商標））及び１，２−ベンズイソチアゾリン−３−オン（Ｐｒｏｘｅｌ  ＧＸＬ（商標））である。
【０２５４】
当該組成物に使用するのに好適であり得る抗酸化剤の更なる分類は、以下の式を有するベンゾフラン又はベンゾピラン誘導体である：
【０２５５】
【化２１】
2020535276.tif 000022
（式中、Ｒ１及びＲ２は、各々独立して、アルキルであるか、又はＲ１及びＲ２は一緒になってＣ５〜Ｃ６環状ヒドロカルビル部分を形成してもよく、Ｂは、存在しないか又はＣＨ２であり、Ｒ４は、Ｃ１〜Ｃ６アルキルであり、Ｒ５は、水素又は−Ｃ（Ｏ）Ｒ３であり、Ｒ３は、水素又はＣ１〜Ｃ１９アルキルであり、Ｒ６は、Ｃ１〜Ｃ６アルキルであり、Ｒ７は、水素又はＣ１〜Ｃ６アルキルであり、Ｘは、−ＣＨ２ＯＨ又は−ＣＨ２Ａであり、Ａは、窒素含有単位、フェニル、又は置換フェニルである）。好ましい窒素含有Ａ単位としては、アミノ、ピロリジノ、ピペリジノ、モルホリノ、ピペラジノ、及びこれらの混合物が挙げられる。
【０２５６】
トコフェロールソルベート、ブチル化ヒドロキシル安息香酸（benxoic acids）及びその塩、没食子酸及びそのアルキルエステル、尿酸及びその塩、ソルビン酸及びその塩、並びにジヒドロキシフマル酸及びその塩などの抗酸化剤を使用してもよい。一態様では、当該組成物に使用するための最も好ましい種類の抗酸化剤は、３，５−ジ−ｔｅｒｔ−ブチル−４−ヒドロキシトルエン（ＢＨＴ）、α−、β−、γ−、δ−トコフェロール、１，２−ベンズイソチアゾリン−３−オン（Ｐｒｏｘｅｌ  ＧＸＬ（商標））及びこれらの混合物である。
【０２５７】
本発明の洗浄組成物はまた、抗菌剤を含有してもよい。カチオン性活性成分としては、ｎ−アルキルジメチルベンジルアンモニウムクロリド、アルキルジメチルエチルベンジルアンモニウムクロリド、ジアルキルジメチル四級アンモニウム化合物、例えば、ジデシルジメチルアンモニウムクロリド、Ｎ，Ｎ−ジデシル−Ｎメチル−ポリ（オキシエチル）アンモニウムプロピオネート、ジオクチルジデシルアンモニウムクロリド（臭素などの無機又は有機対イオンを有する塩化ベンゼトニウム及び四級アンモニウム化合物などの四級種も含む）、炭酸塩、若しくはジアルキルジメチルアンモニウムカルボネートを含む他の部分に加えて、抗菌アミン、例えば、グルコン酸クロルヘキシジン、ＰＨＭＢ（ポリヘキサメチレンビグアニド）、ビグアニドの塩、置換ビグアニド誘導体、四級アンモニウム含有化合物の有機塩、若しくは四級アンモニウム含有化合物の無機塩、又はこれらの混合物を挙げることができるが、これらに限定されない。
【０２５８】
パッケージ。任意の従来のパッケージを用いてよく、本発明に不可欠な染料の色によってもたらされ得るか又は当該染料の色に寄与し得る洗濯ケア組成物の色を消費者が見ることができるように、パッケージは全体的に又は部分的に透明であってよい。パッケージの一部又は全部に、紫外線吸収化合物を含めてもよい。
【０２５９】
液体の形態である場合、本発明の洗濯ケア組成物は、水性（典型的には２重量％超又は更には５若しくは１０重量％超の総含水量、最大で９０又は最大で８０重量％若しくは７０重量％の総含水量）であっても、非水性（典型的には２重量％未満の総含水量）であってもよい。典型的には、本発明の組成物は、界面活性剤、シェーディング染料、及び本組成物の通常液体の成分、例えば、アルコールエトキシレート非イオン性液体、水性液体担体、及び任意の他の通常液体の任意による成分と組み合わせられた特定の任意による他の成分（これら成分の一部は通常固体の形態であってもよい）の水溶液又は均一な分散液若しくは懸濁液の形態である。このような溶液、分散液又は懸濁液は、許容可能な相安定性を有する。液体の形態であるとき、本発明の洗濯ケア組成物は、好ましくは、２０ｓ−１及び２１℃において１〜１５００センチポアズ（１〜１５００ｍＰａ＊ｓ）、より好ましくは１００〜１０００センチポアズ（１００〜１０００ｍＰａ＊ｓ）、最も好ましくは２００〜５００センチポアズ（２００〜５００ｍＰａ＊ｓ）の粘度を有する。粘度は、従来法によって測定することができる。粘度は、ＴＡ  ｉｎｓｔｒｕｍｅｎｔｓ製のＡＲ５５０レオメータを用いて、直径４０ｍｍ及びギャップサイズ５００μｍのプレートスチールスピンドルを用いて測定してよい。２０ｓ−１での高剪断粘度、及び０．０５−１での低剪断粘度は、２１℃における３分間の０．１−１〜２５−１の対数剪断速度曲線から得ることができる。本明細書に記載の好ましいレオロジーは、内部存在構造剤を洗剤成分と共に使用して、又は外部レオロジー変性剤を使用することによって得ることができる。より好ましくは、洗濯ケア組成物、例えば、液体洗剤組成物の高剪断速度における粘度は約１００センチポアズ〜１５００センチポアズ、より好ましくは１００〜１０００ｃｐｓである。単位用量洗濯ケア組成物、例えば液体洗剤組成物の高剪断速度における粘度は、４００〜１０００ｃｐｓである。洗濯柔軟化組成物などの洗濯ケア組成物の高剪断速度における粘度は、典型的には１０〜１０００、より好ましくは１０〜８００ｃｐｓ、最も好ましくは１０〜５００ｃｐｓである。食器手洗い用組成物は、３００〜４０００ｃｐｓ、より好ましくは３００〜１０００ｃｐｓの高剪断速度粘度を有する。
【０２６０】
本明細書における液体組成物、好ましくは洗濯ケア組成物は、その成分を任意の従来の順番で組み合わせ、得られた成分の組み合わせを混合、例えば撹拌して、相安定性液体洗濯ケア組成物を形成することによって調製することができる。このような組成物を調製するプロセスでは、例えば、非イオン性界面活性剤、非界面活性液体キャリア及び他の任意による液体成分などの液体成分の少なくとも大部分、又は更には実質的に全てを含有する液体マトリックスが形成され、当該液体成分は、この液体の組み合わせに剪断撹拌を付与することによって十分に混合されている。例えば、機械的撹拌機による高速撹拌が通常使用され得る。剪断撹拌を維持しつつ、任意のアニオン性界面活性剤及び固体形態の成分の実質的に全てを添加することができる。混合物の撹拌を継続し、必要であればその時点で増強させてよく、液相内の不溶性固相粒子の溶液又は均質な分散液を形成する。固体形態物質の一部又は全てをこの撹拌混合物に添加した後、含める任意の酵素物質の粒子、例えば、酵素プリルを組み込む。上述の組成物調製手順の変形例として、固体成分の１つ以上を、液体成分の１つ以上の微量の部分と予め混合した粒子の溶液又はスラリーとして、撹拌混合物に添加してよい。組成物成分の全てを添加した後、必要な粘度及び相安定特性を有する組成物を形成するのに十分な時間にわたって、混合物の撹拌を継続する。多くの場合、これは約３０分〜６０分の間の撹拌を伴う。
【０２６１】
本発明のロイコ着色剤は、広範囲のｐＨ値を有する液体洗濯ケア組成物での使用に好適であることが判明した。例えば、本発明のロイコ着色剤は、１０以上のｐＨを有する液体洗濯ケア組成物での使用に好適であることが判明した。また、本発明のロイコ着色剤は、１０未満のｐＨを有する液体洗濯ケア組成物での使用に好適であることが判明した。したがって、ロイコ着色剤は、１０以上及び１０以下のｐＨ値を有する洗濯ケア組成物において安定である。
【０２６２】
パウチ。本発明の好ましい実施形態では、当該組成物は、単位用量の形態にて、錠剤の形態、又は好ましくは水溶性フィルム（パウチ又はポッドとして知られているもの）内に保持されている液体／固体（任意に顆粒）／ゲル／ペーストの形態のいずれかで提供される。当該組成物は、単一区画パウチに封入しても、又は多区画パウチに封入してもよい。多区画パウチは、欧州特許出願公開第２１３３４１０（Ａ）号により詳細に記載されている。本組成物が多区画パウチ内に存在している場合、本発明の組成物は１つ又は２つ以上の区画内に存在してよく、すなわち、染料は１つ以上の区画、任意に全ての区画に存在していてもよい。非シェーディング染料若しくは顔料又はその他の審美剤も、１つ以上の区画で用いてよい。一実施形態では、本組成物は、多区画パウチのうちの一区画に存在する。
【０２６３】
好ましいフィルム材料は、ポリマー材料である。フィルム材料は、例えば、当該技術分野において公知であるとおり、ポリマー材料を注型成形、吹込成形、押出成形又は吹込押出成形することによって得ることができる。パウチ材料として使用するのに好適な好ましいポリマー、コポリマー又はこれらの誘導体は、ポリビニルアルコール、ポリビニルピロリドン、ポリアルキレンオキシド、アクリルアミド、アクリル酸、セルロース、セルロースエーテル、セルロースエステル、セルロースアミド、ポリビニルアセテート、ポリカルボン酸及び塩、ポリアミノ酸又はペプチド、ポリアミド、ポリアクリルアミド、マレイン酸／アクリル酸のコポリマー、デンプン及びゼラチンを含む多糖類、キサンタン及びカラゴムなどの天然ゴムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにこれらの組み合わせから選択される。好ましくは、パウチ材料中のポリマー、例えば、ＰＶＡポリマーの濃度は、少なくとも６０％である。ポリマーは、任意の重量平均分子量を有してもよく、好ましくは、約１０００〜１，０００，０００、より好ましくは、約１０，０００〜３００，０００、更により好ましくは、約２０，０００〜１５０，０００である。また、ポリマーの混合物をパウチ材料として使用してもよい。これは、その用途及び必要とされるニーズに応じて、区画又はパウチの機械的特性及び／又は溶解特性を制御するのに有益であり得る。好適な混合物には、例えば、１つのポリマーの水溶性が別のポリマーよりも高く、及び／又は１つのポリマーの機械的強度が別のポリマーよりも高い、混合物が挙げられる。また、異なる重量平均分子量を有するポリマーの混合物、例えば、約１０，０００〜４０，０００、好ましくは２０，０００前後の重量平均分子量のＰＶＡ又はそのコポリマーと、約１００，０００〜３００，０００、好ましくは１５０，０００前後の重量平均分子量のＰＶＡ又はそのコポリマーとの混合物も好適である。また、ポリマーブレンド組成物、例えば、加水分解により分解可能な水溶性のポリマーブレンド（ポリラクチド及びポリビニルアルコールを混合することにより得られ、典型的には約１〜３５重量％のポリラクチドと、約６５〜９９重量％のポリビニルアルコールとを含む、ポリラクチドとポリビニルアルコールとのポリマーブレンドなど）を含むポリマーブレンド組成物も、本明細書において好適である。本明細書において使用するのに好ましいものは、約６０％〜約９８％加水分解され、好ましくは約８０％〜約９０％加水分解され、材料の溶解特性が向上したポリマーである。
【０２６４】
当然のことながら、異なるフィルム材料及び／又は異なる厚さのフィルムを、本発明の区画の作製に用いてよい。異なるフィルムを選択する利点は、得られる区画が、異なる溶解性又は放出特性を示し得ることである。
【０２６５】
最も好ましいフィルム材料は、ＭｏｎｏＳｏｌ商品整理番号Ｍ８６３０、Ｍ８９００、Ｈ８７７９として知られているＰＶＡフィルム、並びに米国特許第６１６６１１７号及び同第６７８７５１２号に記載されているもの、並びに対応する溶解度及び変形特性のＰＶＡフィルムである。
【０２６６】
また、本明細書のフィルム材料は、１つ以上の添加剤成分を含んでもよい。例えば、可塑剤、例えばグリセロール、エチレングリコール、ジエチレングリコール、プロピレングリコール、ソルビトール及びこれらの混合物を添加することは有益であり得る。他の添加剤としては、洗浄水に送達される機能性洗剤添加剤、例えば、有機ポリマー分散剤などが挙げられる。
【０２６７】
固体形態。上述のように、洗濯ケア組成物は固体形態であってよい。好適な固体形態としては、錠剤及び粒子の形状、例えば、粒状粒子、フレーク又はシートが挙げられる。このような固形形態の洗剤組成物を形成するための種々の技術は当該技術分野において周知であり、本明細書で使用されてもよい。一態様では、例えば、当該組成物が顆粒粒子の形態であるとき、ロイコ着色剤は微粒子の形状で提供され、任意に、洗濯洗剤組成物の追加の成分（ただし全てではない）を含む。着色剤粒子は、洗濯洗剤組成物の成分の残部を構成する１つ以上の追加の粒子と組み合わされる。更に、任意に洗濯ケア組成物の追加の成分（ただし全てではない）を含む着色剤は、封入化形状で提供されてもよく、シェーディング染料封入物は、洗濯ケア組成物の成分の実質的な残部を構成する粒子と組み合わされる。
【０２６８】
使用方法。上記のように調製した本発明の組成物を用いて、布地の洗濯／処理に用いるための水性洗浄／処理溶液を形成することができる。一般的に、このような組成物の有効量を、例えば従来の布地用自動洗濯機内の水に添加して、このような水性洗濯溶液を形成する。次いで、このようにして形成した水性洗浄溶液を、典型的には撹拌下で、その溶液で洗濯／処理しようとする布地と接触させる。水に添加して水性洗濯溶液を形成する有効量の本明細書の液体洗剤組成物は、水性洗浄溶液中に約５００〜７，０００ｐｐｍの組成物を形成するのに十分な量を含み得るか、又は約１，０００〜３，０００ｐｐｍの本明細書の洗濯ケア組成物が水性洗浄溶液に提供される。
【０２６９】
典型的には、洗浄液は、洗濯ケア組成物を、洗浄液中の洗濯ケア組成物の濃度が０ｇ／Ｌ超〜５ｇ／Ｌ、又は１ｇ／Ｌから４．５ｇ／Ｌ、又は４．０ｇ／Ｌ、又は３．５ｇ／Ｌ、又は３．０ｇ／Ｌ、又は２．５ｇ／Ｌ、又は更には２．０ｇ／Ｌ、又は更には１．５ｇ／Ｌまでになるような量の洗浄水と接触させることによって形成される。布地又は織物製品を洗濯する方法は、トップローディング式又はフロントローディング式自動洗濯機で行ってもよく、又は手洗い洗濯用途で用いてもよい。これら用途では、形成される洗浄液、及び洗浄液中の洗濯洗剤組成物の濃度は、主洗濯サイクルのものである。洗浄液の容積を決定するとき、いかなる任意によるすすぎ工程中のいかなる水の投入量も含まない。
【０２７０】
洗浄液は、４０リットル以下の水、又は３０リットル以下、又は２０リットル以下、又は１０リットル以下、又は８リットル以下、又は更には６リットル以下の水を含み得る。洗浄液は、０リットルを超えて１５リットルまで、又は２リットから１２リットルまで、又は更には８リットルまでの水を含み得る。典型的には、洗浄液１リットル当たり０．０１ｋｇ〜２ｋｇの布地を当該洗浄液に投入する。典型的には、洗浄液１リットル当たり０．０１ｋｇ以上、又は０．０５ｋｇ以上、又は０．０７ｋｇ以上、又は０．１０ｋｇ以上、又は０．１５ｋｇ以上、又は０．２０ｋｇ以上、又は０．２５ｋｇ以上の布地を当該洗浄液に投入する。任意に、５０ｇ以下、又は４５ｇ以下、又は４０ｇ以下、又は３５ｇ以下、又は３０ｇ以下、又は２５ｇ以下、又は２０ｇ以下、又は更には１５ｇ以下、又は更には１０ｇ以下の組成物を水に接触させて、洗浄液を形成する。かかる組成物は、典型的には、溶液中約５００ｐｐｍ〜約１５，０００ｐｐｍの濃度で用いられる。洗浄溶媒が水である場合、水の温度は通常約５〜約９０℃の範囲であり、部位が布地を含む場合、水対布地の比は通常約１：１〜約３０：１である。典型的には、本発明の洗濯ケア組成物を含む洗浄液のｐＨは３〜１１．５である。
【０２７１】
一態様では、任意に上記表面又は布地を洗浄及び／又はすすぐ工程と、当該表面又は布地を本明細書に開示する任意の組成物と接触させ、次いで、任意に当該表面又は布地を洗浄及び／又はすすぐ工程と、を含む、このような方法を、任意による乾燥工程と共に開示する。
【０２７２】
このような表面又は布地の乾燥工程は、家庭環境又は工業環境のいずれかで使用される、一般的な手段のうちの任意の１つにより実行することができる。布地は、通常の消費者による又は業務用の使用条件で洗濯することができる任意の布地を含んでもよく、本発明は、セルロース基材に好適であり、いくつかの態様では、ポリエステル及びナイロンなどの合成織物、並びに合成及びセルロースの布地及び／又は繊維を含む混紡の布地及び／又は繊維の処理にも好適である。合成布地の例は、ポリエステル、ナイロンであり、これらは、セルロース繊維との混紡布、例えば、ポリコットン布地中に存在し得る。溶液のｐＨは、典型的には、７〜１１、より一般的には、８〜１０．５である。本組成物は、典型的には、溶液中５００ｐｐｍ〜５，０００ｐｐｍの濃度で使用される。水温は、典型的には約５℃〜約９０℃の範囲である。水と布地との比は、典型的には、約１：１〜約３０：１である。
【０２７３】
したがって、第３の実施形態では、本発明は、織物を処理する方法を提供する。本方法は、好ましくは、（ｉ）本明細書に記載されるロイコ組成物を含有する水溶液で織物を処理する工程と、（ｉｉ）任意に、織物をすすぐ工程と、（ｉｉｉ）織物を乾燥する工程と、を含む。一態様では、本発明は、（ｉ）本明細書に記載されるロイコ組成物を含有する水溶液で織物を処理する工程であって、水溶液が、１０ｐｐｂ〜５０００ｐｐｍの少なくとも少なくとも１つのロイコ化合物と、０．０ｇ／Ｌ〜３ｇ／Ｌの界面活性剤とを含む、処理する工程と、（ｉｉ）任意にすすぐ工程と、（ｉｉｉ）織物を乾燥する工程と、を含む、織物を処理する方法を提供する。本方法で利用されるロイコ組成物は、本明細書に記載のロイコ組成物のいずれかであり得る。更に、本方法で利用される水溶液は、ロイコ組成物を水性媒体に直接添加することによって、又はロイコ組成物を含有する洗濯ケア組成物を水性媒体に添加することによって、作製することができる。
【０２７４】
試験法
本明細書の試験方法で使用される布地スワッチは、Ｔｅｓｔｆａｂｒｉｃｓ，Ｉｎｃ．（Ｗｅｓｔ  Ｐｉｔｔｓｔｏｎ，ＰＡ）から入手され、１００％綿のスタイル４０３（２”×２”に切断）及び／又はスタイル４６４（４”×６”に切断）、並びに増白されていない多繊維布地、具体的にはスタイル４１（５ｃｍ×１０ｃｍ）である。
【０２７５】
乾燥布地スワッチにおけるＬ＊、ａ＊、ｂ＊、Ｋ／Ｓ、及び白色度指数（ＷＩ  ＣＩＥ）の値を含む全ての反射スペクトル及び色測定値は、４つの分光光度計のうちの１つを用いて得られる：（１）Ｋｏｎｉｃａ  Ｍｉｎｏｌｔａ  ３６１０ｄ反射分光光度計（Ｋｏｎｉｃａ  Ｍｉｎｏｌｔａ  Ｓｅｎｓｉｎｇ  Ａｍｅｒｉｃａｓ，Ｉｎｃ．，Ｒａｍｓｅｙ，ＮＪ，ＵＳＡ；Ｄ６５光源、１０°オブザーバ、ＵＶ光除外）、（２）ＬａｂＳｃａｎ  ＸＥ反射分光光度計（ＨｕｎｔｅｒＬａｂｓ，Ｒｅｓｔｏｎ，ＶＡ；Ｄ６５光源、１０°オブザーバ、ＵＶ光除外）、（３）Ｃｏｌｏｒ  Ｅｙｅ（登録商標）７０００Ａ（ＧｒｅｔａｇＭａｃｂｅｔｈ，Ｎｅｗ  Ｗｉｎｄｓｏｒ，ＮＹ，ＵＳＡ；Ｄ６５光、ＵＶ除外）、又は（４）Ｃｏｌｏｒ  ｉ７分光光度計（Ｘ−ｒｉｔｅ，Ｉｎｃ．，Ｇｒａｎｄ  Ｒａｐｉｄｓ，ＭＩ，ＵＳＡ；Ｄ６５光、ＵＶ除外）。
【０２７６】
特に指示がない限り、布地が照射を受ける場合、指定された乾燥後の布地は、最高キャビネット温度が３７℃、ブラックパネル温度（ＢＰＴブラックパネル形状）が５７℃、及び３５％ＲＨ（相対湿度）に設定されたＴｙｐｅ  Ｓ  Ｂｏｒｏｓｉｌｉｃａｔｅホウケイ酸塩内部フィルタ（部品番号２０２７７３００）及び外部フィルタ（部品番号２０２７９６００）を備えたＡｔｌａｓ  Ｘｅｎｏｎ  Ｆａｄｅ−Ｏｍｅｔｅｒ  Ｃｉ３０００＋（Ａｔｌａｓ  Ｍａｔｅｒｉａｌ  Ｔｅｓｔｉｎｇ  Ｔｅｃｈｎｏｌｏｇｙ（Ｍｏｕｎｔ  Ｐｒｏｓｐｅｃｔ，Ｉｌｌｉｎｏｉｓ，ＵＳＡ））内で、４２０ｎｍで放射照度０．７７Ｗ／ｍ２の模擬太陽光に曝露される。別途記載のない限り、照射は、規定の持続時間にわたって連続的である。
【０２７７】
Ｉ．洗浄溶液からロイコ化合物効率を求める方法
使用前に綿スワッチ（スタイル４６４）を細片化し、４９℃の増白剤無配合強力液体洗濯洗剤（水溶液中１．５５ｇ／Ｌ）により２回洗浄することによって使用する。試験を行う各ロイコ組成物の濃縮原液を、エタノール、又は５０：５０のエタノール：水、好ましくはエタノールから選択される溶媒で調製する。
【０２７８】
綿布のＬ＊、ａ＊、ｂ＊、及び白色度指数（ＷＩ  ＣＩＥ）の値は全て、乾燥したスワッチ上において、Ｋｏｎｉｃａ−Ｍｉｎｏｌｔａ  ３６１０ｄ反射分光光度計を使用して測定する。
【０２７９】
ベース洗浄溶液は、増白剤無配合ＡＡＴＣＣ強力液体洗濯洗剤（５．２３ｇ／１．０Ｌ）を脱イオン水に溶解することによって調製される。４枚の細片化された（stripped）綿布スワッチを一緒に計量し、２枚の１０ｍｍのガラスマーブルと共に２５０ｍＬの三角フラスコに入れる。試験される各洗浄溶液について、合計３つのこのようなフラスコを準備する。ベース洗浄溶液にロイコ複合体の原液を投入して、所望の２．００×１０−６等量／Ｌの洗浄剤濃度のロイコ複合体を有する洗浄溶液を得る。
【０２８０】
１０．０：１．０液：布地（重量／重量）比を提供するのに十分なこの洗浄溶液のアリコートを、３つの２５０ｍＬ三角フラスコの各々に入れる。各フラスコに１０００ｇｐｇ硬度の原液を投入して、６ｇｐｇ（３：１  Ｃａ：Ｍｇ）の最終洗浄硬度を得る。
【０２８１】
フラスコをＭｏｄｅｌ７５リストアクションシェーカー（Ｂｕｒｒｅｌｌ  Ｓｃｉｅｎｔｉｆｉｃ，Ｉｎｃ．（Ｐｉｔｔｓｂｕｒｇ，ＰＡ））上に置き、最大設定で１２分攪拌した後、洗浄溶液を吸引除去し、用いられた洗浄溶液量と等量のすすぎ水（０ｇｐｇ）を添加する。各フラスコに１０００ｇｐｇ硬度の原液を投入して、６ｇｐｇ（３：１  Ｃａ：Ｍｇ）の最終すすぎ硬度を得た後、更に４分間撹拌する。すすぎ水を吸引除去し、布地スワッチを１分間回転乾燥し（Ｍｉｎｉ  Ｃｏｕｎｔｅｒｔｏｐ  Ｓｐｉｎ  Ｄｒｙｅｒ、Ｔｈｅ  Ｌａｕｎｄｒｙ  Ａｌｔｅｒｎａｔｉｖｅ  Ｉｎｃ．（Ｎａｓｈｕａ，ＮＨ））、次いで、１３５°Ｆに設定された食品脱水機に入れて、暗所で２時間乾燥させる。この乾燥手順に続いて、布地の特性を測定する前に、サンプルを暗所に保存するか、又は様々な時間にわたって光に曝露することができる。
【０２８２】
消費者の習慣は世界中で大きく異なるため、使用される方法は、条件にわたってロイコ化合物の効果を測定できることを可能にすべきである。このような条件の１つは、乾燥後の光への曝露である。いくつかのロイコ化合物は、暗所貯蔵下では明所貯蔵下のように大きな効果を示さないため、各ロイコ化合物は、最適な効果を決定するために両方の条件の設定下で試験されなければならない。したがって、方法Ｉは、測定が行われる前に、様々な時間増分で、乾燥した布地を擬似太陽光に曝露することを含み、ＬＣＥ値は、以下に記載される曝露時間のセットから得られた最大値に設定される。
【０２８３】
Ａ．乾燥後の暗所条件
乾燥後、布地は、測定時点の間、室温で暗所に保管される。綿布のＬ＊、ａ＊、ｂ＊、及び白色度指数（ＷＩ  ＣＩＥ）値は、２時間の乾燥期間の終了後の時間ｔ＝０、６、２４及び４８時間の時点で測定する。各ロイコ着色剤について生成された１２のスワッチ（それぞれ４つのスワッチを有する３つのフラスコ）の値を平均して、各時点ｔにおけるＬ＊、ａ＊、ｂ＊及びＷＩ  ＣＩＥのサンプル値を得る。
【０２８４】
対照処理のＬ＊、ａ＊、ｂ＊、及び白色度指数（ＷＩ  ＣＩＥ）値を得るために、次の例外を除いて上記手順を繰り返す：（１）対照ベース洗浄溶液は、増白剤無配合ＡＡＴＣＣ強力液体洗濯洗剤（５．２３ｇ／１．０Ｌ）を脱イオン水中で使用して調製される、及び（２）乾燥期間後に測定される対照について生成された１２のスワッチの値を平均して、Ｌ＊、ａ＊、ｂ＊及びＷＩ  ＣＩＥのサンプル値を得、ｔ＝０における対照値もまた、ｔ＝６、２４及び４８時間の対照値として使用される。
【０２８５】
洗濯ケア配合物中のロイコ着色剤のロイコ着色剤効率（ＬＣＥ）は、以下の等式を使用して、各時点ｔで収集されたデータに基づいて計算される。
ＬＣＥｔ＝ＤＥ＊＝（（Ｌ＊ｃ−Ｌ＊ｓ）２＋（ａ＊ｃ−ａ＊ｓ）２＋（ｂ＊ｃ−ｂ＊ｓ）２）１／２
式中、下付き文字ｃ及びｓは、それぞれ、対照、すなわち、増白剤無配合ＡＡＴＣＣ強力液体洗濯洗剤で洗浄された布地、及びサンプル、すなわち、ロイコ着色剤を含有する洗濯ケア配合物で洗浄された布地を指し、ＬＣＥｔを計算するために使用される値は、対応する時点ｔ（０、６、２４又は４８時間）における値である。
【０２８６】
各洗浄溶液（それぞれ４つのスワッチを備える３つのフラスコ）に対して生成された１２個のスワッチのＷＩ  ＣＩＥ値を平均し、以下の等式を用いて洗浄時の白色度指数の変化を計算する。
ΔＷＩ＝ＷＩ  ＣＩＥ（洗浄後）−ＷＩ  ＣＩＥ（洗浄前）
【０２８７】
洗濯ケア配合物（ΔＷＩサンプル）及び増白剤無配合ＡＡＴＣＣ  ＨＤＬ（ΔＷＩ対照）について別個の値が存在する。２つの配合物の間での白色度の変化は次式によって与えられる。
δΔＷＩ＝ΔＷＩサンプル−ΔＷＩ対照
【０２８８】
Ｂ．乾燥後の明所条件
乾燥後の特定の綿布を、１５分、３０分、４５分、６０分、７５分、９０分、１２０分、及び２４０分間にわたって模擬太陽光に曝露する。綿布のＬ＊、ａ＊、ｂ＊、及び白色度指数（ＷＩ  ＣＩＥ）値を、各曝露期間後にスワッチ上で測定する。各曝露時点におけるＬＣＥ及びΔＷＩ値の計算は、上記の方法Ｉ．Ａ．に記載されているとおりであり、サンプル及び対照洗濯ケア配合物のＬＣＥ値及びΔＷＩ値は、列挙される曝露時間のセットから得られる最大値に設定される。
【０２８９】
ＩＩ．相対色相角を求める方法（対ＡＡＴＣＣ対照）
上記の方法Ｉに従って処理された綿布にロイコ着色剤によってもたらされる相対色相角は、以下のように求められる。
ａ）各溶液からの１２のスワッチのａ＊値及びｂ＊値を平均し、以下の式を使用してΔａ＊及びΔｂ＊を求める。
Δａ＊＝ａ＊ｓ−ａ＊ｃ及びΔｂ＊＝ｂ＊ｓ−ｂ＊ｃ
式中、下付き文字ｃ及びｓは、それぞれ、増白剤無配合ＡＡＴＣＣ強力液体洗濯洗剤（対照）で洗浄された布地、及びロイコ着色剤を含有する洗濯ケア配合物（サンプル）で洗浄された布地を指す。
ｂ）Δａ＊及びΔｂ＊の両方の絶対値が＜０．２５である場合、相対色相角（Relative Hue Angle、ＲＨＡ）は計算されない。Δａ＊又はΔｂ＊のいずれかの絶対値が≧０．２５である場合、ＲＨＡは以下の式の１つを用いて求められる。
Δｂ＊≧０の場合、ＲＨＡ＝ＡＴＡＮ２（Δａ＊，Δｂ＊）
Δｂ＊＜０の場合、ＲＨＡ＝３６０＋ＡＴＡＮ２（Δａ＊，Δｂ＊）
【０２９０】
相対色相角は、乾燥後の暗所における評価又は乾燥後の明所における評価のいずれかでデータが収集される各時点について計算することができる。請求項の要件を満たすためにこれら時点のいずれを使用してもよい。
【０２９１】
ＩＩＩ．ロイコ着色剤及びその酸化形態の表面張力値の測定方法。
試験される物質は、本発明によるロイコ着色剤、又はロイコ着色剤の第２の着色状態を表す染料（例えば、トリアリールメタン染料）のいずれかである。試験される物質の合計２５０〜２５５ｍｇを、４ｏｚ．のガラス瓶に秤量し、５０．０ｍＬの脱イオン水（Ｂａｒｎｓｔｅｓｂ  Ｐｕｒｅ  Ｓｙｓｔｅｍ、約１７．２７オーム）を磁気撹拌棒と共に添加する。瓶に蓋をし、磁気撹拌プレート上に置き、混合物を２２．０℃で１時間撹拌する。その後、撹拌を停止し、混合物を１時間静置したままにしておく。その時間の終わりに、１０．０ｍＬの溶液を注射器内に引いて、次いでガラスファイバーＡｃｒｏｄｉｓｃ（登録商標）フィルタを取り付け、アリコートを２０ｍＬシンチレーションバイアルに濾過する。ＶＷＲ  ＬａｂＭａｘピペッタを使用してピペット分けし、４５．０マイクロリットルの濾過溶液を９６ウェルプレートの８つの別個のウェルの各々に供給する。溶液を、Ｋｉｂｒｏｎ  Ｄｅｌｔａ  ８  Ｔｅｎｓｉｏｍｅｔｅｒにより約２２．０℃で試験し、８つの測定された複製の平均値は表面張力値としてｍＮ／ｍ単位で報告される。
【実施例１】
【０２９２】
着古した衣類の白色度を清浄な新しい衣類よりも高めるためのロイコ着色剤のバイアスの決定。
【０２９３】
ロイコ着色剤１及び２を使用して試験を行い、ロイコ化合物が消費者起源の着古した綿布に対して及び清浄な細片化された新しい綿布に対して改善された白色度をもたらす程度を決定した。試験したロイコ着色剤の構造を以下に示す。
【０２９４】
【化２２】
2020535276.tif 000023
ロイコ着色剤１（ａ＋ｂ＝０）及びロイコ着色剤２（ａ＋ｂ＝２．８；全てのａ＋ｂの合計＝５．６）
【０２９５】
試験は、スタイル４６４の代わりにスタイル４０３を用いて、本明細書に記載の方法Ｉ．Ａに従って、細片化された綿布に対して実施された。次いで、細片化された綿を、消費者起源の着古した白色のＴシャツ布地（Ｓｔ．Ｖｉｎｃｅｎｔ  Ｄｅｐａｕｌの４”×６”のＴシャツスワッチ、重度の黒ずみ；Ｊ＆Ｒ  Ｃｏｏｒｄｉｎａｔｉｎｇ  Ｓｅｒｖｉｃｅｓ（Ｃｉｎｃｉｎｎａｔｉ，ＯＨ，ＵＳＡ）から購入）に変えて、試験手順を記載されたように再度実施した。このＴシャツのスワッチは、下表１に示す洗浄前のＬ＊、ａ＊、ｂ＊及びＷＩ  ＣＩＥ値を有した。消費者起源の着古した白色Ｔシャツを試験するとき、２つの複製のみを各洗浄フラスコに入れた。
【０２９６】
【表１】
2020535276.tif 000024
【０２９７】
方法Ｉ．Ａ．に従って組成物にて洗浄された細片化された綿布及び消費者起源の着古した白色のＴシャツ布地の両方についての白色度指数（ΔＷＩ）の変化を、各々の場合における計算のために乾燥後２、２４及び４８時間に測定されたＷＩ  ＣＩＥ値を使用して、当該方法において提供された式に従って計算した。
【０２９８】
洗浄中にロイコ着色剤を含めることによる白色度の変化は、２つの洗剤配合物、すなわち、対照（ロイコ着色剤無配合）及びサンプル（ロイコ着色剤配合）中で洗浄された同じ布地の白色度指数の変化を比較することによって得られ、本方法で提供される式によって計算される。洗浄試験の結果を下表２に示す。
【０２９９】
【表２】
2020535276.tif 000025
ａ  細片化された１００％綿、スタイル４０３、Ｔｅｓｔ  Ｆａｂｒｉｃｓ，Ｉｎｃ．。
ｂ  消費者起源の１００％綿の白色Ｔシャツ。
【０３００】
表２のデータは、ＥＯ及びＰＯオキシアルキレン基の両方を有する部分を含むロイコ着色剤が、ＥＯオキシアルキレン単位のみを有する部分を含むロイコ着色剤から得られたバイアスよりも、新しく清浄な綿と比べて着古した消費者の綿に白色度をもたらすための一貫してより大きなバイアスを有することを示す。これは、このようなロイコ着色剤（例えば、２）の使用は、新しい綿衣類の色一体性を損なうことなく、ＥＯオキシラキレン基（例えば、１）のみを有するロイコ化合物が提供するのと同じ白色度効果を着古した綿にもたらすことを意味する。したがって、本発明に係る本発明のロイコ着色剤は、色調整が必要でもなく所望もされない新しく清浄な布地上への付着を回避しながら、必要な場所（黄変を示す傾向がある着古した綿）への効果的な付着という明らかな利点を消費者に提供する。
【実施例２】
【０３０１】
【化２３】
2020535276.tif 000026
ロイコ着色剤Ｊ（平均ａ＋ｂ≒２．５；全てのａ＋ｂの合計≒５．０）
【０３０２】
様々な異なる綿布（Ｔｅｓｔｆａｂｒｉｃｓ，Ｉｎｃ．（Ｗｅｓｔ  Ｐｉｔｔｓｔｏｎ，ＰＡ）；１００％綿、４”×６”に切断）を２つの等価なセットに分割し、そのままの状態で試験したが、但し、第２のセットの追加のスワッチスタイル番号４０３（ＣＷ１２０綿、４”×４”に切断；第１のセットと異なるロット番号）を下記のように細片化し、試験セットに加えた点が異なった。一方のセットを、ロイコ着色剤無配合の強力液体洗剤（配合物Ａ）で洗浄し、他方のセットを、ロイコ着色剤Ｊを含有する同じ洗剤（配合物Ｂ）で洗浄した。各洗浄は、１２：１の液対布比で、５，３００ｐｐｍの強力液体洗剤配合物を有する水道水（約６ｇｐｇ、３：１  Ｃａ：Ｍｇ）中で１２分間実施した。その組成を下表３に示す。すすぎは、１２：１の液対布比で、水道水中で４分間実施された。その後、布地を暗所において室温で４８時間風乾させた。
【０３０３】
【表３】
2020535276.tif 000027
【０３０４】
綿布のＬ＊、ａ＊、ｂ＊、及び白色度指数（ＷＩ  ＣＩＥ）の値は、ＣＭ３６１０ｄ分光光度計（Ｋｏｎｉｃａ  Ｍｉｎｏｌｔａ（Ｒａｍｓｅｙ，ＮＪ）；Ｄ６５光源、１０°オブザーバ、ＵＶ光除外（UV light excluded））を使用し、洗浄前及び洗浄後４８時間の両方において、乾燥したスワッチ上で測定する。各洗濯ケア配合物に関して生成された複製スワッチのＷＩ  ＣＩＥ値を平均し、洗浄時の白色度指数の変化を、次式を用いて計算する。
ΔＷＩ＝ＷＩ  ＣＩＥ（洗浄後）−ＷＩ  ＣＩＥ（洗浄前）
【０３０５】
洗浄中にロイコ着色剤を含めることによる白色度の変化は、２つの洗剤配合物Ａ及びＢで洗浄された同じスタイル番号の布地の白色度指数の変化を比較することによって得られ、次式によって計算される。
δΔＷＩＣＩＥ＝ΔＷＩ（洗剤Ｂ）−ΔＷＩ（洗剤Ａ）
【０３０６】
布地の結果を以下に集計し、得られたδΔＷＩＣＩＥの値によって数値的に編成する。試験した布地の同一性を、結果と共に下表４に示す。
【０３０７】
【表４】
2020535276.tif 000028
【０３０８】
２つの洗剤中の洗浄時の白色度値の変化は、試験に使用される特定の種類の綿布に応じて広く変化し得ることに留意されたい。これは、一方は使用前に増白剤無配合ＡＡＴＣＣ強力液体洗濯洗剤（水溶液中１．５５ｇ／Ｌ）により４９℃で２回洗浄することによって細片化されており（その結果δΔＷＩ  ＣＩＥは１．９３である）、他方は細片化されていない（その結果δΔＷＩ  ＣＩＥは０．７２である）、同じ綿スタイル番号に対しても当てはまる。これは、消費者が使用する所与の洗剤配合物が、広範囲の可能性を表す織物物品に遭遇すること、及び、配合物がいくつかの織物に対して機能する様式が、他と対照的に、大きく異なる場合が多いことを示す。これらの差異は、上記のデータによって示されるように、日常的な実験によって見出すことができる。
【実施例３】
【０３０９】
実施例１及び２からの十分に酸化された形態のロイコ着色剤１及びＪを、それぞれ、洗浄サイクルを介してスタイル４０３綿スワッチ上に堆積させた。ロイコ着色剤Ｊの酸化形態もまた、洗浄サイクルを介して上記の消費者起源の着古した白色のＴシャツ布地上に堆積させた。布地サンプルを、３７℃の最高キャビネット温度、５７℃の最高ブラックパネル温度（ＢＰＴブラックパネル形状）、及び３５％ＲＨ（相対湿度）に設定された、タイプＳホウケイ酸塩内側フィルタ（部品番号２０２７７３００）及び外側フィルタ（部品番号２０２７９６００）を備えたＡｔｌａｓ  Ｘｅｎｏｎ  Ｆａｄｅ−Ｏｍｅｔｅｒ  Ｃｉ３０００＋（Ａｔｌａｓ  Ｍａｔｅｒｉａｌ  Ｔｅｓｔｉｎｇ  Ｔｅｃｈｎｏｌｏｇｙ（Ｍｏｕｎｔ  Ｐｒｏｓｐｅｃｔ，Ｉｌｌｉｎｏｉｓ，ＵＳＡ））内で、４２０ｎｍで放射照度０．７７Ｗ／ｍ２の模擬太陽光に曝露することによって、布地サンプルの光退色の程度について試験した。スタイル４０３の布地を、３０分間連続して及び１２０分間連続して曝露し、消費者起源の着古した白色Ｔシャツを、１２０分間連続して曝露した。ロイコ着色剤Ｊは、３０分及び１２０分間の照射後に、ロイコ着色剤１よりも少ない程度に退色した。ロイコ着色剤Ｊの１２０分後の退色は、清浄な布地及び消費者起源の着古した白色Ｔシャツの両方で類似していた。
【実施例４】
【０３１０】
この実施例は、以下の構造を有する本発明による化合物の調製を示す。
【０３１１】
【化２４】
2020535276.tif 000029
【０３１２】
１２．４５グラムの４−アセトアミドベンズアルデヒド及びアニリン−２，４（平均で２ＥＯ及び４ＰＯでアルコキシル化されたアニリン）を、加熱マントル、撹拌器、凝縮器、及び窒素入口を備えた三つ口丸底フラスコに添加した。次いで、２．７１グラムの尿素を１８グラムの水に溶解し、この溶液を反応に添加した。混合後、温度を９０℃未満に維持しながら、２３．７４グラムの濃ＨＣｌ（３７％）を反応混合物にゆっくりと添加した。反応混合物を窒素下９０℃にて６時間撹拌した。反応完了後、フラスコの内容物を過剰量の重炭酸ナトリウム溶液（６００ｍＬの水中３０ｇ）に添加した。得られた混合物から、酢酸エチルを用いて生成物を抽出し、ＤＩ水で洗浄した。ロータリーエバポレーターを用いて酢酸エチルを除去し、得られた生成物を真空オーブンで乾燥させた。
【０３１３】
配合実施例
以下は、本開示に係る洗浄組成物の例示の実施例であり、限定を意図するものではない。
【０３１４】
実施例３〜９：強力液体洗濯洗剤組成物。
【０３１５】
【表５】
2020535276.tif 000030
洗浄及び／又は処理組成物の総重量に基づく。酵素濃度は、原材料として報告される。
【０３１６】
実施例１０〜２０：単位用量組成物。
これら実施例は、単位用量洗濯洗剤用の様々な配合物を提供する。組成物８〜１２は、１つの単位容量区画を含む。組成物を封入するために使用されるフィルムは、ポリビニルアルコール系フィルムである。
【０３１７】
【表６】
2020535276.tif 000031
洗浄及び／又は処理組成物の総重量に基づく。酵素濃度は、原材料として報告される。
【０３１８】
以下の実施例では、単位用量は３つの区画を有するが、同様の組成物を２つ、４つ又は５つの区画で作製することもできる。区画を封入するために使用されるフィルムは、ポリビニルアルコールである。
【０３１９】
【表７】
2020535276.tif 000032
【０３２０】
【表８】
2020535276.tif 000033
洗浄及び／又は処理組成物の総重量に基づいて、酵素レベルは原材料として報告する。
【０３２１】
【表９】
2020535276.tif 000034
【０３２２】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味することが意図される。
【０３２３】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全体が本明細書に組み込まれる。いかなる文献の引用も、本明細書中で開示又は特許請求される任意の発明に対する先行技術であるとは見なされず、あるいはそれを単独で又は他の任意の参考文献（単数又は複数）と組み合わせたときに、そのような発明全てを教示、示唆又は開示するとは見なされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０３２４】
本発明の特定の実施形態を例示及び説明してきたが、本発明の趣旨及び範囲から逸脱することなく他の様々な変更及び修正を行うことができる点は当業者には明白であろう。したがって、本発明の範囲内にあるそのような全ての変更及び修正を添付の特許請求の範囲に網羅することが意図されている。
【国際調査報告】
2020535276.tif 000037
2020535276.tif 000038
2020535276.tif 000039